(57)【要約】  本開示の実施形態は、マルチＴＲＰ送信のための方法、デバイス、及びコンピュータ読み取り可能な媒体を提供する。通信のための方法によれば、端末デバイスは、端末デバイスと通信する複数のネットワークデバイスのうちの少なくとも１つからダウンリンク制御情報（ＤＣＩ）を受信し、複数のネットワークデバイスのそれぞれは、復調参照信号（ＤＭＲＳ）を送信するための複数のＤＭＲＳポートを含む異なるＤＭＲＳグループを有する。端末デバイスは、ＤＣＩから、複数のネットワークデバイスのＤＭＲＳグループに対するそれぞれの送信構成指示（ＴＣＩ）状態、及び複数のネットワークデバイスによって送信されるＤＭＲＳを受信するためのＤＭＲＳポートを決定する。端末デバイスは、ＴＣＩ状態に基づいて、ＤＭＲＳポートで複数のネットワークデバイスからＤＭＲＳを受信する。本開示の実施形態は、オーバーヘッドを低減したマルチＴＲＰ通信のソリューションを提供する。【選択図】図５
2021533643.tif 000002
【特許請求の範囲】
【請求項１】
通信のための方法であって、
端末デバイスと通信する複数のネットワークデバイスのそれぞれが、復調参照信号（ＤＭＲＳ：Ｄｅｍｏｄｕｌａｔｉｏｎ Ｒｅｆｅｒｅｎｃｅ Ｓｉｇｎａｌ）を送信するための複数のＤＭＲＳポートを含む異なるＤＭＲＳグループを有する、前記複数のネットワークデバイスのうちの少なくとも１つから、ダウンリンク制御情報（ＤＣＩ：Ｄｏｗｎｌｉｎｋ Ｃｏｎｔｒｏｌ Ｉｎｆｏｒｍａｔｉｏｎ）を、前記端末デバイスにおいて受信することと、
前記複数のネットワークデバイスのＤＭＲＳグループに対するそれぞれの送信構成指示（ＴＣＩ：Ｔｒａｎｓｍｉｓｓｉｏｎ Ｃｏｎｆｉｇｕｒａｔｉｏｎ Ｉｎｄｉｃａｔｉｏｎ）状態、及び前記複数のネットワークデバイスによって送信されるＤＭＲＳを受信するためのＤＭＲＳポートを前記ＤＣＩから決定することと、
前記ＴＣＩ状態に基づいて、前記ＤＭＲＳポートで前記複数のネットワークデバイスから前記ＤＭＲＳを受信することと、
を含む方法。
【請求項２】
前記ＤＭＲＳグループのそれぞれにおける前記ＤＭＲＳポートは、互いに疑似コロケートされる、
請求項１に記載の方法。
【請求項３】
前記ＴＣＩ状態を決定することは、
前記ＤＭＲＳグループのうちの第１のＤＭＲＳグループに対する第１のＴＣＩ状態を決定することと、
前記ＤＭＲＳグループのうちの第２のＤＭＲＳグループに対する第２のＴＣＩ状態が前記第１のＴＣＩ状態と同一であるか否かを決定することと、を含む、
請求項１に記載の方法。
【請求項４】
前記第２のＴＣＩ状態が前記第１のＴＣＩ状態と異なると決定したことに応答して、前記ＤＣＩ内の単一の指示に基づいて、前記第２のＴＣＩ状態及び前記ＤＭＲＳポートを決定することをさらに含む、
請求項３に記載の方法。
【請求項５】
前記ＴＣＩ状態を決定することは、
前記ＤＣＩから第１のビットマップ及び第２のビットマップを取得し、前記第１のビットマップが前記第２のビットマップよりも多いビットを有することと、
前記第１のビットマップの値に基づいて、前記ＤＭＲＳグループのうちの第１のＤＭＲＳグループに対する第１のＴＣＩ状態を決定することと、
前記第２のビットマップが所定値を有することに応答して、前記ＤＭＲＳグループのうちの第２のＤＭＲＳグループに対する第２のＴＣＩ状態が前記第１のＴＣＩ状態と同一であると決定することと、
前記第２のビットマップが前記所定値と異なる値を有することに応答して、前記値に基づいて前記第２のＴＣＩ状態を決定することと、を含む、
請求項１に記載の方法。
【請求項６】
前記ＤＣＩから、さらなるＤＭＲＳポートを決定することと、
前記複数のネットワークデバイスから前記さらなるＤＭＲＳポートでさらなるＤＭＲＳを受信することと、をさらに含む、
請求項１に記載の方法。
【請求項７】
前記ＤＭＲＳポートに対応する複数のレイヤで同じデータを受信することと、
前記複数のレイヤに対するそれぞれの位相トラッキング参照信号（ＰＴＲＳ：Ｐｈａｓｅ Ｔｒａｃｋｉｎｇ Ｒｅｆｅｒｅｎｃｅ Ｓｉｇｎａｌ）ポートでＰＴＲＳを受信することと、
前記複数のレイヤのそれぞれで受信したデータに対して、それぞれのＰＴＲＳに基づいて位相補償を実行することと、
前記複数のレイヤで受信した補償後のデータを結合することと、をさらに含む、
請求項１に記載の方法。
【請求項８】
位相トラッキング参照信号（ＰＴＲＳ）を受信したことに応答して、前記ＤＭＲＳを送信するための前記ＤＭＲＳポートの数が所定の数に制限されていることを決定することをさらに含む、
請求項１に記載の方法。
【請求項９】
通信のための方法であって、
端末デバイスと通信する複数のネットワークデバイスのうちの１つのネットワークデバイスにおいて、前記複数のネットワークデバイスのそれぞれの復調参照信号（ＤＭＲＳ）グループであって、前記ＤＭＲＳグループのそれぞれが複数のＤＭＲＳポートを含む、前記ＤＭＲＳグループに対する送信構成指示（ＴＣＩ）状態、及び前記複数のネットワークデバイスがＤＭＲＳを前記端末デバイスに送信するためのＤＭＲＳポートを決定することと、
前記ＴＣＩ状態及び前記ＤＭＲＳポートを示すダウンリンク制御情報（ＤＣＩ）を生成することと、
前記端末デバイスが前記ＴＣＩ状態に基づいて前記ＤＭＲＳポートで前記複数のネットワークデバイスから前記ＤＭＲＳを受信するように、前記ＤＣＩを前記端末デバイスに送信することと、を含む、
方法。
【請求項１０】
前記ＤＭＲＳグループのそれぞれにおける前記ＤＭＲＳポートは、互いに疑似コロケートされる、
請求項９に記載の方法。
【請求項１１】
前記ＤＣＩを生成することは、
前記ＤＣＩにおいて、前記ＤＭＲＳグループのうちの第１のＤＭＲＳグループに対する第１のＴＣＩ状態を示すことと、
前記ＤＣＩにおいて、前記ＤＭＲＳグループのうちの第２のＤＭＲＳグループに対する第２のＴＣＩ状態が前記第１のＴＣＩ状態と同一であるか否かを示すことと、を含む、
請求項９に記載の方法。
【請求項１２】
前記第２のＴＣＩ状態が前記第１のＴＣＩ状態と異なることを前記ＤＣＩにおいて示すことに応答して、前記ＤＣＩにおいて、単一の指示を用いて前記第２のＴＣＩ状態及び前記ＤＭＲＳポートを示すことをさらに含む、
請求項１１に記載の方法。
【請求項１３】
前記ＤＣＩを生成することは、
前記ＤＣＩに第１のビットマップ及び第２のビットマップを設定し、前記第１のビットマップが前記第２のビットマップよりも多いビットを有することと、
前記第１のビットマップの値を使用して、前記ＤＭＲＳグループのうちの第１のＤＭＲＳグループに対する第１のＴＣＩ状態を示すことと、
前記第２のビットマップの所定値を用いて、前記ＤＭＲＳグループのうちの第２のＤＭＲＳグループに対する第２のＴＣＩ状態が前記第１のＴＣＩ状態と同一であることを示すことと、
前記第２のビットマップの前記所定値と異なる値を用いて、前記第２のＴＣＩ状態を示すことと、を含む、
請求項９に記載の方法。
【請求項１４】
前記ＤＭＲＳグループに対する潜在的なＴＣＩ状態を異なるＴＣＩ状態のグループに分割することと、
前記潜在的なＴＣＩ状態から、前記ＤＭＲＳグループのうちの第１のＤＭＲＳグループに対する第１のＴＣＩ状態を選択することと、
前記第１のＴＣＩ状態を含むグループと異なるグループから、前記ＤＭＲＳグループのうちの第２のＤＭＲＳグループに対する第２のＴＣＩ状態を選択することと、をさらに含む、
請求項９に記載の方法。
【請求項１５】
前記ＤＭＲＳグループのうちの１つのＤＭＲＳグループにおけるＤＭＲＳポートに関連する空間レイヤにコードワードをマッピングすることをさらに含む、
請求項９に記載の方法。
【請求項１６】
前記ＤＣＩにおいて、前記複数のネットワークデバイスがさらなるＤＭＲＳを前記端末デバイスに送信するためのさらなるＤＭＲＳポートを示すことをさらに含む、
請求項９に記載の方法。
【請求項１７】
前記ＤＭＲＳポートに対応する複数のレイヤで同じデータを送信することと、
前記複数のレイヤに対するそれぞれの位相トラッキング参照信号（ＰＴＲＳ）ポートでＰＴＲＳを送信することと、をさらに含む、
請求項９に記載の方法。
【請求項１８】
位相トラッキング参照信号（ＰＴＲＳ）を送信することと、
前記ＤＭＲＳを送信するための前記ＤＭＲＳポートの数を所定の数に制限することと、をさらに含む、
請求項９に記載の方法。
【請求項１９】
端末デバイスであって、
プロセッサと、
命令を格納するメモリと、を備え、
前記メモリ及び前記命令は、前記プロセッサによって、
前記端末デバイスと通信する複数のネットワークデバイスのそれぞれが、復調参照信号（ＤＭＲＳ：Ｄｅｍｏｄｕｌａｔｉｏｎ Ｒｅｆｅｒｅｎｃｅ Ｓｉｇｎａｌ）を送信するための複数のＤＭＲＳポートを含む異なるＤＭＲＳグループを有する、前記複数のネットワークデバイスのうちの少なくとも１つからダウンリンク制御情報（ＤＣＩ）を受信し、
前記複数のネットワークデバイスのＤＭＲＳグループに対するそれぞれの送信構成指示（ＴＣＩ）状態、及び前記複数のネットワークデバイスによって送信されるＤＭＲＳを受信するためのＤＭＲＳポートを前記ＤＣＩから決定し、
前記ＴＣＩ状態に基づいて、前記ＤＭＲＳポートで前記複数のネットワークデバイスから前記ＤＭＲＳを受信する、ことを前記端末デバイスに実行させるように構成される、
端末デバイス。
【請求項２０】
前記メモリ及び前記命令は、さらに、前記プロセッサによって、前記端末デバイスに請求項２から８のいずれか一項に記載の方法を実行させるように構成される、
請求項１９に記載の端末デバイス。
【請求項２１】
ネットワークデバイスであって、
プロセッサと
命令を格納するメモリと、を備え、
前記メモリ及び前記命令は、前記プロセッサによって、
端末デバイスと通信する前記ネットワークデバイスを含む複数のネットワークデバイスのそれぞれの復調参照信号（ＤＭＲＳ）グループであって、前記ＤＭＲＳグループのそれぞれが複数のＤＭＲＳポートを含む、前記ＤＭＲＳグループに対する送信構成指示（ＴＣＩ）状態、及び前記複数のネットワークデバイスがＤＭＲＳを前記端末デバイスに送信するためのＤＭＲＳポートを決定し、
前記ＴＣＩ状態及び前記ＤＭＲＳポートを示すダウンリンク制御情報（ＤＣＩ）を生成し、
前記端末デバイスが前記ＴＣＩ状態に基づいて前記ＤＭＲＳポートで前記複数のネットワークデバイスから前記ＤＭＲＳを受信するように、前記ＤＣＩを前記端末デバイスに送信する、ことを前記ネットワークデバイスに実行させるように構成される、
ネットワークデバイス。
【請求項２２】
前記メモリ及び前記命令が、さらに、前記プロセッサによって、前記ネットワークデバイスに請求項１０から１８のいずれか一項に記載の方法を実行させるように構成される、
請求項２１に記載のネットワークデバイス。
【請求項２３】
デバイスの少なくとも１つのプロセッサで実行される場合、前記デバイスに請求項１から８のいずれか一項に記載の方法を実行させる命令が格納されたコンピュータ読み取り可能な媒体。
【請求項２４】
デバイスの少なくとも１つのプロセッサで実行される場合、前記デバイスに請求項９から１８のいずれか一項に記載の方法を実行させる命令が格納されたコンピュータ読み取り可能な媒体。
【発明の詳細な説明】
【技術分野】
【０００１】
本開示の実施形態は、一般的に、無線通信に関し、特に、マルチＴＲＰ通信のための方法、デバイス、及びコンピュータ読み取り可能な媒体に関する。
【背景技術】
【０００２】
３ＧＰＰ規格の最新発展は、進化したパケットコア（ＥＰＣ：Ｅｖｏｌｖｅｄ Ｐａｃｋｅｔ Ｃｏｒｅ）ネットワークのロングタームエボリューション（ＬＴＥ：Ｌｏｎｇ Ｔｅｒｍ Ｅｖｏｌｕｔｉｏｎ）、Ｅ‐ＵＴＲＡＮ（Ｅｖｏｌｖｅｄ ＵＭＴＳ Ｔｅｒｒｅｓｔｒｉａｌ Ｒａｄｉｏ Ａｃｃｅｓｓ Ｎｅｔｗｏｒｋ）と呼ばれ、通常、「４Ｇ」とも呼ばれる。さらに、「５Ｇ新しい無線（ＮＲ：Ｎｅｗ  Ｒａｄｉｏ）」という用語は、様々なアプリケーションやサービスをサポートすることが期待される進化した通信技術を指す。５Ｇ ＮＲは、遅延、信頼性、セキュリティ、スケーラビリティ（例えば、ＩｏＴ（Ｉｎｔｅｒｎｅｔ ｏｆ Ｔｈｉｎｇｓ））に関連する新たな要求、及びその他の要求を満たすために、第３世代パートナーシッププロジェクト（３ＧＰＰ：Ｔｈｉｒｄ Ｇｅｎｅｒａｔｉｏｎ Ｐａｒｔｎｅｒｓｈｉｐ Ｐｒｏｊｅｃｔ）によって公表された継続的なモバイルブロードバンドの進化の一部である。５Ｇ ＮＲのいくつかの態様は、４Ｇロングタームエボリューション（ＬＴＥ）規格に基づくことがある。
【０００３】
近年、ＮＲシステムの研究が認められた。ＮＲは、拡張モバイルブロードバンド、大規模なマシンタイプ通信、超高信頼・低遅延通信を含む、全ての定義された利用状況、要求、配置状況に対応する単一の技術フレームワークを目的とし、１００ＧＨｚまでの周波数範囲を考慮する。ｎｅｗ ｒａｄｉｏアクセス用のマルチアンテナスキームの検討は既に開始され、マルチアンテナスキーム、ビーム管理、チャネル状態情報（ＣＳＩ：Ｃｈａｎｎｅｌ Ｓｔａｔｅ Ｉｎｆｏｒｍａｔｉｏｎ）取得、参照信号及び疑似コロケーション（ＱＣＬ：ｑｕａｓｉ ｃｏ-ｌｏｃａｔｅｄ）が含まれる。また、ＮＲでは、シングルＴＲＰ送信及びマルチＴＲＰ送信が合意された。しかし、マルチＴＲＰ／パネル送信については、現状の研究で優先に考慮されず、今後の開発で検討される。
【発明の概要】
【発明が解決しようとする課題】
【０００４】
一般的に、本開示の例示的な実施形態は、マルチＴＲＰ通信のための方法、デバイス、及びコンピュータ読み取り可能な媒体を提供する。
【課題を解決するための手段】
【０００５】
第１の態様では、通信のための方法を提供する。この方法は、端末デバイスで、端末デバイスと通信する複数のネットワークデバイスのうちの少なくとも１つからダウンリンク制御情報（ＤＣＩ）を受信することを含み、複数のネットワークデバイスのそれぞれは、復調参照信号（ＤＭＲＳ）を送信するための複数のＤＭＲＳポートを含む異なるＤＭＲＳグループを有する。この方法は、ＤＣＩから、複数のネットワークデバイスのＤＭＲＳグループに対するそれぞれの送信構成指示（ＴＣＩ）状態、及び複数のネットワークデバイスによって送信されるＤＭＲＳを受信するためのＤＭＲＳポートを決定することをさらに含む。この方法は、ＴＣＩ状態に基づいて、ＤＭＲＳポートで複数のネットワークデバイスからＤＭＲＳを受信することをさらに含む。
【０００６】
第２の態様では、通信のための方法を提供する。この方法は、端末デバイスと通信する複数のネットワークデバイスのうちの１つのネットワークデバイスにおいて、複数のネットワークデバイスのそれぞれのＤＭＲＳグループに対するＴＣＩ状態、及び複数のネットワークデバイスがＤＭＲＳを端末デバイスに送信するためのＤＭＲＳポートを決定することを含む。ＤＭＲＳグループのそれぞれは、複数のＤＭＲＳポートを含む。この方法は、ＴＣＩ状態及びＤＭＲＳポートを示すＤＣＩを生成することをさらに含む。この方法は、端末デバイスがＴＣＩ状態に基づいてＤＭＲＳポートで複数のネットワークデバイスからＤＭＲＳを受信するように、ＤＣＩを端末デバイスに送信することをさらに含む。
【０００７】
第３の態様では、端末デバイスを提供する。この端末デバイスは、プロセッサと、命令を格納するメモリとを備える。メモリ及び命令は、プロセッサによって、端末デバイスに、端末デバイスと通信する複数のネットワークデバイスのうちの少なくとも１つからＤＣＩを受信させるように構成される。複数のネットワークデバイスのそれぞれは、ＤＭＲＳを送信するための複数のＤＭＲＳポートを含む異なるＤＭＲＳグループを有する。メモリ及び命令は、さらに、プロセッサによって、端末デバイスに、ＤＣＩから、複数のネットワークデバイスのＤＭＲＳグループに対するそれぞれのＴＣＩ状態、及び複数のネットワークデバイスによって送信されるＤＭＲＳを受信するためのＤＭＲＳポートを決定させるように構成される。メモリ及び命令は、さらに、プロセッサによって、端末デバイスに、ＴＣＩ状態に基づいてＤＭＲＳポートで複数のネットワークデバイスからＤＭＲＳを受信させるように構成される。
【０００８】
第４の態様では、ネットワークデバイスを提供する。このネットワークデバイスは、プロセッサと、命令を格納するメモリとを備える。メモリ及び命令は、プロセッサによって、ネットワークデバイスに、端末デバイスと通信するネットワークデバイスを含む複数のネットワークデバイスのそれぞれのＤＭＲＳグループに対するＴＣＩ状態、及び複数のネットワークデバイスがＤＭＲＳを端末デバイスに送信するためのＤＭＲＳポートを決定させるように構成される。ＤＭＲＳグループのそれぞれは、複数のＤＭＲＳポートを含む。メモリ及び命令は、さらに、プロセッサによって、ネットワークデバイスに、ＴＣＩ状態及びＤＭＲＳポートを示すＤＣＩを生成させるように構成される。メモリ及び命令は、さらに、プロセッサによって、端末デバイスがＴＣＩ状態に基づいてＤＭＲＳポートで複数のネットワークデバイスからＤＭＲＳを受信するように、ＤＣＩを端末デバイスに送信させるように構成される。
【０００９】
第５の態様では、命令が格納されたコンピュータ読み取り可能な媒体を提供する。この命令は、デバイスの少なくとも１つのプロセッサで実行される場合、デバイスに第１の態様に記載の方法を実行させる。
【００１０】
第６の態様では、命令が格納されたコンピュータ読み取り可能な媒体を提供する。この命令は、デバイスの少なくとも１つのプロセッサで実行される場合、デバイスに第２の態様に記載の方法を実行させる。
【００１１】
本概要のセクションは、本開示の実施形態の主要な又は本質的な特徴を特定することを意図しておらず、本開示の範囲を限定するために使用されることを意図していないことを理解されたい。本開示の他の特徴は、以下の説明により容易に理解できるようになる。
【図面の簡単な説明】
【００１２】
添付図面を参照しながら本開示のいくつかの実施形態をより詳細に説明することを通して、本開示の上記及び他の目的、特徴、及び利点がより明らかになる。
【００１３】
【図１】本開示のいくつかの実施形態が実施されることができる通信環境の概略図である。
【００１４】
【図２】本開示のいくつかの実施形態にかかるネットワークデバイスと端末デバイスとの間の通信プロセスを例示するフローチャートを示す。
【００１５】
【図３】本開示のいくつかの実施形態にかかる複数のＴＣＩフィールドの例を示す。
【００１６】
【図４】本開示のいくつかの実施形態にかかる２ビットを有する第２のＴＣＩフィールドの例を示す。
【００１７】
【図５】本開示のいくつかの実施形態にかかる例示的な方法のフローチャートを示す。
【００１８】
【図６】本開示のいくつかの実施形態にかかる別の例示的な方法のフローチャートを示す。
【００１９】
【図７】本開示のいくつかの実施形態の実施に適するデバイスの簡略的なブロック図である。
【００２０】
図面全体において、同一又は類似の参照番号は、同一又は類似の要素を表す。
【発明を実施するための形態】
【００２１】
本開示の原理を、いくつかの例示的な実施形態を参照して説明する。これらの実施形態は、例示の目的のみで記載され、本開示の範囲に関するいかなる制限を示唆することなく、当業者が本開示を理解及び実施することに寄与することを理解されたい。本明細書で説明される開示は、以下に説明されるもの以外の様々な態様で実施されることができる。
【００２２】
以下の説明及び特許請求の範囲において、別途定義されない限り、本明細書で使用されるすべての技術用語及び科学用語は、本開示が属する技術分野の当業者によって一般的に理解されるものと同じ意味を有する。
【００２３】
本明細書で使用されるとき、「送受信ポイント（送信／受信ポイント）」という用語は、一般的に、ユーザ機器と通信するステーションを示すことができる。しかしながら、送受信ポイント（送信／受信ポイント）は、基地局（ＢＳ：Ｂａｓｅ Ｓｔａｔｉｏｎ）、セル、Ｎｏｄｅ−Ｂ、Ｅｖｏｌｖｅｄ  ＮｏｄｅＢ（ｅＮＢ）、次世代ＮｏｄｅＢ（ｇＮＢ）、送受信ポイント（ＴＲＰ：Ｔｒａｎｓｍｉｓｓｉｏｎ Ｒｅｃｅｐｔｉｏｎ Ｐｏｉｎｔ）、セクタ、サイト、ベーストランシーバシステム（ＢＴＳ：Ｂａｓｅ Ｔｒａｎｓｃｅｉｖｅｒ Ｓｙｓｔｅｍ）、アクセスポイント（ＡＰ：Ａｃｃｅｓｓ Ｐｏｉｎｔ）、中継ノード（ＲＮ：Ｒｅｌａｙ Ｎｏｄｅ）、リモート無線ヘッド（ＲＲＨ：Ｒｅｍｏｔｅ Ｒａｄｉｏ Ｈｅａｄ）、無線ユニット（ＲＵ：Ｒａｄｉｏ Ｕｎｉｔ）、アンテナなどのような異なる用語と呼ばれてもよい。
【００２４】
即ち、本開示の文脈において、送受信ポイント（送信／受信ポイント）、基地局（ＢＳ）、又はセルは、符号分割多元接続（ＣＤＭＡ：Ｃｏｄｅ Ｄｉｖｉｓｉｏｎ Ｍｕｌｔｉｐｌｅ Ａｃｃｅｓｓ）における基地局コントローラ（ＢＳＣ：Ｂａｓｅ Ｓｔａｔｉｏｎ Ｃｏｎｔｒｏｌｌｅｒ）、ＷＣＤＭＡ（登録商標）におけるＮｏｄｅ−Ｂ、ＬＴＥにおけるｅＮＢ又はセクタ（サイト）、ＮＲにおけるｇＮＢ又はＴＲＰなどによってカバーされる領域又は機能の一部を示す包括的な概念として解釈され得る。従って、送信／受信ポイント、基地局（ＢＳ）、及び／又はセルの概念は、メガセル、マクロセル、マイクロセル、ピコセル、フェムトセルなどの様々なカバレッジエリアを含むことができる。さらに、そのような概念は、中継ノード（ＲＮ）、リモート無線ヘッド（ＲＲＨ）、又は無線ユニット（ＲＵ）の通信範囲を含むことができる。
【００２５】
本開示の文脈において、ユーザ機器及び送受信ポイント（送信／受信ポイント）は、本明細書に開示される技術及び技術的概念を具体化するために使用される包括的な意味を有する２つの送信／受信主体であってもよく、特定の用語又は単語に限定されない。さらに、ユーザ機器及び送受信ポイント（送信／受信ポイント）は、本実施形態に関連して開示される技術及び技術的概念を具現化するために使用される包括的な意味を有する、アップリンク又はダウンリンクの送信／受信主体であってもよく、特定の用語又は単語に限定されない。ここで、アップリンク（ＵＬ：Ｕｐｌｉｎｋ）送信／受信は、データがユーザ機器から基地局に送信されるスキームである。また、ダウンリンク（ＤＬ：Ｄｏｗｎｌｉｎｋ）送信／受信は、データが基地局からユーザ機器に送信されるスキームである。
【００２６】
本明細書で使用されるとき、単数形である「１つ（ａ）」、「１つ（ａｎ）」、及び「前記（ｔｈｅ）」は、文脈からそうでないことが明確に示されていない限り、複数形も含むことを意図している。「含む」という用語及びその変形は、「含むがこれに限定されない」ことを意味するオープンな用語として読まれる。「に基づいて」という用語は、「少なくとも部分的に基づいて」として読まれる。「一実施形態」及び「実施形態」という用語は、「少なくとも１つの実施形態」として読まれる。「別の実施形態」という用語は、「少なくとも１つの他の実施形態」として読まれる。「第１」、「第２」などの用語は、異なるオブジェクト又は同じオブジェクトを指すことができる。以下には、明示的及び暗黙的なその他の定義が含まれることがある。
【００２７】
いくつかの例では、値、手順、又は装置は、「最もよい」、「最も低い」、「最も高い」、「最小」、「最大」などとして言及される。そのような記述は、多くの使用される機能的選択肢から選択可能であり、このような選択は、他の選択に比べてより良く、小さい、高い、又はより好ましい必要がないことを示すと意図していることを理解されたい。
【００２８】
図１は、本開示のいくつかの実施形態が実施されることができる通信環境１００の概略図である。通信環境１００では、２つのネットワークデバイス１１０、１２０及び端末デバイス１３０が存在する。端末デバイス１３０は、無線通信リンクを介して、ネットワークデバイス１１０、１２０の一方又は両方と通信することができる。いくつかの実施形態では、ネットワークデバイス１１０、１２０は、協同して端末デバイス１３０にサービスを提供する２つの基地局であってもよい。この場合、ネットワークデバイス１１０、１２０は、通信リンク１５５を介して互いに通信してもよい。いくつかの他の実施形態では、ネットワークデバイス１１０、１２０は、端末デバイス１３０にサービスを提供する１つの基地局の異なる送信／受信ユニットであってもよい。いくつかのさらなる実施形態では、ネットワークデバイス１１０、１２０は、２つのＴＲＰ、又は２つのパネル、又は２つのセル、又は１つのＴＲＰ／パネル／セル内の２つのグループのアンテナポート／エレメントであってもよい。本明細書で使用されるとき、複数のネットワークデバイスが端末デバイスと通信することに関する無線通信（例えば、通信環境１００）は、マルチＴＲＰ通信とも呼ばれることがある。
【００２９】
図１に示すネットワークデバイスの数及び端末デバイスの数は、いかなる限定を示唆することなく、例示の目的のみであることを理解されたい。実際に、通信環境１００は、本開示の実施形態を実施するのに適する任意の適切な数のネットワークデバイス及び任意の適切な数の端末デバイスを含むことができる。
【００３０】
本明細書で使用されるとき、「ネットワークデバイス」又は「基地局」（ＢＳ：Ｂａｓｅ Ｓｔａｔｉｏｎ）という用語は、端末デバイスが通信できるセル又はカバレッジを提供し、又はホストすることができるデバイスを指す。ネットワークデバイスの例として、Ｎｏｄｅ Ｂ（ＮｏｄｅＢ又はＮＢ）、Ｅｖｏｌｖｅｄ ＮｏｄｅＢ（ｅＮｏｄｅＢ又はｅＮＢ）、次世代ＮｏｄｅＢ（ｇＮＢ）、送信／受信ポイント（ＴＲＰ：Ｔｒａｎｓｍｉｓｓｉｏｎ／Ｒｅｃｅｐｔｉｏｎ Ｐｏｉｎｔ）、リモート無線ユニット（ＲＲＵ：Ｒｅｍｏｔｅ Ｒａｄｉｏ Ｕｎｉｔ）、無線ヘッド（ＲＨ：Ｒａｄｉｏ Ｈｅａｄ）、リモート無線ヘッド（ＲＲＨ：Ｒｅｍｏｔｅ Ｒａｄｉｏ Ｈｅａｄ）、及びフェムトノードやピコノードなどの低パワーノードなどが挙げられるが、これらに限定されない。
【００３１】
本明細書で使用されるとき、「端末デバイス」という用語は、無線又は有線通信機能を有する任意のデバイスを指す。端末デバイスの例として、ユーザ機器（ＵＥ：Ｕｓｅｒ Ｅｑｕｉｐｍｅｎｔ）、パーソナルコンピュータ、デスクトップ、移動電話、セルラー電話、スマートフォン、携帯情報端末（ＰＤＡ：Ｐｅｒｓｏｎａｌ Ｄｉｇｉｔａｌ Ａｓｓｉｓｔａｎｔ）、ポータブルコンピュータ、デジタルカメラなどの画像キャプチャデバイス、ゲームデバイス、音楽記憶・再生機器、又は無線や有線インターネットアクセス及びブラウジングなどを可能にするインターネット機器などが挙げられるが、これらに限定されない。説明の目的のために、以下、端末デバイスの例としてＵＥを参照していくつかの実施形態を説明し、「端末デバイス」及び「ユーザ機器」（ＵＥ）という用語は、本開示の文脈で互換的に使用されることができる。
【００３２】
通信環境１００における通信は、任意の適切な規格に準拠してもよく、ここでの規格は、モバイル通信用グローバルシステム（ＧＳＭ：Ｇｌｏｂａｌ Ｓｙｓｔｅｍ ｆｏｒ Ｍｏｂｉｌｅ Ｃｏｍｍｕｎｉｃａｔｉｏｎｓ）、ＥＣ‐ＧＳＭ‐ＩｏＴ（Ｅｘｔｅｎｄｅｄ Ｃｏｖｅｒａｇｅ Ｇｌｏｂａｌ Ｓｙｓｔｅｍ ｆｏｒ Ｍｏｂｉｌｅ Ｉｎｔｅｒｎｅｔ ｏｆ Ｔｈｉｎｇｓ）、ロングタームエボリューション（ＬＴＥ：Ｌｏｎｇ Ｔｅｒｍ Ｅｖｏｌｕｔｉｏｎ）、ＬＴＥエボリューション、ＬＴＥアドバンスト（ＬＴＥ−Ａ：ＬＴＥ‐Ａｄｖａｎｃｅｄ）、広帯域符号分割多元接続（ＷＣＤＭＡ：Ｗｉｄｅｂａｎｄ Ｃｏｄｅ Ｄｉｖｉｓｉｏｎ Ｍｕｌｔｉｐｌｅ Ａｃｃｅｓｓ）、符号分割多元接続（ＣＤＭＡ：Ｃｏｄｅ Ｄｉｖｉｓｉｏｎ Ｍｕｌｔｉｐｌｅ Ａｃｃｅｓｓ）、ＧＳＭ ＥＤＧＥ無線アクセスネットワーク（ＧＥＲＡＮ：ＧＳＭ ＥＤＧＥ Ｒａｄｉｏ Ａｃｃｅｓｓ Ｎｅｔｗｏｒｋ）などを含むが、これらに限定されない。さらに、通信は、現在知られている、又は将来に開発される任意の世代の通信プロトコルに従って実施されてもよい。通信プロトコルの例として、第１世代（１Ｇ）、第２世代（２Ｇ）、２．５Ｇ、２．７５Ｇ、第３世代（３Ｇ）、第４世代（４Ｇ）、４．５Ｇ、第５世代（５Ｇ）の通信プロトコルが挙げられるが、これらに限定されない。
【００３３】
上述したように、端末デバイス１３０は、順方向リンク及び逆方向リンクでの送信を介して、ネットワークデバイス１１０、１２０の一方又は両方と通信することができる。本明細書で使用されるとき、順方向リンク（又はダウンリンク）は、アクセスネットワークから端末への通信リンクを指し、逆方向リンク（又はアップリンク）は、端末からアクセスネットワークへの通信リンクを指す。
【００３４】
通信環境１００によって例示される無線通信システムにおいて、復調参照信号（ＤＭＲＳ：Ｄｅｍｏｄｕｌａｔｉｏｎ Ｒｅｆｅｒｅｎｃｅ Ｓｉｇｎａｌ）は、通信チャネル（例えば、物理ダウンリンク制御チャネル（ＰＤＣＣＨ：Ｐｈｙｓｉｃａｌ Ｄｏｗｎｌｉｎｋ Ｃｏｎｔｒｏｌ Ｃｈａｎｎｅｌ）及び／又は物理ダウンリンク共有チャネル（ＰＤＳＣＨ：Ｐｈｙｓｉｃａｌ Ｄｏｗｎｌｉｎｋ Ｓｈａｒｅｄ Ｃｈａｎｎｅｌ））を介して送信される情報を正確に又はコヒーレントに復号化するために、該通信チャネルに関する変調／復調情報を提供する参照信号の一種であってもよい。
【００３５】
ＤＭＲＳの送信において、ネットワークデバイス１１０、１２０は、送信のために対応するリソース（「ＤＭＲＳリソース」とも呼ばれる）を割り当て、及び／又はどのＤＭＲＳシーケンスが送信されるかを指定してもよい。いくつかのシナリオでは、ネットワークデバイス１１０、１２０及び端末デバイス１３０は、いずれも複数のアンテナポート（又はアンテナエレメント）を備え、アンテナポート（アンテナエレメント）によって、指定されたＲＳシーケンスを送信することができる。
【００３６】
多数のＤＭＲＳポートに関連付けられるＤＭＲＳリソースのセットも指定されてもよい。ＤＭＲＳポートは、ＤＭＲＳシーケンスの一部又は全部から、時間領域、周波数領域、及び／又はコード領域におけるＲＳ送信に対して割り当てられたリソース領域の１つ又は複数のリソース要素（ＲＥ：Ｒｅｓｏｕｒｃｅ Ｅｌｅｍｅｎｔ）への特定のマッピングとも呼ばれる。このようなリソース割り当て情報及び他の必要な情報は、ＤＭＲＳの送信に先立って端末デバイス１３０に示されてもよい。例えば、ＤＭＲＳ構成は、上位レイヤシグナリング（例えば、無線リソース制御（ＲＲＣ：Ｒａｄｉｏ Ｒｅｓｏｕｒｃｅ Ｃｏｎｔｒｏｌ）及び／又は媒体アクセス制御（ＭＡＣ：Ｍｅｄｉｕｍ Ａｃｃｅｓｓ Ｃｏｎｔｒｏｌ）制御要素（ＣＥ：Ｃｏｎｔｒｏｌ Ｅｌｅｍｅｎｔ））、及び／又は動的シグナリング（例えば、ダウンリンク制御情報（ＤＣＩ：Ｄｏｗｎｌｉｎｋ Ｃｏｎｔｒｏｌ Ｉｎｆｏｒｍａｔｉｏｎ））を介して端末デバイスに送信されることができる。
【００３７】
いくつかの実施形態では、疑似コロケーション（ＱＣＬ：ｑｕａｓｉ‐ｃｏ‐ｌｏｃａｔｉｏｎ）タイプは、物理ダウンリンク共有チャネル（ＰＤＳＣＨ及び／又は参照信号に対して構成されてもよい。ＲＳの例として、ダウンリンク又はアップリンク復調参照信号（ＤＭＲＳ）、ＣＳＩ‐ＲＳ、ＳＲＳ、位相トラッキング参照信号（ＰＴＲＳ：Ｐｈａｓｅ Ｔｒａｃｋｉｎｇ Ｒｅｆｅｒｅｎｃｅ Ｓｉｇｎａｌ）、トラッキング参照信号（ＴＲＳ：Ｔｒａｃｋｉｎｇ Ｒｅｆｅｒｅｎｃｅ Ｓｉｇｎａｌ）、微細時間‐周波数トラッキング参照信号（ＴＲＳ）、トラッキング用ＣＳＩ‐ＲＳ、同期信号（ＳＳ：Ｓｙｎｃｈｒｏｎｉｚａｔｉｏｎ Ｓｉｇｎａｌ）／物理放送チャネル（ＰＢＣＨ：Ｐｈｙｓｉｃａｌ Ｂｒｏａｄｃａｓｔ Ｃｈａｎｎｅｌ）ブロック、ＳＳブロック（ＳＳＢ）などが含まれるが、これらに限定されない。例えば、ＱＣＬタイプは、「ＱＣＬ‐ＴｙｐｅＡ」：｛ドップラーシフト、ドップラー広がり、平均遅延、平均広がり｝、「ＱＣＬ‐ＴｙｐｅＢ」：｛ドップラーシフト、ドップラー広がり｝、「ＱＣＬ‐ＴｙｐｅＣ」：｛ドップラーシフト、平均遅延｝、及び「ＱＣＬ‐ＴｙｐｅＤ」：｛空間Ｒｘパラメータ｝のうちの少なくとも１つであってもよい。
【００３８】
図１に示すように、ネットワークデバイス１１０は、ＤＭＲＳ１２５を端末デバイス１３０に送信してもよく、ネットワークデバイス１２０は、ＤＭＲＳ１３５を端末デバイス１３０に送信してもよい。端末デバイス１３０にＤＭＲＳ１２５、１３５を送信するために、ネットワークデバイス１１０、１２０は、それぞれのＤＭＲＳグループ１１２、１２２を有してもよい。ネットワークデバイス１１０は、ＤＭＲＳグループ１１２から、ＤＭＲＳ１２５を送信するためのＤＭＲＳポートを選択してもよく、ネットワークデバイス１２０は、ＤＭＲＳグループ１２２から、ＤＭＲＳ１３５を送信するためのＤＭＲＳポートを選択してもよい。いくつかの実施形態では、ＤＭＲＳグループは、ＤＭＲＳを送信するためのＤＭＲＳポートのグループを指してもよい。１つのＤＭＲＳグループ内のＤＭＲＳポートは、互いに疑似コロケーション化（疑似コロケート(quasi co-located)）（ＱＣＬ）されてもよい。
【００３９】
いくつかの実施形態では、端末デバイスに対してコードワードの数が構成されてもよい。例えば、その数は、１又は２であってもよい。例えば、コードワードの数は、無線リソース制御（ＲＲＣ）及び／又は媒体アクセス制御（ＭＡＣ）及び／又は物理レイヤ（ＰＨＹ：Ｐｈｙｓｉｃａｌ Ｌａｙｅｒ）におけるシグナリングを介して構成されてもよい。
【００４０】
いくつかの実施形態では、ＤＭＲＳ構成のためのパラメータのセットは、端末デバイスに対して構成されてもよい。パラメータのセットは、ＤＭＲＳ用のシンボルの最大数／最大長、ＤＭＲＳのタイプ等のうちの少なくとも１つを含んでもよい。例えば、パラメータのセットは、無線リソース制御（ＲＲＣ）及び／又は媒体アクセス制御（ＭＡＣ）及び／又は物理レイヤ（ＰＨＹ）におけるシグナリングを介して構成されてもよい。
【００４１】
いくつかの実施形態では、ＤＭＲＳ用のシンボルの最大数／最大長（例えば、最大数／最大長はＭである）は、１つのＰＤＳＣＨ送信期間における各ＤＭＲＳ送信状況のためのシンボルの最大数であってもよく、１つのＤＭＲＳ送信状況は、Ｋ個の連続シンボルでのＤＭＲＳ送信であってもよい。例えば、Ｍは１、２、３又は４であってもよい。例えば、Ｋは１、２、３又は４であってもよく、ＫはＭ以下である。いくつかの実施形態では、ＤＭＲＳ用のシンボルの最大数／最大長（例えば、最大数／最大長はＭである）は、前方ＤＭＲＳ（ｆｒｏｎｔ−ｌｏａｄｅｄ  ＤＭＲＳ）用のシンボルの最大数であってもよく、ここで、前方ＤＭＲＳは、１つのＰＤＳＣＨ送信期間におけるＫ個の連続シンボルでの最初のＤＭＲＳ送信状況である。例えば、Ｍは、１、２、３又は４であってもよい。例えば、Ｋは、１、２、３又は４であってもよく、ＫはＭ以下である。
【００４２】
いくつかの実施形態では、ＤＭＲＳのタイプは、時間領域及び／又は周波数領域におけるＤＭＲＳ構成のパターンであってもよい。端末デバイスに対して最大２つのタイプのＤＭＲＳ（例えば、ＤＭＲＳタイプ１及び／又はＤＭＲＳタイプ２）が構成されることができる。いくつかの実施形態では、ＤＭＲＳタイプ１は、（例えば、ＤＭＲＳの最大数／最大長が２である場合）最大８個のＤＭＲＳポートを含むことができる。ＤＭＲＳポートは、ＦＤＭ（Ｆｒｅｑｕｅｎｃｙ Ｄｏｍａｉｎ Ｍｕｌｔｉｐｌｅｘｉｎｇ、周波数領域多重化）、周波数領域におけるＣＤＭ（Ｃｏｄｅ Ｄｏｍａｉｎ Ｍｕｌｔｉｐｌｅｘｉｎｇ、コード領域多重化）、及び時間領域におけるＣＤＭのうちの少なくとも１つで多重化される。いくつかの実施形態では、ＤＭＲＳタイプ１は、（例えば、ＤＭＲＳの最大数／最大長が１である場合）最大４個のＤＭＲＳポートを含むことができる。ＤＭＲＳポートは、ＦＤＭ及び周波数領域におけるＣＤＭのうちの少なくとも１つで多重化される。
【００４３】
いくつかの実施形態では、ＤＭＲＳタイプ２は、（例えば、ＤＭＲＳの最大数／最大長が２である場合）最大１２個のＤＭＲＳポートを含むことができる。ＤＭＲＳポートは、ＦＤＭ（周波数領域多重化）、周波数領域におけるＣＤＭ（コード領域多重化）、及び時間領域におけるＣＤＭのうちの少なくとも１つで多重化される。いくつかの実施形態では、ＤＭＲＳタイプ２は、（例えば、ＤＭＲＳの最大数／最大長が１である場合）最大６個のＤＭＲＳポートを含むことができる。ＤＭＲＳポートは、ＦＤＭ及び周波数領域におけるＣＤＭのうちの少なくとも１つで多重化される。
【００４４】
いくつかの実施形態では、ＤＭＲＳポートが時間領域及び／又は周波数領域におけるＣＤＭのみで多重化される場合、ＤＭＲＳポートは、｛ドップラーシフト、ドップラー広がり、平均遅延、平均広がり、空間Ｒｘパラメータ｝及び／又は平均利得に関して互いにＱＣＬ化される。代替的に、ＤＭＲＳポートは、ＱＣＬ‐ＴｙｐｅＡ及びＱＣＬ‐ＴｙｐｅＤ、及び／又は平均利得に関して互いにＱＣＬ化される。
【００４５】
いくつかの実施形態では、Ｇ個のＤＭＲＳグループが端末デバイスに対して構成されてもよい。例えば、Ｇは、１、２、３又は４であってもよい。例えば、Ｇ個のＤＭＲＳグループは、無線リソース制御（ＲＲＣ）及び／又は媒体アクセス制御（ＭＡＣ）及び／又は物理レイヤ（ＰＨＹ）におけるシグナリングを介して構成されてもよい。いくつかの実施形態では、ダウンリンク送信をスケジューリングするＤＣＩにおいて、各ＤＭＲＳグループに対して１つのＴＣＩ状態が構成されるべきである。即ち、１つのＤＣＩにおいて、最大Ｇ個のＴＣＩ状態が構成されるべきである。例えば、Ｇ個のＴＣＩ状態は、同じであってもよいし、異なってもよい。
【００４６】
いくつかの実施形態では、異なるＤＭＲＳグループ内のＤＭＲＳポートは、ＦＤＭ及び／又はＴＤＭ（時間領域多重化）で多重化されるべきである。いくつかの実施形態では、ＤＭＲＳタイプ１の場合、最大８個のＤＭＲＳポートは｛０，１，２，３，４，５，６，７｝であってもよい。ＤＭＲＳポート｛０，１，４，５｝は、周波数領域におけるＣＤＭ及び／又は時間領域におけるＣＤＭで多重化されており、｛ドップラーシフト、ドップラー広がり、平均遅延、平均広がり、空間Ｒｘパラメータ｝及び／又は平均利得に関して互いにＱＣＬ化されるべきであり、且つ、１つのＤＭＲＳグループ内にあるべきである。ＤＭＲＳポート｛２，３，６，７｝は、周波数領域におけるＣＤＭ及び／又は時間領域におけるＣＤＭで多重化されており、｛ドップラーシフト、ドップラー広がり、平均遅延、平均広がり、空間Ｒｘパラメータ｝及び／又は平均利得に関して互いにＱＣＬ化されるべきであり、且つ、１つのＤＭＲＳグループ内にあるべきである。
【００４７】
いくつかの実施形態では、ＤＭＲＳポートのグループ化の例として、３ＧＰＰ仕様書で定義されているＤＭＲＳタイプ１の場合、最大２つのＤＭＲＳグループ（ＤＭＲＳグループＧ１及び／又はＤＭＲＳグループＧ２）が構成されてもよい。例えば、２つのＤＭＲＳグループが構成されている場合、ＤＭＲＳグループＧ１は｛０，１，４，５｝からの少なくとも１つのＤＭＲＳポートを含んでもよく、ＤＭＲＳグループＧ２は｛２，３，６，７｝からの少なくとも１つのＤＭＲＳポートを含んでもよい。別の例では、１つのＤＭＲＳグループのみが構成されている場合、１つのＤＭＲＳグループＧ１又はＤＭＲＳグループＧ２のみが存在し、ＤＭＲＳグループＧ１又はＤＭＲＳグループＧ２は、｛０，１，２，３，４，５，６，７｝からの少なくとも１つのＤＭＲＳポートを含んでもよい。
【００４８】
いくつかの実施形態では、異なるＤＭＲＳグループ内のＤＭＲＳポートは、ＦＤＭ及び／又はＴＤＭ（時間領域多重化）で多重化されるべきである。いくつかの実施形態では、ＤＭＲＳタイプ２の場合、最大１２個のＤＭＲＳポートは｛０，１，２，３，４，５，６，７，８，９，１０，１１｝であってもよい。ＤＭＲＳポート｛０，１，６，７｝は、周波数領域におけるＣＤＭ及び／又は時間領域におけるＣＤＭで多重化されており、｛ドップラーシフト、ドップラー広がり、平均遅延、平均広がり、空間Ｒｘパラメータ｝及び／又は平均利得に関して互いにＱＣＬ化されるべきであり、且つ、１つのＤＭＲＳグループ内にあるべきである。ＤＭＲＳポート｛２，３，８，９｝は、周波数領域におけるＣＤＭ及び／又は時間領域におけるＣＤＭで多重化されており、｛ドップラーシフト、ドップラー広がり、平均遅延、平均広がり、空間Ｒｘパラメータ｝及び／又は平均利得に関して互いにＱＣＬ化されるべきであり、且つ、１つのＤＭＲＳグループ内にあるべきである。ＤＭＲＳポート｛４，５，１０，１１｝は、周波数領域におけるＣＤＭ及び／又は時間領域におけるＣＤＭで多重化されており、｛ドップラーシフト、ドップラー広がり、平均遅延、平均広がり、空間Ｒｘパラメータ｝及び／又は平均利得に関して互いにＱＣＬ化されるべきであり、且つ、１つのＤＭＲＳグループ内にあるべきである。
【００４９】
いくつかの実施形態では、ＤＭＲＳポートのグループ化の例として、３ＧＰＰ仕様書で定義されているＤＭＲＳタイプ２の場合、最大２つのＤＭＲＳグループ（ＤＭＲＳグループＧ１及び／又はＤＭＲＳグループＧ２）が構成されてもよい。例えば、２つのＤＭＲＳグループが構成されている場合、ＤＭＲＳグループＧ１は、｛０，１，６，７，４，５，１０，１１｝からの少なくとも１つのＤＭＲＳポートを含んでもよく、ＤＭＲＳグループＧ２は、｛２，３，８，９｝からの少なくとも１つのＤＭＲＳポートを含んでもよい。別の例では、２つのＤＭＲＳグループが構成されている場合、ＤＭＲＳグループＧ１は｛０，１，６，７｝からの少なくとも１つのＤＭＲＳポートを含んでもよく、ＤＭＲＳグループＧ２は｛２，３，８，９，４，５，１０，１１｝からの少なくとも１つのＤＭＲＳポートを含んでもよい。別の例では、２つのＤＭＲＳグループが構成されている場合、ＤＭＲＳグループＧ１は｛０，１，６，７，２，３，８，９｝からの少なくとも１つのＤＭＲＳポートを含んでもよく、ＤＭＲＳグループＧ２は｛４，５，１０，１１｝からの少なくとも１つのＤＭＲＳポートを含んでもよい。別の例では、１つのＤＭＲＳグループのみが構成されている場合、１つのＤＭＲＳグループＧ１又はＤＭＲＳグループＧ２のみが存在し、ＤＭＲＳグループＧ１又はＤＭＲＳグループＧ２は、｛０，１，２，３，４，５，６，７，８，９，１０，１１｝からの少なくとも１つのＤＭＲＳポートを含んでもよい。
【００５０】
いくつかの実施形態では、ＤＭＲＳポートのグループ化の例として、３ＧＰＰ仕様書で定義されているＤＭＲＳタイプ２の場合、３つのＤＭＲＳグループ（ＤＭＲＳグループＧ１、ＤＭＲＳグループＧ２、及びＤＭＲＳグループＧ３）が構成されてもよい。例えば、３つのＤＭＲＳグループが構成されている場合、ＤＭＲＳグループＧ１は、｛０，１，６，７｝からの少なくとも１つのＤＭＲＳポートを含んでもよく、ＤＭＲＳグループＧ２は、｛２，３，８，９｝からの少なくとも１つのＤＭＲＳポートを含んでもよく、ＤＭＲＳグループＧ３は、｛４，５，１０，１１｝からの少なくとも１つのＤＭＲＳポートを含んでもよい。
【００５１】
いくつかの実施形態では、３ＧＰＰ仕様書で定義されているＤＭＲＳタイプ１又はＤＭＲＳタイプ２の場合、２つのＤＭＲＳグループ（ＤＭＲＳグループＧ１及び／又はＤＭＲＳグループＧ２）が構成される。いくつかの実施形態では、ＤＭＲＳグループＧ１からのＤＭＲＳポート及びＤＭＲＳグループＧ２からのＤＭＲＳポートは、ＱＣＬ‐ＴｙｐｅＢに関して、又は｛ドップラーシフト、ドップラースプレッド｝に関して、互いにＱＣＬ化されてもよい。いくつかの実施形態では、ＤＭＲＳグループＧ１からのＤＭＲＳポート及びＤＭＲＳグループＧ２からのＤＭＲＳポートは、ＱＣＬ‐ＴｙｐｅＡ、ＱＣＬ‐ＴｙｐｅＢ、ＱＣＬ‐ＴｙｐｅＣ及びＱＣＬ‐ＴｙｐｅＤのうちのいずれに関しても、互いにＱＣＬ化されなくてもよい。いくつかの実施形態では、ＤＭＲＳグループＧ１からのＤＭＲＳポート及びＤＭＲＳグループＧ２からのＤＭＲＳポートは、｛ドップラーシフト、ドップラー広がり、平均遅延、平均広がり、空間Ｒｘパラメータ｝及び／又は平均利得に関して互いにＱＣＬ化されてもよい。代替的に、ＤＭＲＳグループＧ１からのＤＭＲＳポート及びＤＭＲＳグループＧ２からのＤＭＲＳポートは、ＱＣＬ‐Ｔｙｐｅ Ａ及びＱＣＬ‐Ｔｙｐｅ Ｄに関して互いにＱＣＬ化されてもよい。
【００５２】
現在の仕様書では、ダウンリンク制御情報（ＤＣＩ）にＴＣＩフィールドがあってもよく、端末デバイスはＴＣＩ状態で構成されてもよく、ＴＣＩ状態は、１つ又は２つのダウンリンク参照信号とＰＤＳＣＨのＤＭＲＳポートとの間のＱＣＬ関係を構成するためのパラメータを含んでもよい。端末デバイスは、ＤＭＲＳタイプ及び／又はＤＭＲＳの最大数／最大長及び／又はコードワードの数で構成されてもよい。端末デバイスは所与のＤＭＲＳタイプ、所与のＤＭＲＳの最大数／最大長の値、及び所与のコードワードの数の値で構成されている場合、アンテナポート、データのないＤＭＲＳ ＣＤＭグループの数、前方ＤＭＲＳシンボルの数、ＤＭＲＳポートの数、及びＤＭＲＳポートのインデックスのうちの少なくとも１つを示すための１つの対応するテーブルが存在する。
【００５３】
異なるＤＭＲＳのタイプ及び／又は異なるＤＭＲＳの最大数／最大長の値及び／又は異なるコードワードの数については、対応するテーブルは異なってもよい。ここで、テーブルは、アンテナポート、データのないＤＭＲＳ ＣＤＭグループの数、前方ＤＭＲＳシンボルの数、ＤＭＲＳポートの数、及びＤＭＲＳポートのインデックスのうちの少なくとも１つを示すために構成される。所与の対応するテーブル、所与のコードワードの数、及びテーブル内の異なる値／インデックスについては、データのないＤＭＲＳ ＣＤＭグループの数、前方ＤＭＲＳシンボルの数、ＤＭＲＳポートの数、及びＤＭＲＳポートのインデックスのうちの少なくとも１つが異なっている。
【００５４】
いくつかの実施形態では、１つよりも多い（例えば、２つの）ＤＭＲＳグループが端末デバイスに対して構成されている場合、端末デバイスに対して、１つのＤＣＩにおいて、１つ又は２つのＴＣＩ状態が構成されてもよい。いくつかの実施形態では、１つのＤＣＩ内のＴＣＩ状態の数は、２つのＤＭＲＳグループからのＤＭＲＳポート間のＱＣＬ関係に依存する。例えば、２つのＤＭＲＳグループからのＤＭＲＳポートが、ＱＣＬ‐ＴｙｐｅＡ、ＱＣＬ‐ＴｙｐｅＢ、ＱＣＬ‐ＴｙｐｅＣ、及びＱＣＬ‐ＴｙｐｅＤのうちの少なくとも１つに関して互いにＱＣＬ化されていない場合、１つのＤＣＩ内のＴＣＩ状態の数は、２であってもよい。別の例では、２つのＤＭＲＳグループからのＤＭＲＳポートが、｛ドップラーシフト、ドップラー広がり、平均遅延、平均広がり、空間Ｒｘパラメータ｝及び／又は平均利得に関して互いにＱＣＬ化されている場合、１つのＤＣＩ内のＴＣＩ状態の数は、１であってもよい。
【００５５】
いくつかの実施形態では、１つのＤＣＩ内のＴＣＩ状態の数は、ＤＭＲＳポートの数に依存する。例えば、ＤＭＲＳポートの数が２である場合、１つのＤＣＩ内のＴＣＩ状態の数は２であってもよい。例えば、１つのＤＣＩ内の２つのＴＣＩ状態は、同じであってもよいし、互いに異なってもよい。別の例として、ＤＭＲＳポートの数が１である場合、１つのＤＣＩ内のＴＣＩ状態の数は１であってもよい。
【００５６】
いくつかの実施形態では、端末デバイスは、ＤＭＲＳタイプ及び／又はＤＭＲＳの最大数／最大長及び／又はコードワードの数で構成されてもよい。端末デバイスが、所与のＤＭＲＳタイプ、所与のＤＭＲＳの最大数／最大長の値、及び所与のコードワードの数で構成されている場合、対応するテーブルは、１つのＤＣＩ内のＴＣＩ状態の異なる数に基づいて異なってもよい。ここで、テーブルは、アンテナポート、データのないＤＭＲＳ ＣＤＭグループの数、前方ＤＭＲＳシンボルの数、ＤＭＲＳポートの数、及びＤＭＲＳポートのインデックスのうちの少なくとも１つを示すために構成される。
【００５７】
例えば、１つのＤＣＩ内のＴＣＩ状態の数が１である場合、所与のＤＭＲＳタイプ、所与のＤＭＲＳの最大数／最大長の値、及び所与のコードワードの数について、アンテナポート、データのないＤＭＲＳ ＣＤＭグループの数、前方ＤＭＲＳシンボルの数、ＤＭＲＳポートの数、及びＤＭＲＳポートのインデックスのうちの少なくとも１つを示すための対応するテーブルは、テーブルＰであってもよい。例えば、テーブルＰは、現在の３ＧＰＰ仕様書で定義されている通りである。別の例として、１つのＤＣＩ内のＴＣＩ状態の数が２である場合、所与のＤＭＲＳタイプ、所与のＤＭＲＳの最大数／最大長の値、及び所与のコードワードの数について、アンテナポート、データのないＤＭＲＳ ＣＤＭグループの数、前方ＤＭＲＳシンボルの数、ＤＭＲＳポートの数、及びＤＭＲＳポートのインデックスのうちの少なくとも１つを示すための対応するテーブルは、テーブルＱであってもよい。
【００５８】
いくつかの実施形態では、テーブルＰ及びテーブルＱ用の値の数は異なってもよい。いくつかの実施形態では、テーブルＰ及びテーブルＱの構成用のビット数は異なってもよい。いくつかの実施形態では、所与のデータのないＤＭＲＳ ＣＤＭグループの数の値、所与のＤＭＲＳポートの数、所与のＤＭＲＳポートのインデックス、及び／又は所与の前方ＤＭＲＳシンボルの数の値について、テーブルＰには１つの指示しかない。いくつかの実施形態では、所与のデータのないＤＭＲＳ ＣＤＭグループの数の値、所与のＤＭＲＳポートの数、所与のＤＭＲＳポートのインデックス、及び／又は所与の前方ＤＭＲＳシンボルの数の値について、テーブルＱには１つよりも多い指示が存在する。
【００５９】
例えば、この１つよりも多い指示は、異なるＴＣＩ状態を示してもよい。いくつかの実施形態では、テーブルＰ内に少なくとも１つのインデックスが存在してもよい。ここで、テーブルＰ内の少なくとも１つのインデックスで示されるアンテナポート、データのないＤＭＲＳ ＣＤＭグループの数、前方ＤＭＲＳシンボルの数、ＤＭＲＳポートの数、ＤＭＲＳポートのインデックスの指示のうちの少なくとも１つは、テーブルＱ内のいずれかのインデックスで示されるアンテナポート、データのないＤＭＲＳ ＣＤＭグループの数、前方ＤＭＲＳシンボルの数、ＤＭＲＳポートの数、ＤＭＲＳポートのインデックスの指示（indication）のうちの少なくとも１つとは異なっている。
【００６０】
いくつかの実施形態では、端末デバイスは、ＤＭＲＳタイプ、及び／又はＤＭＲＳの最大数／最大長、及び／又はコードワードの数で構成されてもよい。端末デバイスは、１つのＤＣＩ内の２つのＴＣＩ状態で構成されてもよい。端末デバイスは所与のＤＭＲＳタイプ、所与のＤＭＲＳの最大数／最大長の値、及び所与のコードワードの数で構成されている場合、対応するテーブルは、１つのＤＣＩ内の２つのＴＣＩ状態の値に基づいて異なってもよい。ここで、このテーブルは、アンテナポート、データのないＤＭＲＳ ＣＤＭグループの数、前方ＤＭＲＳシンボルの数、ＤＭＲＳポートの数、及びＤＭＲＳポートのインデックスのうちの少なくとも１つを示すために構成されている。
【００６１】
いくつかの実施形態では、１つのＤＣＩ内の２つのＴＣＩ状態が同じである場合、所与のＤＭＲＳタイプ、所与のＤＭＲＳの最大数／最大長の値、及び所与のコードワードの数について、アンテナポート、データのないＤＭＲＳ ＣＤＭグループの数、前方ＤＭＲＳシンボルの数、ＤＭＲＳポートの数、及びＤＭＲＳポートのインデックスのうちの少なくとも１つを示すための対応するテーブルは、テーブルＰであってもよい。例えば、テーブルＰは、現在の３ＧＰＰ仕様書で定義されている通りである。いくつかの実施形態では、１つのＤＣＩ内の２つのＴＣＩ状態が異なる場合、所与のＤＭＲＳタイプ、所与のＤＭＲＳの最大数／最大長の値、及び所与のコードワードの数について、アンテナポート、データのないＤＭＲＳ ＣＤＭグループの数、前方ＤＭＲＳシンボルの数、ＤＭＲＳポートの数、及びＤＭＲＳポートのインデックスのうちの少なくとも１つを示すための対応するテーブルは、テーブルＱであってもよい。
【００６２】
いくつかの実施形態では、テーブルＰとテーブルＱ用の値の数は異なってもよい。いくつかの実施形態では、テーブルＰとテーブルＱの構成用のビット数は異なってもよい。いくつかの実施形態では、テーブルＰ内に少なくとも１つのインデックスが存在してもよい。ここで、テーブルＰ内の当該少なくとも１つのインデックスで示されるアンテナポート、データのないＤＭＲＳ ＣＤＭグループの数、前方ＤＭＲＳシンボルの数、ＤＭＲＳポートの数、ＤＭＲＳポートのインデックスの指示のうちの少なくとも１つは、テーブルＱ内のいずれかのインデックスで示されるアンテナポート、データのないＤＭＲＳ ＣＤＭグループの数、前方ＤＭＲＳシンボルの数、ＤＭＲＳポートの数、ＤＭＲＳポートのインデックスの指示のうちの少なくとも１つとは異なっている。
【００６３】
いくつかの実施形態では、２つのＴＣＩ状態（例えば、ＴＣＩ状態＃１及びＴＣＩ状態＃２）が１つのＤＣＩに構成され、且つ２つのＴＣＩ状態が異なる場合、所与のＤＭＲＳタイプ、所与のＤＭＲＳの最大数／最大長の値、及び所与のコードワードの数について、アンテナポート、データのないＤＭＲＳ ＣＤＭグループの数、前方ＤＭＲＳシンボルの数、ＤＭＲＳポートの数、及びＤＭＲＳポートのインデックスのうちの少なくとも１つを示すための対応するテーブルは、テーブルＱであってもよい。いくつかの実施形態では、ＴＣＩ状態＃１は、ＤＭＲＳグループＧ１に対して構成される。ＴＣＩ状態＃２は、ＤＭＲＳグループＧ２に対して構成される。
【００６４】
いくつかの実施形態では、テーブルＱにおけるデータのないＤＭＲＳ ＣＤＭグループの数、前方ＤＭＲＳシンボルの数、ＤＭＲＳポートの数、及びＤＭＲＳポートのインデックスのうちの少なくとも１つの構成は、いくつかの制限を有してもよい。いくつかの実施形態では、テーブルＱにおける各指示／インデックス／値によって示されるＤＭＲＳポートの数は、２以上であってもよい。いくつかの実施形態では、テーブルＱにおける各指示／インデックス／値によって示されるＤＭＲＳポートは、異なるＤＭＲＳグループに含まれるべきである。いくつかの実施形態では、テーブルＱにおける各指示／インデックス／値について、当該指示／インデックス／値に対して構成されるＲ個のＤＭＲＳポートが存在してもよい。Ｒ個の指示のＤＭＲＳポート内では、少なくとも２つのＤＭＲＳポートがＦＤＭで多重化されるべきである。いくつかの実施形態では、テーブルＱにおける１つの指示／インデックス／値に対するＤＭＲＳポートの数が１である場合、このＤＭＲＳポートには第１のＴＣＩ状態のみが使用される。即ち、第２のＴＣＩ状態は無視される。
【００６５】
ＤＭＲＳポートのグループ化の例として、３ＧＰＰ仕様書で定義されているＤＭＲＳタイプ１の場合、１つのＤＭＲＳグループはＤＭＲＳポート｛０，１，４，５｝を含んでもよく、別のＤＭＲＳグループはＤＭＲＳポート｛２，３，６，７｝を含んでもよい。ＤＭＲＳポートのグループ化の別の例として、３ＧＰＰ仕様書で定義されているＤＭＲＳタイプ２の場合、１つのＤＭＲＳグループはＤＭＲＳポート｛０，１，６，７｝を含んでもよく、別のＤＭＲＳグループはＤＭＲＳポート｛２，３，８，９｝を含んでもよく、ＤＭＲＳポート｛４，５，１０，１１｝は、１つのグループにしか追加できない。
【００６６】
即ち、ＤＭＲＳポート｛４，５，１０，１１｝が前者のＤＭＲＳグループに追加された場合、第１のＤＭＲＳグループはＤＭＲＳポート｛０，１，６，７，４，５，１０，１１｝を含み、別のＤＭＲＳグループはＤＭＲＳポート｛２，３，８，９｝を含むことになる。ＤＭＲＳポート｛４，５，１０，１１｝が後者のＤＭＲＳグループに追加された場合、第１のＤＭＲＳグループはＤＭＲＳポート｛０，１，６，７｝を含み、別のＤＭＲＳグループはＤＭＲＳポート｛２，３，８，９，４，５，１０，１１｝を含むことになる。
【００６７】
さらに、ＤＭＲＳグループ１１２、１２２は、それぞれのＴＣＩ（Ｔｒａｎｓｍｉｓｓｉｏｎ Ｃｏｎｆｉｇｕｒａｔｉｏｎ Ｉｎｄｉｃａｔｉｏｎ）状態１１４、１２４を有してもよい。以下では、ＴＣＩ状態１１４、１２４は、それぞれのＴＣＩフィールドによって示される場合、ＴＣＩフィールド１１４、１２４と呼ばれることもある。一般的に、ＴＣＩ状態は、１つのＲＳセット内のＤＬ ＲＳとＰＤＳＣＨ ＤＭＲＳポートとの間のＱＣＬ関係を含む送信構成を示す。本明細書で使用されるとき、ＴＣＩ状態１１４、１２４の可能なＴＣＩ状態は、ＴＣＩ状態Ａ〜Ｇのような大文字で表されてもよい。
【００６８】
３ＧＰＰ仕様書で規定されているように、ＵＥは、ＰＤＳＣＨをスケジューリングするＣＯＲＥＳＥＴに対して、「有効」に設定された上位層パラメータｔｃｉ‐ＰｒｅｓｅｎｔＩｎＤＣＩで構成されている場合、ＣＯＲＥＳＥＴで送信されるＰＤＣＣＨのＤＣＩフォーマット１＿１にＴＣＩフィールドが存在すると仮定する。ｔｃｉ‐ＰｒｅｓｅｎｔＩｎＤＣＩが、ＰＤＳＣＨをスケジューリングするＣＯＲＥＳＥＴに対して構成されていない場合、又はＰＤＳＣＨがＤＣＩフォーマット１＿０でスケジューリングされる場合、ＰＤＳＣＨアンテナポートの疑似コロケーションを決定するために、ＵＥは、ＰＤＳＣＨのＴＣＩ状態が、ＰＤＣＣＨ送信に使用されるＣＯＲＥＳＥＴに適用されるＴＣＩ状態と同一であると仮定する。
【００６９】
ｔｃｉ‐ＰｒｅｓｅｎｔＩｎＤＣＩが「有効」に設定されている場合、ＰＤＳＣＨがＤＣＩフォーマット１＿１でスケジューリングされているとき、ＰＤＳＣＨアンテナポートの疑似コロケーションを決定するために、ＵＥは、ＤＣＩによって検出されたＰＤＣＣＨにおける「送信構成指示（Ｔｒａｎｓｍｉｓｓｉｏｎ Ｃｏｎｆｉｇｕｒａｔｉｏｎ Ｉｎｄｉｃａｔｉｏｎ）」フィールドの値に応じたＴＣＩ状態を使用する。ＵＥは、ＤＬ ＤＣＩの受信と対応するＰＤＳＣＨの受信との間の時間オフセットが閾値Ｔｈｒｅｓｈｏｌｄ‐Ｓｃｈｅｄ‐Ｏｆｆｓｅｔ（ここで、閾値は報告されたＵＥ能力に基づくものである）以上である場合、サービングセルのＰＤＳＣＨのＤＭＲＳポートとＴＣＩ状態におけるＲＳとは、示されたＴＣＩ状態によって与えられるＱＣＬタイプパラメータに関して疑似コロケーション化される（疑似コロケーションされる）と仮定してもよい。
【００７０】
言い換えれば、端末デバイス１３０がネットワークデバイス１１０によって送信されるＤＭＲＳ１２５を正常に受信するために、ネットワークデバイス１１０がＤＭＲＳ１２５を送信するために選択されたＤＭＲＳポートと、ＤＭＲＳグループ１１２に対するＴＣＩ状態１１４とを端末デバイス１３０に通知する必要がある。一般的に、ネットワークデバイス１１０は、例えばＰＤＣＣＨで運ばれることができるダウンリンク制御情報（ＤＣＩ：Ｄｏｗｎｌｉｎｋ Ｃｏｎｔｒｏｌ Ｉｎｆｏｒｍａｔｉｏｎ）１１５において、選択されたＤＭＲＳポート及びＴＣＩ状態１１４を端末デバイス１３０に示してもよい。
【００７１】
より具体的には、ＰＤＣＣＨは、例えば、ＵＬ又はＤＬにおけるリソース割り当てを端末デバイスに示すためにＤＣＩを運ぶ。ＤＣＩは、様々な情報を伝えることができるが、有用な内容は、システムの配置や運用の具体的なケースに依存する。上述したように、ＤＣＩフォーマット１＿１は、ＴＣＩのフィールドを含み、上位層パラメータｔｃｉ‐ＰｒｅｓｓｅｎｔＩｎＤＣＩが有効でない場合、ＴＣＩのフィールドが０ビットであり、他の場合、ＴＣＩのフィールドが３ビットである。また、ＤＣＩフォーマット１＿１は、ネットワークデバイスが使用するＤＭＲＳポートを示す、４ビット、５ビット又は６ビットのアンテナポートのフィールドを含む。以下のテーブルＩ‐Ａは、ＤＭＲＳタイプ１のアンテナポートのフィールドの例を示し、ＤＭＲＳの最大数／最大長は２である。ビット数は５ビットである。
【表１】
2021533643.tif 000003
以下のテーブルＩ‐Ｂは、ＤＭＲＳタイプ１のアンテナポートのフィールドの例を示し、ＤＭＲＳの最大数／最大長は１である。ビット数は４ビットである。
【表２】
2021533643.tif 000004
以下のテーブルＩ‐Ｃは、ＤＭＲＳタイプ２のアンテナポートのフィールドの例を示し、ＤＭＲＳの最大数／最大長は１である。ビット数は５ビットである。
【表３】
2021533643.tif 000005
以下のテーブルＩ‐Ｄは、ＤＭＲＳタイプ２のアンテナポートのフィールドの例を示し、ＤＭＲＳの最大数／最大長は２である。ビット数は６ビットである。
【表４】
2021533643.tif 000006
【表５】
2021533643.tif 000007
【００７２】
例えば、テーブルＩ‐Ａについて、アンテナポートのフィールドの値が５である場合、選択されたＤＭＲＳポートはＤＭＲＳポート２であり、アンテナポートのフィールドの値が１０である場合、選択されたＤＭＲＳポートはＤＭＲＳポート０〜３であり、アンテナポートのフィールドの値が２８である場合、選択されたＤＭＲＳポートはＤＭＲＳポート０、１、４、５である。
【００７３】
即ち、端末デバイスは、ネットワークデバイスによって送信されるＤＣＩにおけるアンテナポートのフィールドからＤＭＲＳのＤＭＲＳポートを決定し、ＴＣＩのフィールド（存在する場合は３ビット）からＴＣＩ状態を決定してもよい。従来のソリューションでは、１つのＤＭＲＳグループに対して、１つの３ビットのＴＣＩフィールドと、１つの構成可能なＤＭＲＳ指示フィールドしか存在しておらず、例えばマルチＴＲＰ通信に対して複数のＤＭＲＳグループが導入されると、より多くのＴＣＩフィールドが必要となる。例えば、図１に示されるような通信環境１００では、ネットワークデバイス１１０、１２０の両方に対して、選択されたＤＭＲＳポート及びＴＣＩ状態１１４、１２４を示すために、ＤＣＩ１１５を拡張する必要がある。上記の技術問題及び従来のソリューションにおける潜在的な他の技術問題を解決するために、本開示の実施形態は、マルチＴＲＰ通信のための方法、デバイス、及びコンピュータ読み取り可能な媒体を提供する。本開示の実施形態は、低減されたオーバーヘッドを有するマルチＴＲＰ通信のソリューションを提供する。
【００７４】
本開示の原理及び実施形態について、図２を参照して以下に詳細に説明する。図２は、本開示のいくつかの実施形態にかかるネットワークデバイスと端末デバイスとの間の通信のプロセス２００を例示するフローチャートを示す。説明の目的のために、プロセス２００について、図１を参照して説明する。いくつかの実施形態では、プロセス２００は、図１のネットワークデバイス１１０、１２０及び端末デバイス１３０に関連する。
【００７５】
以下、一般性を損なうことなく、また説明を容易にするために、２つのネットワークデバイス又は２つのＴＲＰ又は２つのパネル１１０、１２０に関連するシナリオに関して例示的な実施形態を説明する。本開示の実施形態は、３つ以上のネットワークデバイスに関連する他のシナリオにも適用され得ることを理解されたい。さらに、以下の例示的な実施形態は、ネットワークデバイス１１０が関連する指示を端末デバイス１３０に送信するものとして説明されるが、これらの指示は、他の実施形態でネットワークデバイス１２０、又はネットワークデバイス１１０、１２０の両方によって送信されてもよい。
【００７６】
図２に示すように、ネットワークデバイス又はＴＲＰ又はパネル１１０は、ＴＣＩ状態１１４、１２４を決定する（２０５）。例えば、ネットワークデバイス又はＴＲＰ又はパネル１１０、１２０は、それぞれ、各自のＤＭＲＳグループ１１２、１２２に対してＴＣＩ状態１１４、１２４を決定してもよい。この場合、ネットワークデバイス又はＴＲＰ又はパネル１２０は、例えば通信リンク１５５を介して、ＴＣＩ状態１２４をネットワークデバイス１１０に通知してもよい。より一般的には、端末デバイス１３０と通信する複数のネットワークデバイスのそれぞれのＤＭＲＳグループに対するＴＣＩ状態は、複数のネットワークデバイスのいずれかによって決定されてもよい。いくつかの他の実施形態では、複数のネットワークデバイスは、ＤＭＲＳグループに対するＴＣＩ状態を決定するとともに、これらの決定されたＴＣＩ状態をネットワークデバイス１１０に通知する共通の制御エンティティを有してもよい。
【００７７】
さらに、ネットワークデバイス又はＴＲＰ又はパネル１１０は、ネットワークデバイス又はＴＲＰ又はパネル１１０、１２０がＤＭＲＳを端末デバイス１３０に送信するためのＤＭＲＳポートをさらに決定する（２０５）。例えば、ネットワークデバイス又はＴＲＰ又はパネル１１０、１２０は、それぞれ、各自のＤＭＲＳを送信するために選択されたＤＭＲＳポートを決定してもよい。この場合、ネットワークデバイス又はＴＲＰ又はパネル１２０は、ネットワークデバイス又はＴＲＰ又はパネル１２０によって選択されたＤＭＲＳポートについて、例えば通信リンク１５５を介してネットワークデバイス又はＴＲＰ又はパネル１１０に通知してもよい。
【００７８】
より一般的には、端末デバイス１３０と通信する複数のネットワークデバイス又はＴＲＰ又はパネルのＤＭＲＳポートは、複数のネットワークデバイス又はＴＲＰ又はパネルのいずれかによって決定されてもよい。いくつかの他の実施形態では、複数のネットワークデバイス又はＴＲＰ又はパネルは、複数のネットワークデバイス又はＴＲＰ又はパネルのＤＭＲＳポートを決定するとともに、これらの決定されたＤＭＲＳポートをネットワークデバイス又はＴＲＰ又はパネル１１０に通知する共通の制御エンティティを有してもよい。
【００７９】
ネットワークデバイス又はＴＲＰ又はパネル１１０は、ＴＣＩ状態１１４、１２４及びネットワークデバイス又はＴＲＰ又はパネル１１０、１２０の選択されたＤＭＲＳポートを示すＤＣＩ１１５を生成する（２１０）。言い換えれば、従来のソリューションとは異なり、ＤＣＩ１１５によって示されるＴＣＩ状態及びＤＭＲＳポートは、それぞれ、複数のネットワークデバイス又はＴＲＰ又はパネル１１０、１２０に対応する複数のＤＭＲＳグループ１１２、１２２に対するものである。前述したように、現在の３ＧＰＰ仕様書では、ＤＣＩ（例えば、ＤＣＩフォーマット１＿１）内の３ビットのＴＣＩフィールド１つのみがサポートされている。２つ以上のＤＭＲＳグループ（例えば、ＤＭＲＳグループ１１２、１２２）が導入される場合、２つ以上の対応するＴＣＩフィールドが必要となる。しかし、それぞれ３ビットを有するＴＣＩフィールドをより多く、直接に増加させると、シグナリングオーバーヘッドがやや大きくなる可能性がある。
【００８０】
いくつかの実施形態では、端末デバイスは１つのＤＣＩ内に２つのＴＣＩ状態で構成されている場合、ＤＣＩに２つのＴＣＩフィールドが存在してもよい。ＴＣＩがＤＣＩ内に存在するように構成される場合、各ＴＣＩフィールドは３ビットを含む。
【００８１】
ネットワークデバイス又はＴＲＰ又はパネル１１０、１２０のＴＣＩ状態１１４、１２４及びＤＭＲＳポートを示すためのシグナリングオーバーヘッドを低減するために、ネットワークデバイス又はＴＲＰ又はパネル１１０は、ＤＣＩ１１５でＴＣＩ状態１１４を示すとともに、ＴＣＩ状態１２４がＴＣＩ状態１１４と同一であるか否かを示してもよい。この場合、ＴＣＩ状態１２４の指示は、１ビットのみに削減されることができる。言い換えれば、ネットワークデバイス１２０のＤＭＲＳグループ１２２に対するＴＣＩ状態１２４を示すためのオーバーヘッドは、最小化されることができる。
【００８２】
いくつかの実施形態では、端末デバイスは、１つのＤＣＩに２つのＴＣＩ状態（例えば、ＴＣＩ状態＃１及びＴＣＩ状態＃２）で構成されている。いくつかの実施形態では、ＴＣＩ状態＃１は、ＴＣＩグループＸ（例えば、ＴＣＩグループＸは、ＴＣＩ状態Ｘ０、Ｘ１、...Ｘｗ−１を含む）から選択されてもよい。ＴＣＩグループＸには、最大Ｗ個のＴＣＩ状態が存在してもよい。いくつかの実施形態では、ＴＣＩ状態＃２は、ＴＣＩグループＹから選択されてもよい。ＴＣＩグループＹには、最大Ｖ個のＴＣＩ状態が存在してもよい（例えば、ＴＣＩグループＹは、ＴＣＩ状態Ｙ０、Ｙ１、...Ｙｖ−１を含む）。
【００８３】
いくつかの実施形態では、２つのＴＣＩ状態＃１及び＃２は、同じＴＣＩグループから選択されてもよく、即ち、Ｗ＝Ｖ及びＸ＝Ｙであってもよい。具体的に、ＴＣＩ状態＃１及び＃２に対して１つのＴＣＩグループのみが構成されてもよい。いくつかの実施形態では、２つのＴＣＩ状態＃１及び＃２は、異なるＴＣＩグループから選択されてもよく、即ち、Ｗ≠Ｖ及び／又はＸ≠Ｙであってもよく、及び／又は、ＴＣＩグループＸ内の少なくとも１つの値は、ＴＣＩグループＹ内の任意の値とは異なる。いくつかの実施形態では、ＴＣＩ状態＃２用のＴＣＩグループＹは、ＴＣＩ状態＃１用のＴＣＩグループＸの部分集合（サブセット）であってもよい。即ち、Ｖ≦Ｗであり、且つＴＣＩグループＹ内のＹｉの各値はＴＣＩグループＸに含まれる。
【００８４】
いくつかの実施形態では、ＴＣＩ状態＃１及び／又はＴＣＩ状態＃２を示すためのビット数は、ｃｅｉｌ（ｌｏｇ２（Ｗ））であってもよい。例えば、Ｗは、１、２、４又は８であり、ＴＣＩ状態＃１及び／又はＴＣＩ状態＃２を示すためのビット数は、それぞれ０、１、２又は３であってもよい。別の例では、ＴＣＩ状態＃１及び／又はＴＣＩ状態＃２を示すためのビット数は３に固定され、ＴＣＩグループにおいて、ＴＣＩ状態の数Ｗは８以下であってもよい。別の例では、ＴＣＩ状態＃１及び／又はＴＣＩ状態＃２を示すためのビット数は２に固定され、ＴＣＩグループにおいて、ＴＣＩ状態の数Ｗは４以下であってもよい。別の例では、ＴＣＩ状態＃１及び／又はＴＣＩ状態＃２を示すためのビット数は１に固定され、ＴＣＩグループにおいて、ＴＣＩ状態の数Ｗは２以下であってもよい。
【００８５】
いくつかの実施形態では、ＴＣＩ状態＃２を示すためのビット数は、ｃｅｉｌ（ｌｏｇ２（Ｖ））であってもよい。例えば、Ｖは、１、２、４又は８であり、ＴＣＩ状態＃２を示すためのビット数は、それぞれ０、１、２又は３であってもよい。別の例では、ＴＣＩ状態＃２を示すためのビット数は３に固定され、ＴＣＩグループにおいて、ＴＣＩ状態の数Ｖは８以下であってもよい。別の例では、ＴＣＩ状態＃２を示すためのビット数は２に固定され、ＴＣＩグループにおいて、ＴＣＩ状態の数Ｖは４以下であってもよい。別の例では、ＴＣＩ状態＃２を示すためのビット数は１に固定され、ＴＣＩグループにおいて、ＴＣＩ状態の数Ｖは２以下であってもよい。
【００８６】
いくつかの実施形態では、ＴＣＩ状態＃１の指示とＴＣＩ状態＃２の指示は、ＤＣＩにおいて異なってもよい。いくつかの実施形態では、ＴＣＩ状態＃１の指示は１つの部分のみを含み、ＴＣＩ状態＃１は、ｃｅｉｌ（ｌｏｇ２（Ｗ））ビットで明示的に構成されている。例えば、Ｗは１、２、４又は８であり、ＴＣＩ状態＃１を示すためのビット数は、それぞれ０、１、２又は３であってもよい。別の例では、ＴＣＩ状態＃１を示すためのビット数は３に固定され、ＴＣＩグループにおいて、ＴＣＩ状態の数Ｗは８以下であってもよい。別の例では、ＴＣＩ状態＃１を示すためのビット数は２に固定され、ＴＣＩグループにおいて、ＴＣＩ状態の数Ｗは４以下であってもよい。別の例では、ＴＣＩ状態＃１を示すためのビット数は１に固定され、ＴＣＩグループにおいて、ＴＣＩ状態の数Ｗは２以下であってもよい。
【００８７】
いくつかの実施形態では、所与のＤＭＲＳタイプ、所与のＤＭＲＳの最大数／最大長の値、及び所与のコードワードの数について、アンテナポート、データのないＤＭＲＳ ＣＤＭグループの数、前方ＤＭＲＳシンボルの数、ＤＭＲＳポートの数、及びＤＭＲＳポートのインデックスのうちの少なくとも１つを示すための対応するテーブルは、テーブルＱであってもよい。いくつかの実施形態では、ＴＣＩ状態＃２の指示は、テーブルＱ内に示される。いくつかの実施形態では、テーブルＱには、データのないＤＭＲＳ ＣＤＭグループの数の同じ値、ＤＭＲＳポートの数の同じ値、ＤＭＲＳポートの同じインデックス、及び／又は前方ＤＭＲＳシンボルの数の同じ値を示すＶ個の値／インデックス／指示が存在してもよい。ここで、テーブルＱにおけるデータのないＤＭＲＳ ＣＤＭグループの数の同じ値、ＤＭＲＳポートの数の同じ値、ＤＭＲＳポートの同じインデックス、及び／又は前方ＤＭＲＳシンボルの数の同じ値を示すＶ個の値／インデックス／指示は、ＴＣＩグループＹ内のＴＣＩ状態＃２の最大Ｖ個の値を示すために使用される。
【００８８】
いくつかの実施形態では、所与のＤＭＲＳタイプ、所与のＤＭＲＳの最大数／最大長の値、及び所与のコードワードの数の値について、以下のテーブルＱ１は、アンテナポートのフィールドの例を示し、データのないＤＭＲＳ ＣＤＭグループの数、前方ＤＭＲＳシンボルの数、ＤＭＲＳポートの数、ＤＭＲＳポートのインデックス、及びＴＣＩ状態＃２の値のうちの少なくとも１つを示している。テーブルＱ１において、Ｊ１ｋ（ここで、ｋは整数であり、且つｋ≧１である）は指示値である。Ｎ＿１ｋ（ここで、ｋは整数であり、且つｋ≧１である）は、データのないＤＭＲＳ ＣＤＭグループの数であり、例えば、Ｎ＿１ｋ（ここで、ｋは整数であり、且つｋ≧１である）のそれぞれは１、２、又は３であってもよい。Ｄ＿１ｋ（ここで、ｋは整数であり、且つｋ≧１である）は、ＤＭＲＳポートであり、例えば、所与のｋ（ここで、ｋは整数であり、且つｋ≧１である）の値について、Ｄ＿１ｋは、少なくとも１つのＤＭＲＳポートであってもよい。Ｆ＿１ｋ（ここで、ｋは整数であり、且つｋ≧１である）は、前方ＤＭＲＳシンボルの数であり、例えば、Ｆ＿１ｋ（ここで、ｋは整数であり、且つｋ≧１である）のそれぞれは、１又は２であってもよい。
【００８９】
いくつかの実施形態では、Ｙｉ＿ｋ（ここで、ｉ＿ｋ∈｛０，１，...ｖｋ−１｝、ｋは整数であり且つｋ≧１であり、ｖｋは整数であり且つｖｋ≧１である）は、所与のＮ＿１ｋ、Ｄ＿１ｋ及び／又はＦ＿１ｋの値に対する可能なＴＣＩ値である。例えば、ｋの異なる値について、ｖｋは同じであってもよいし、異なってもよい。別の例では、ｖｋは｛１，２，３，４，５，６，７，８｝のうちの少なくとも１つであってもよい。いくつかの実施形態では、ｋ及び／又はｖｋの異なる値について、Ｙｉ＿ｋ（ここで、ｉ＿ｋ∈｛０，１，...ｖｋ−１｝、ｋは整数であり且つｋ≧１であり、ｖｋは整数であり且つｖｋ≧１である）は、単一の集合（グループ）Ｙｊ（ここで、ｊ∈｛０，１，...Ｍ−１｝、Ｍは整数であり、Ｍ≧１であり、且つＭ≧ｍａｘ（ｖｋ）である）からの異なる部分集合であってもよい。即ち、ｋ及び／又はｖｋの各値について、Ｙｉ＿ｋ（ここで、ｉ＿ｋ∈｛０，１，...ｖｋ−１｝）は、Ｙｊ（ここで、ｊ∈｛０，１，...Ｍ−１｝、Ｍは整数であり、Ｍ≧１であり、且つＭ≧ｍａｘ（ｖｋ））の部分集合である。例えば、単一の集合Ｙｊ（ここで、ｊ∈｛０，１，...Ｍ−１｝）は｛Ｙ０，Ｙ１，Ｙ２，Ｙ３，Ｙ４，Ｙ５，Ｙ６，Ｙ７｝であってもよく、ｋ及び／又はｖｋの各値について、Ｙｉ＿ｋ（ここでｉ＿ｋ∈｛０，１，...ｖｋ−１｝）は｛Ｙ０，Ｙ１，Ｙ２，Ｙ３，Ｙ４，Ｙ５，Ｙ６，Ｙ７｝の部分集合である。
【００９０】
いくつかの実施形態では、Ｄ＿１ｋ（ここで、ｋは整数であり、且つｋ≧１である）で示されるＤＭＲＳポートのうちの少なくとも２つのＤＭＲＳポートは、ＦＤＭ及び／又はＴＤＭで多重化される。ＴＣＩ状態＃２に対して示される値の具体的な値（特定の値）Ｙｉ＿ｋ（ここで、ｉ＿ｋ∈｛０，１，...ｖｋ−１｝、ｋは整数であり且つｋ≧１であり、ｖｋは整数であり且つｖｋ≧１である）は、本開示の実施形態に対するいかなる限定をすることなく、例示に過ぎないことを理解されたい。ＴＣＩ状態＃２に対して示される値は、他の実施形態で任意の適切な値を有してもよい。いくつかの実施形態では、所与のＤＭＲＳタイプ、所与のＤＭＲＳの最大数／最大長の値、及び所与のコードワードの数の値について、データのないＤＭＲＳ ＣＤＭグループの数、前方ＤＭＲＳシンボルの数、ＤＭＲＳポートの数、及びＤＭＲＳポートのインデックスのうちの少なくとも１つを示すための対応するテーブルが、テーブルＱ１の部分集合であることも可能である。いくつかの実施形態では、データのないＤＭＲＳ ＣＤＭグループの数の列、及び／又はＤＭＲＳポートの数の列が存在しなくてもよい。いくつかの実施形態では、例えば、前方ＤＭＲＳシンボルの数が１に固定される場合、又は２に固定される場合、テーブルには前方ＤＭＲＳシンボルの数の列が存在しなくてもよい。
【表６】
2021533643.tif 000008
【００９１】
いくつかの実施形態では、ＴＣＩ状態＃２の指示は、２つの部分を含む。いくつかの実施形態では、ＴＣＩ状態＃２の指示の第１部分は、ＴＣＩ状態＃２の値がＴＣＩ状態＃１の値と同じであるか、又は異なるかを示すための１ビットのみである。例えば、ＴＣＩ状態＃２の指示の第１部分内の１ビットが０である場合、ＴＣＩ状態＃２の値はＴＣＩ状態＃１の値と同じであり、ＴＣＩ状態＃２の指示の第１部分内の１ビットが１である場合、ＴＣＩ状態＃２の値はＴＣＩ状態＃１の値とは異なる。別の例では、ＴＣＩ状態＃２の指示の第１部分内の１ビットが０である場合、ＴＣＩ状態＃２の値はＴＣＩ状態＃１の値とは異なり、ＴＣＩ状態＃２の指示の第１部分内の１ビットが１である場合、ＴＣＩ状態＃２の値はＴＣＩ状態＃１の値と同じである。
【００９２】
いくつかの実施形態では、ＴＣＩ状態＃２の値は、ＴＣＩ状態＃１の値と異なる。所定のＤＭＲＳタイプ、所与のＤＭＲＳの最大数／最大長の値、及び所与のコードワードの数について、アンテナポート、データのないＤＭＲＳ ＣＤＭグループの数、前方ＤＭＲＳシンボルの数、ＤＭＲＳポートの数、及びＤＭＲＳポートのインデックスのうちの少なくとも１つを指示するための対応するテーブルは、テーブルＱであってもよい。いくつかの実施形態では、ＴＣＩ状態＃２の指示の第２部分は、テーブルＱに示されている。
【００９３】
いくつかの実施形態では、テーブルＱにおいて、データのないＤＭＲＳ ＣＤＭグループの数の同じ値、ＤＭＲＳポートの数の同じ値、ＤＭＲＳポートの同じインデックス、及び／又は前方ＤＭＲＳシンボルの数の同じ値を示すＶ個の値／インデックス／指示が存在してもよい。テーブルＱにおけるデータのないＤＭＲＳ ＣＤＭグループの数の同じ値、ＤＭＲＳポートの数の同じ値、ＤＭＲＳポートの同じインデックス、及び／又は前方ＤＭＲＳシンボルの数の同じ値を示すＶ個の値／インデックス／指示は、例えば、示されるＴＣＩ状態＃１の値がグループＹ内のＴＣＩ状態＃２の可能な値のいずれとも異なる場合、ＴＣＩグループＹ内のＴＣＩ状態＃２の最大Ｖ個の値を示すために使用される。
【００９４】
いくつかの実施形態では、テーブルＱにおいて、データのないＤＭＲＳ ＣＤＭグループの数の同じ値、ＤＭＲＳポートの数の同じ値、ＤＭＲＳポートの同じインデックス、及び／又は前方ＤＭＲＳシンボルの数の同じ値を示すＶ−１個の値／インデックス／指示が存在してもよい。テーブルＱにおけるデータのないＤＭＲＳ ＣＤＭグループの数の同じ値、ＤＭＲＳポートの数の同じ値、ＤＭＲＳポートの同じインデックス、及び／又は前方ＤＭＲＳシンボルの数の同じ値を示すＶ−１個の値／インデックス／指示は、ＴＣＩグループＹ内のＴＣＩ状態＃２の最大Ｖ−１個の値を示すために使用される。ここで、例えば、示されるＴＣＩ状態＃１の値が、ＴＣＩグループＹにおけるＴＣＩ状態＃２の可能な値の１つと同じであり、且つＴＣＩグループＹにおける他のＶ−１個の可能な値と異なる場合に、上記のＴＣＩ状態のＶ−１個の値は、示されるＴＣＩ状態＃１とは異なる。
【００９５】
いくつかの実施形態では、所与のＤＭＲＳタイプ、所与のＤＭＲＳの最大数／最大長の値、及び所与のコードワードの数の値について、以下のテーブルＱ２‐Ａ及びＱ２‐Ｂは、アンテナポートのフィールドの例を示し、データのないＤＭＲＳ ＣＤＭグループの数、前方ＤＭＲＳシンボルの数、ＤＭＲＳポートの数、ＤＭＲＳポートのインデックス、及びＴＣＩ状態＃２の値のうちの少なくとも１つを示している。テーブルにおいて、Ｊ２ｋ（ここで、ｋは整数であり、且つｋ≧１）は指示値である。Ｎ＿２ｋ（ここで、ｋは整数であり、且つｋ≧１である）は、データのないＤＭＲＳ ＣＤＭグループの数であり、例えば、Ｎ＿２ｋ（ここで、ｋは整数であり、且つｋ≧１である）のそれぞれは１、２、又は３であってもよい。Ｄ＿２ｋ（ここで、ｋは整数であり、且つｋ≧１である）は、ＤＭＲＳポートであり、例えば、所与のｋ（ここで、ｋは整数であり、且つｋ≧１である）の値について、Ｄ＿２ｋは、少なくとも１つのＤＭＲＳポートであってもよい。Ｆ＿２ｋ（ここで、ｋは整数であり、且つｋ≧１である）は、前方ＤＭＲＳシンボルの数であり、例えば、Ｆ＿２ｋ（ここで、ｋは整数であり、且つｋ≧１である）のそれぞれは、１又は２であってもよい。
【００９６】
いくつかの実施形態では、Ｙｉ＿ｋ（ここで、ｉ＿ｋ∈｛０，１，...ｖｋ−１｝、ｋは整数であり且つｋ≧１であり、ｖｋは整数であり且つｖｋ≧１である）は、所与のＮ＿２ｋ、Ｄ＿２ｋ及び／又はＦ＿２ｋの値に対する可能なＴＣＩ値である。例えば、ｋの異なる値について、ｖｋは同じであってもよいし、異なってもよい。別の例では、ｖｋは｛１，２，３，４，５，６，７，８｝のうちの少なくとも１つであってもよい。いくつかの実施形態では、ｋ及び／又はｖｋの異なる値について、Ｙｉ＿ｋ（ここで、ｉ＿ｋ∈｛０，１，...ｖｋ−１｝、ｋは整数であり且つｋ≧１であり、ｖｋは整数であり且つｖｋ≧１である）は、単一の集合Ｙｊ（ここで、ｊ∈｛０，１，...Ｍ−１｝、Ｍは整数であり、Ｍ≧１であり、且つＭ≧ｍａｘ（ｖｋ）である）からの異なる部分集合であってもよい。即ち、ｋ及び／又はｖｋの各値について、Ｙｉ＿ｋ（ここで、ｉ＿ｋ∈｛０，１，...ｖｋ−１｝）は、Ｙｊ（ここで、ｊ∈｛０，１，...Ｍ−１｝、Ｍは整数であり、Ｍ≧１であり、且つＭ≧ｍａｘ（ｖｋ））の部分集合である。例えば、単一の集合Ｙｊ（ここで、ｊ∈｛０，１，...Ｍ−１｝）は、｛Ｙ０，Ｙ１，Ｙ２，Ｙ３，Ｙ４，Ｙ５，Ｙ６，Ｙ７｝であってもよく、ｋ及び／又はｖｋの各値について、Ｙｉ＿ｋ（ここでｉ＿ｋ∈｛０，１，...ｖｋ−１｝）は、｛Ｙ０，Ｙ１，Ｙ２，Ｙ３，Ｙ４，Ｙ５，Ｙ６，Ｙ７｝の部分集合である。
【００９７】
いくつかの実施形態では、Ｄ＿２ｋ（ここで、ｋは整数であり、且つｋ≧１である）で示されるＤＭＲＳポートのうちの少なくとも２つのＤＭＲＳポートは、ＦＤＭ及び／又はＴＤＭで多重化される。Ｊ２ｈ（ここで、ｈは整数であり、且つｈ≧１である）は、指示値である。Ｎ＿２ｈ（ここで、ｈは整数であり、且つｈ≧１である）は、データのないＤＭＲＳ ＣＤＭグループの数であり、例えば、Ｎ＿２ｈ（ここで、ｈは整数であり、且つｈ≧１である）のそれぞれは、１、２、又は３であってもよい。Ｄ＿２ｈ（ここで、ｈは整数であり、且つｈ≧１である）は、ＤＭＲＳポートであり、例えば、所与のｈ（ここで、ｈは整数であり、且つｈ≧１である）の値について、Ｄ＿２ｈは、少なくとも１つのＤＭＲＳポートであってもよい。Ｆ＿２ｈ（ここで、ｈは整数であり、且つｈ≧１である）は、前方ＤＭＲＳシンボルの数であり、例えば、Ｆ＿２ｈ（ここで、ｈは整数であり、且つｈ≧１である）のそれぞれは、１又は２であってもよい。
【００９８】
いくつかの実施形態では、Ｙｉ＿ｈ（ここで、ｉ＿ｈ∈｛０，１，...ｖｈ−１｝、ｈは整数であり且つｈ≧１であり、ｖｈは整数であり且つｖｈ≧１である）は、所与のＮ＿２ｈ、Ｄ＿２ｈ及び／又はＦ＿２ｈの値に対する可能なＴＣＩ値である。例えば、ｈの異なる値について、ｖｈは同じであってもよいし、異なってもよい。別の例では、ｖｈは｛１，２，３，４，５，６，７，８｝のうちの少なくとも１つであってもよい。いくつかの実施形態では、ｈ及び／又はｖｈの異なる値について、Ｙｉ_ｈ（ここで、ｉ＿ｈ∈｛０，１，...ｖｈ−１｝、ｈは整数であり且つｈ≧１であり、ｖｈは整数であり且つｖｈ≧１である）は、単一の集合Ｙｊ（ここで、ｊ∈｛０，１，...Ｍ−１｝、Ｍは整数であり、Ｍ≧１であり、且つＭ≧ｍａｘ（ｖｈ））からの異なる部分集合であってもよい。即ち、ｈ及び／又はｖｈの各値について、Ｙｉ＿ｈ（ここで、ｉ＿ｈ∈｛０，１，...ｖｈ−１｝）は、Ｙｊ（ここで、ｊ∈｛０，１，...Ｍ−１｝、Ｍは整数であり、Ｍ≧１であり、且つＭ≧ｍａｘ（ｖｈ））の部分集合である。例えば、単一の集合Ｙｊ（ここでｊ∈｛０，１，...Ｍ−１｝）は、｛Ｙ０，Ｙ１，Ｙ２，Ｙ３，Ｙ４，Ｙ５，Ｙ６，Ｙ７｝であってもよく、ｈ及び／又はｖｈの各値について、Ｙｉ＿ｈ（ここでｉ＿ｈ∈｛０，１，...ｖｈ−１｝）は、｛Ｙ０，Ｙ１，Ｙ２，Ｙ３，Ｙ４，Ｙ５，Ｙ６，Ｙ７｝の部分集合である。いくつかの実施形態では、Ｄ＿２ｈ（ここで、ｈは整数であり、且つｈ≧１である）で示されるＤＭＲＳポートのうちの少なくとも２つのＤＭＲＳポートは、ＦＤＭ及び／又はＴＤＭで多重化される。
【００９９】
いくつかの実施形態では、Ｙｐ＿ｋはＴＣＩ状態＃１に対して示され、Ｙｐ＿ｋはＹｉ＿ｋ（ここで、ｉ＿ｋ∈｛０，１，...ｖｋ−１｝）に含まれる。この場合、ＴＣＩ状態＃２の値がＴＣＩ状態＃１の値と異なるように示される場合、Ｙｐ＿ｋ（ＴＣＩ状態＃１に対して示される）を除いて、ＴＣＩ状態＃２についてｖｋ−１個の可能な値が存在してもよい。即ち、データのないＤＭＲＳ ＣＤＭグループの数の同じ値、ＤＭＲＳポートの数の同じ値、ＤＭＲＳポートの同じインデックス、及び／又は前方ＤＭＲＳシンボルの数の同じ値を示すｖｋ−１個の値／インデックス／指示が存在してもよい。データのないＤＭＲＳ ＣＤＭグループの数の同じ値、ＤＭＲＳポートの数の同じ値、ＤＭＲＳポートの同じインデックス、及び／又は前方ＤＭＲＳシンボルの数の同じ値は、ＴＣＩグループ内のＴＣＩ状態＃２の最大ｖｋ−１個の値Ｙｉ＿ｋ（ここで、ｉ＿ｋ∈｛０，１，...ｖｋ−１｝、且つｉ＿ｋ≠ｐ＿ｋ）を示すために使用される。ここで、ＴＣＩ状態のｖｋ−１個の値は、示されるＴＣＩ状態＃１の値Ｙｐ＿ｋとは異なる。
【０１００】
具体的な例として、テーブルＱ２‐Ａには、ＴＣＩ状態＃１に対してＹ０ｋが示された場合の例が示されている。この場合、ＴＣＩ状態＃２の値がＴＣＩ状態＃１の値と異なるように示される場合、Ｙ０ｋ（ＴＣＩ状態＃１に対して示される）を除いて、ＴＣＩ状態＃２についてｖｋ−１個の可能な値が存在してもよい。即ち、データのないＤＭＲＳ ＣＤＭグループの数の同じ値、ＤＭＲＳポートの数の同じ値、ＤＭＲＳポートの同じインデックス、及び／又は前方ＤＭＲＳシンボルの数の同じ値を示すｖｋ−１個の値／インデックス／指示が存在してもよい。テーブルＱ２‐ＡにおけるデータのないＤＭＲＳ ＣＤＭグループの数の同じ値、ＤＭＲＳポートの数の同じ値、ＤＭＲＳポートの同じインデックス、及び／又は前方ＤＭＲＳシンボルの数の同じ値を示すｖｋ−１個の値／インデックス／指示は、ＴＣＩグループ内のＴＣＩ状態＃２の最大ｖｋ−１個の値Ｙｉ＿ｋ（ここで、ｉ＿ｋ∈｛０，１，...ｖｋ−１｝且つｉ＿ｋ≠０ｋ）を示すために使用される。ここで、ＴＣＩ状態のｖｋ−１個の値は、示されたＴＣＩ状態＃１の値とは異なる。
【０１０１】
ＴＣＩ状態＃１に対して示される値の具体的な値Ｙ０ｋは、本開示の実施形態に対するいかなる限定をすることなく、例示に過ぎないと理解されたい。ＴＣＩ状態＃１に対して示される値は、他の実施形態で任意の適切な値Ｙｉ＿ｋ（ここで、ｉ＿ｋ∈｛０，１，...ｖｋ−１｝、ｋは整数であり且つｋ≧１であり、ｖｋは整数であり且つｖｋ≧１である）を有してもよい。ＴＣＩ状態＃２に対して示される値の具体的な値Ｙｉ＿ｋ（ここで、ＴＣＩ状態＃２に対してｉ＿ｋ∈｛０，１，...ｖｋ−１｝、なおＴＣＩ状態＃１に対する値Ｙｊを除く）は、本開示の実施形態に対するいかなる限定をすることなく、例示に過ぎないと理解されたい。ＴＣＩ状態＃２に対して示される値は、他の実施形態で任意の適切な値を有してもよい。
【０１０２】
いくつかの実施形態では、所与のＤＭＲＳタイプ、所与のＤＭＲＳの最大数／最大長の値、及び所与のコードワードの数の値について、データのないＤＭＲＳ ＣＤＭグループの数、前方ＤＭＲＳシンボルの数、ＤＭＲＳポートの数、及びＤＭＲＳポートのインデックスのうちの少なくとも１つを示すための対応するテーブルが、テーブルＱ２‐Ａの部分集合であることも可能である。いくつかの実施形態では、例えば、前方ＤＭＲＳシンボルの数が１に固定される場合、又は２に固定される場合、テーブルには、前方ＤＭＲＳシンボルの数の列が存在しなくてもよい。
【表７】
2021533643.tif 000009
【０１０３】
いくつかの実施形態では、ＹｑはＴＣＩ状態＃１に対して示され、ＹｑはＹｉ＿ｈ（ここで、ｉ＿ｈ∈｛０，１，...ｖｈ−１｝、ｈは整数であり且つｈ≧１であり、ｖｈは整数であり且つｖｈ≧１である）に含まれない。この場合、ＴＣＩ状態＃２の値がＴＣＩ状態＃１の値と異なるように示される場合、ＴＣＩ状態＃２についてｖｈ個の可能な値が存在してもよい。即ち、データのないＤＭＲＳ ＣＤＭグループの数の同じ値、ＤＭＲＳポートの数の同じ値、ＤＭＲＳポートの同じインデックス、及び／又は前方ＤＭＲＳシンボルの数の同じ値を示すｖｈ個の値／インデックス／指示が存在してもよい。データのないＤＭＲＳ ＣＤＭグループの数の同じ値、ＤＭＲＳポートの数の同じ値、ＤＭＲＳポートの同じインデックス、及び／又は前方ＤＭＲＳシンボルの数の同じ値を示すｖｈ個の値／インデックス／指示は、ＴＣＩグループ内のＴＣＩ状態＃２の最大ｖｈ個の値Ｙｉ＿ｈ（ここで、ｉ＿ｈ∈｛０，１，...ｖｈ−１｝）を示すために使用される。ここで、ＴＣＩ状態のｖｈ個の値は、ＴＣＩ状態＃１の指示値Ｙｑとは異なる。
【０１０４】
具体的な例として、テーブルＱ２‐Ｂには、ＴＣＩ状態＃１に対してＹｑが示された場合の例が示されている。この場合、ＴＣＩ状態＃２の値がＴＣＩ状態＃１の値と異なるように示された場合、ＴＣＩ状態＃２についてｖｈ個の可能な値が存在してもよい。即ち、データのないＤＭＲＳ ＣＤＭグループの数の同じ値、ＤＭＲＳポートの数の同じ値、ＤＭＲＳポートの同じインデックス、及び／又は前方ＤＭＲＳシンボルの数の同じ値を示すｖｈ個の値／インデックス／指示が存在してもよい。テーブルＱ２‐ＢにおけるデータのないＤＭＲＳ ＣＤＭグループの数の同じ値、ＤＭＲＳポートの数の同じ値、ＤＭＲＳポートの同じインデックス、及び／又は前方ＤＭＲＳシンボルの数の同じ値を示すｖｈ個の値／インデックス／指示は、ＴＣＩグループ内のＴＣＩ状態＃２の最大ｖｈ個の値Ｙｉ＿ｈ（ここで、ｉ＿ｈ∈｛０，１，...ｖｈ−１｝）を示すために使用される。ここで、ＴＣＩ状態のｖｈ個の値は、示されたＴＣＩ状態＃１とは異なる。
【０１０５】
ＴＣＩ状態＃１に対して示される値の具体的な値Ｙｑは、本開示の実施形態に対するいかなる制限をすることなく、例示に過ぎないと理解されたい。ＴＣＩ状態＃１に対して示される値は、他の実施形態で、Ｙｉ＿ｈ（ここで、ｉ＿ｈ∈｛０，１，...ｖｈ−１｝、ｈは整数であり且つｈ≧１であり、ｖｈは整数であり且つｖｈ≧１である）内のいずれの値とも異なる任意の適切なＹｑの値を有してもよい。ＴＣＩ状態＃２に対して示される値の具体的な値Ｙｉ_ｈ（ここで、ｉ＿ｈ∈｛０，１，...ｖｈ−１｝、ｈは整数であり且つｈ≧１であり、ｖｈは整数であり且つｖｈ≧１である）は、本開示の実施形態に対するいかなる制限をすることなく、例示に過ぎないと理解されたい。ＴＣＩ状態＃２に対して示される値は、他の実施形態で任意の適切な値を有してもよい。
【０１０６】
いくつかの実施形態では、所与のＤＭＲＳタイプ、所与のＤＭＲＳの最大数／最大長の値、及び所与のコードワードの数の値について、データのないＤＭＲＳ ＣＤＭグループの数、前方ＤＭＲＳシンボルの数、ＤＭＲＳポートの数、及びＤＭＲＳポートのインデックスのうちの少なくとも１つを示すための対応するテーブルが、テーブルＱ２‐Ｂの部分集合であることも可能である。いくつかの実施形態では、例えば、前方ＤＭＲＳシンボルの数が１に固定される場合、又は２に固定される場合、テーブルには、前方ＤＭＲＳシンボルの数の列が存在しなくてもよい。
【表８】
2021533643.tif 000010
【０１０７】
いくつかの実施形態では、テーブル２Ｑ‐Ａとテーブル２Ｑ‐Ｂを組み合わせてもよい。例えば、ＹｑがＴＣＩ状態＃１に対して示されている場合、ＹｑはＹｉ＿ｈ（ここで、ｉ＿ｈ∈｛０，１，...ｖｈ−１｝、ｈは整数であり且つｈ≧１であり、ｖｈは整数であり且つｖｈ≧１である）に含まれないが、Ｙｉ＿ｋ（ここで、ｉ＿ｋ∈｛０，１，...ｖｋ−１｝）に含まれる。この場合、所与のＮ＿２ｈ、Ｄ＿２ｈ及び／又はＦ＿２ｈの値を示すｖｈ個の値／インデックス／指示が存在してもよい。所与のＮ＿２ｈ、Ｄ＿２ｈ及び／又はＦ＿２ｈの値を示すｖｈ個の値／インデックス／指示は、ＴＣＩグループ内のＴＣＩ状態＃２の最大ｖｈ個の値Ｙｉ＿ｈ（ここで、ｉ＿ｈ∈｛０，１，...ｖｈ−１｝）を示すために使用され、ここで、ＴＣＩ状態のｖｈ個の値は、示されたＴＣＩ状態＃１の値Ｙｑとは異なる。所与のＮ＿２ｋ、Ｄ＿２ｋ及び／又はＦ＿２ｋの値を示すｖｋ−１個の値／インデックス／指示が存在してもよい。所与のＮ＿２ｋ、Ｄ＿２ｋ及び／又はＦ＿２ｋの値を示すｖｋ−１個の値／インデックス／指示は、ＴＣＩグループ内のＴＣＩ状態＃２の最大ｖｋ−１個の値Ｙｉ＿ｋ（ここで、ｉ＿ｋ∈｛０，１，...ｖｋ−１｝、且つｉ＿ｋ≠０ｋ）を示すために用いられ、ここで、ＴＣＩ状態のｖｋ−１個の値は示されたＴＣＩ状態＃１とは異なる。
【０１０８】
例えば、ネットワークデバイス１１０は、ＤＣＩ１１５内の３ビットでＴＣＩ状態１１４、例えばＴＣＩ状態Ｂを示してもよい。ＴＣＩ状態１２４について、上記の１ビットが０に設定されている場合、ＴＣＩ状態１２４がＴＣＩ状態１１４と同じであり、即ち、ＴＣＩ状態Ｂである。この例では、ＴＣＩ状態１１４は８個の可能なＴＣＩ状態のうちの１つであってもよく、３ビットで示されてもよい。いくつかの他の実施形態では、ＴＣＩ状態１１４は、任意の数の可能なＴＣＩ状態を有してもよく、任意の適切なビット数で示されてもよい。
【０１０９】
ネットワークデバイス１１０は、ＤＣＩ１１５においてＴＣＩ状態１２４がＴＣＩ状態１１４と異なることを示す場合、ＤＣＩ１１５において単一の指示を使用して、ＴＣＩ状態１２４及びＤＭＲＳ１２５、１３５を送信するために使用されるＤＭＲＳポートを示してもよい。即ち、ＤＭＲＳグループ１２２に対するＴＣＩフィールド１２４は、複数のネットワークデバイスがＤＭＲＳを送信するＤＭＲＳポートと組み合わせて構成されている。このように、ネットワークデバイス１２０の特定のＴＣＩ状態の指示は、ＤＣＩの既存のフィールドを再利用することで実施されるので、余分なオーバーヘッドはない。
【０１１０】
いくつかの実施形態では、具体的な例として、ＴＣＩ状態は最大８個（例えば、ＴＣＩ状態｛Ａ，Ｂ，Ｃ，Ｄ，Ｅ，Ｆ，Ｇ，Ｈ｝）であってもよい。例えば、ＴＣＩフィールド１１４に対してＴＣＩ状態Ｂが構成されている。ＤＭＲＳタイプ１について、ＤＭＲＳの最大数／最大長が２であり、及び／又はコードワードの数が１である場合、ＴＣＩフィールド１２４及びＤＭＲＳポートは、以下のテーブルＩＩ−Ａ−１によるＤＣＩ１１５に運ばれるアンテナポートのフィールドによって示されてもよい。テーブルＩＩ−Ａ−１において、ＴＣＩフィールド１２４は、より一般的に第２のＴＣＩ状態と呼ばれる。ＴＣＩ状態＃１に対して示される値の具体的な値Ｂは、本開示の実施形態に対するいかなる制限をすることなく、例示に過ぎないことを理解されたい。ＴＣＩ状態＃１に対して示される値は、他の実施形態で｛Ａ，Ｂ，Ｃ，Ｄ，Ｅ，Ｆ，Ｇ，Ｈ｝からの任意の適切な値を有してもよい。
【０１１１】
いくつかの実施形態では、ＤＭＲＳタイプ１について、ＤＭＲＳの最大数／最大長が２であり、及び／又はコードワードの数が１である場合、データのないＤＭＲＳ ＣＤＭグループの数、前方ＤＭＲＳシンボルの数、ＤＭＲＳポートの数、ＤＭＲＳポートのインデックス、及び第２のＴＣＩ状態の値のうちの少なくとも１つを示すための対応するテーブルが、テーブルＩＩ−Ａ−１の部分集合であることも可能である。いくつかの実施形態では、例えば、前方ＤＭＲＳシンボルの数が１に固定される場合、又は２に固定される場合、テーブルには、前方ＤＭＲＳシンボルの数の列が存在しなくてもよい。いくつかの実施形態では、テーブルにはデータのないＤＭＲＳ ＣＤＭグループの数の列が存在しなくてもよい。いくつかの実施形態では、データのないＤＭＲＳ ＣＤＭグループの数は、１に固定されてもよいし、２に固定されてもよい。いくつかの実施形態では、データのないＤＭＲＳ ＣＤＭグループの数の値は、１ではない。
【０１１２】
いくつかの実施形態では、ＤＭＲＳポートは、テーブルにおける｛（０‐２），（０‐３），（０，２），（０，２，４，６）｝の部分集合であってもよい。いくつかの実施形態では、ＤＭＲＳポートは、いくつかの他の構成であってもよく、その構成では、１つよりも多いＤＭＲＳポートが存在する。この１つよりも多いＤＭＲＳポートのうち、少なくとも２つのＤＭＲＳポートは、ＦＤＭ及び／又はＴＤＭで多重化される。いくつかの実施形態では、ＤＭＲＳポートは、いくつかの他の構成であってもよく、その構成では、１つよりも多いＤＭＲＳポートが存在する。この１つよりも多いＤＭＲＳポートのうち、少なくとも２つのＤＭＲＳポートは、異なるＤＭＲＳグループからのものである。例えば、少なくとも１つのＤＭＲＳポートはＤＭＲＳグループＧ１からのものであり、少なくとも１つのＤＭＲＳポートはＤＭＲＳグループＧ２からのものである。
【０１１３】
いくつかの実施形態では、第２のＴＣＩ状態の値は、テーブルにおける｛Ａ，Ｂ，Ｃ，Ｄ，Ｅ，Ｆ，Ｇ，Ｈ｝の部分集合であってもよい。いくつかの実施形態では、ＤＭＲＳポートの異なる構成に対して、第２のＴＣＩ状態の値の数は異なってもよい。いくつかの実施形態では、指示（ここで、指示が「予約」されていない）の数がＲである場合、テーブル用のビットは、ｃｅｉｌ（ｌｏｇ２（Ｒ））である。いくつかの実施形態では、ＤＭＲＳポートの異なる構成に対して、第２のＴＣＩ状態の値の数は異なってもよい。
【表９】
2021533643.tif 000011
【０１１４】
具体的な例として、ＴＣＩ状態は最大８個（例えば、ＴＣＩ状態｛Ａ，Ｂ，Ｃ，Ｄ，Ｅ，Ｆ，Ｇ，Ｈ｝）であってもよい。例えば、ＴＣＩフィールド１１４に対してＴＣＩ状態Ｃが構成されている。ＤＭＲＳタイプ１について、ＤＭＲＳの最大数／最大長が２であり、及び／又はコードワードの数が２である場合、ＴＣＩフィールド１２４及びＤＭＲＳポートは、以下のテーブルＩＩ‐Ａ‐２によるＤＣＩ１１５に運ばれるアンテナポートのフィールドによって示されてもよい。テーブルＩＩ−Ａ−２において、ＴＣＩフィールド１２４は、より一般的に第２のＴＣＩ状態と呼ばれる。ＴＣＩ状態＃１に対して示される値の具体的な値Ｃは、本開示の実施形態に対するいかなる限定をすることなく、例示に過ぎないことを理解されたい。ＴＣＩ状態＃１に対して示される値は、他の実施形態で｛Ａ，Ｂ，Ｃ，Ｄ，Ｅ，Ｆ，Ｇ，Ｈ｝からの任意の適切な値を有してもよい。
【０１１５】
いくつかの実施形態では、ＤＭＲＳタイプ１について、ＤＭＲＳの最大数／最大長が２であり、及び／又はコードワードの数が２である場合、データのないＤＭＲＳ ＣＤＭグループの数、前方ＤＭＲＳシンボルの数、ＤＭＲＳポートの数、ＤＭＲＳポートのインデックス、及び第２のＴＣＩ状態の値のうちの少なくとも１つを示すための対応するテーブルが、テーブルＩＩ−Ａ−２の部分集合であることも可能である。いくつかの実施形態では、例えば、前方ＤＭＲＳシンボルの数が１に固定される場合、又は２に固定される場合、テーブルには、前方ＤＭＲＳシンボルの数の列が存在しなくてもよい。いくつかの実施形態では、テーブルには、データのないＤＭＲＳ ＣＤＭグループの数の列が存在しなくてもよい。いくつかの実施形態では、データのないＤＭＲＳ ＣＤＭグループの数は、１に固定されてもよいし、２に固定されてもよい。いくつかの実施形態では、データのないＤＭＲＳ ＣＤＭグループの数の値は１ではない。
【０１１６】
いくつかの実施形態では、ＤＭＲＳポートは、テーブルにおける｛（０‐４）、（０，１，２，３，４，６）、（０，１，２，３，４，５，６）、（０，１，２，３，４，５，６，７）｝の部分集合であってもよい。いくつかの実施形態では、ＤＭＲＳポートは、いくつかの他の構成であってもよく、その構成では、１つよりも多いＤＭＲＳポートが存在する。この１つよりも多いＤＭＲＳポートのうち、少なくとも２つのＤＭＲＳポートは、ＦＤＭ及び／又はＴＤＭで多重化される。いくつかの実施形態では、ＤＭＲＳポートは、いくつかの他の構成であってもよく、その構成では、１つよりも多いＤＭＲＳポートが存在する。この１つよりも多いＤＭＲＳポートのうち、少なくとも２つのＤＭＲＳポートは、異なるＤＭＲＳグループからのものである。例えば、少なくとも１つのＤＭＲＳポートはＤＭＲＳグループＧ１からのものであり、少なくとも１つのＤＭＲＳポートはＤＭＲＳグループＧ２からのものである。
【０１１７】
いくつかの実施形態では、第２のＴＣＩ状態の値は、テーブルにおける｛Ａ，Ｂ，Ｃ，Ｄ，Ｅ，Ｆ，Ｇ，Ｈ｝の部分集合であってもよい。いくつかの実施形態では、ＤＭＲＳポートの異なる構成に対して、第２のＴＣＩ状態の値の数は異なってもよい。いくつかの実施形態では、指示（ここで、指示が「予約」ではない）の数がＲである場合、テーブル用のビットは、ｃｅｉｌ（ｌｏｇ２（Ｒ））である。いくつかの実施形態では、テーブルＩＩ−Ａ−２用のビット数は、テーブルＩＩ−Ａ−１、即ち、ＤＭＲＳタイプが１であり、ＤＭＲＳの最大数／最大長が２であり、コードワードの数が１であるテーブル用のビット数と同じである。いくつかの実施形態では、ＤＭＲＳポートの異なる構成に対して、第２のＴＣＩ状態の値の数は異なってもよい。
【表１０】
2021533643.tif 000012
【０１１８】
いくつかの実施形態では、具体的な例として、ＴＣＩ状態は最大８個（例えば、ＴＣＩ状態｛Ａ，Ｂ，Ｃ，Ｄ，Ｅ，Ｆ，Ｇ，Ｈ｝）であってもよい。例えば、ＴＣＩフィールド１１４に対してＴＣＩ状態Ｂが構成されている。ＤＭＲＳタイプ１について、ＤＭＲＳの最大数／最大長が１であり、及び／又はコードワードの数が１である場合、ＴＣＩフィールド１２４及びＤＭＲＳポートは、以下のテーブルＩＩ−Ｂ−１によるＤＣＩ１１５に運ばれるアンテナポートのフィールドによって示されてもよい。テーブルＩＩ−Ｂ−１において、ＴＣＩフィールド１２４は、より一般的に第２のＴＣＩ状態と呼ばれる。ＴＣＩ状態＃１に対して示される値の具体的な値Ｂは、本開示の実施形態に対するいかなる限定をすることなく、例示に過ぎないことを理解されたい。ＴＣＩ状態＃１に対して示される値は、他の実施形態で｛Ａ，Ｂ，Ｃ，Ｄ，Ｅ，Ｆ，Ｇ，Ｈ｝からの任意の適切な値を有してもよい。いくつかの実施形態では、ＤＭＲＳタイプ１について、ＤＭＲＳの最大数／最大長が１であり、及び／又はコードワードの数が１である場合、データのないＤＭＲＳ ＣＤＭグループの数、前方ＤＭＲＳシンボルの数、ＤＭＲＳポートの数、ＤＭＲＳポートのインデックス、及び第２のＴＣＩ状態の値のうちの少なくとも１つを示すための対応するテーブルが、テーブルＩＩ−Ｂ−１の部分集合であることも可能である。いくつかの実施形態では、例えば、前方ＤＭＲＳシンボルの数が１に固定される場合、又は２に固定される場合、テーブルには、前方ＤＭＲＳシンボルの数の列が存在しなくてもよい。いくつかの実施形態では、テーブルには、データのないＤＭＲＳ ＣＤＭグループの数の列が存在しなくてもよい。いくつかの実施形態では、データのないＤＭＲＳ ＣＤＭグループの数の列は、１に固定されてもよいし、２に固定されてもよい。いくつかの実施形態では、データのないＤＭＲＳ ＣＤＭグループの数の値は１ではない。
【０１１９】
いくつかの実施形態では、ＤＭＲＳポートは、テーブルにおける｛（０‐２）、（０‐３）、（０，２）｝の部分集合であってもよい。いくつかの実施形態では、ＤＭＲＳポートは、いくつかの他の構成であってもよく、その構成では、１つよりも多いＤＭＲＳポートが存在する。この１つよりも多いＤＭＲＳポートのうち、少なくとも２つのＤＭＲＳポートは、ＦＤＭ及び／又はＴＤＭで多重化される。いくつかの実施形態では、ＤＭＲＳポートは、いくつかの他の構成であってもよく、その構成では、１つよりも多いＤＭＲＳポートが存在する。この１つよりも多いＤＭＲＳポートのうち、少なくとも２つのＤＭＲＳポートは、異なるＤＭＲＳグループからのものである。例えば、少なくとも１つのＤＭＲＳポートはＤＭＲＳグループＧ１からのものであり、少なくとも１つのＤＭＲＳポートはＤＭＲＳグループＧ２からのものである。
【０１２０】
いくつかの実施形態では、第２のＴＣＩ状態の値は、テーブルにおける｛Ａ，Ｂ，Ｃ，Ｄ，Ｅ，Ｆ，Ｇ，Ｈ｝の部分集合であってもよい。いくつかの実施形態では、ＤＭＲＳポートの異なる構成に対して、第２のＴＣＩ状態の値の数は異なってもよい。いくつかの実施形態では、指示（ここで、指示が「予約」されていない）の数がＲである場合、テーブル用のビットは、ｃｅｉｌ（ｌｏｇ２（Ｒ））である。いくつかの実施形態では、ＤＭＲＳポートの異なる構成に対して、第２のＴＣＩ状態の値の数は異なってもよい。
【表１１】
2021533643.tif 000013
【０１２１】
具体的な例として、ＴＣＩ状態は最大８個（例えば、ＴＣＩ状態｛Ａ，Ｂ，Ｃ，Ｄ，Ｅ，Ｆ，Ｇ，Ｈ｝）であってもよい。例えば、ＴＣＩフィールド１１４に対してＴＣＩ状態Ｃが構成されている。ＤＭＲＳタイプ２について、ＤＭＲＳの最大数／最大長が１であり、及び／又はコードワードの数が１である場合、ＴＣＩフィールド１２４及びＤＭＲＳポートは、以下のテーブルＩＩＩ−Ｃ−１によるＤＣＩ１１５に運ばれるアンテナポートのフィールドによって示されてもよい。テーブルＩＩ−Ｃ−１において、ＴＣＩフィールド１２４は、より一般的に第２のＴＣＩ状態と呼ばれる。ＴＣＩ状態＃１に対して示される値の具体的な値Ｃは、本開示の実施形態に対するいかなる限定をすることなく、例示に過ぎないことを理解されたい。ＴＣＩ状態＃１に対して示される値は、他の実施形態で｛Ａ，Ｂ，Ｃ，Ｄ，Ｅ，Ｆ，Ｇ，Ｈ｝のうちの任意の適切な値を有してもよい。
【０１２２】
いくつかの実施形態では、ＤＭＲＳタイプ２について、ＤＭＲＳの最大数／最大長が１であり、及び／又はコードワードの数が１である場合、データのないＤＭＲＳ ＣＤＭグループの数、前方ＤＭＲＳシンボルの数、ＤＭＲＳポートの数、ＤＭＲＳポートのインデックス、及び第２のＴＣＩ状態の値のうちの少なくとも１つを示すための対応するテーブルが、テーブルＩＩＩ‐Ｃ‐１の部分集合であることも可能である。いくつかの実施形態では、例えば、前方ＤＭＲＳシンボルの数が１に固定される場合、又は２に固定される場合、テーブルには、前方ＤＭＲＳシンボルの数の列が存在しなくてもよい。いくつかの実施形態では、テーブルには、データのないＤＭＲＳ ＣＤＭグループの数の列が存在しなくてもよい。いくつかの実施形態では、データのないＤＭＲＳ ＣＤＭグループの数は、１に固定されてもよいし、２に固定されてもよいし、３に固定されてもよい。いくつかの実施形態では、データのないＤＭＲＳ ＣＤＭグループの数の値は１ではない。
【０１２３】
いくつかの実施形態では、ＤＭＲＳポートは、テーブルにおける｛（０‐２）、（０‐３）、（０，２）、（３‐５）｝の部分集合であってもよい。いくつかの実施形態では、ＤＭＲＳポートは、いくつかの他の構成であってもよく、その構成では、１つよりも多いＤＭＲＳポートが存在する。この１つよりも多いＤＭＲＳポートのうち、少なくとも２つのＤＭＲＳポートは、ＦＤＭ及び／又はＴＤＭで多重化される。いくつかの実施形態では、ＤＭＲＳポートは、いくつかの他の構成であってもよく、その構成では、１つよりも多いＤＭＲＳポートが存在する。この１つよりも多いＤＭＲＳポートのうち、少なくとも２つのＤＭＲＳポートは、異なるＤＭＲＳグループからのものである。例えば、少なくとも１つのＤＭＲＳポートはＤＭＲＳグループＧ１からのものであり、少なくとも１つのＤＭＲＳポートはＤＭＲＳグループＧ２からのものである。
【０１２４】
いくつかの実施形態では、第２のＴＣＩ状態の値は、テーブルにおける｛Ａ，Ｂ，Ｃ，Ｄ，Ｅ，Ｆ，Ｇ，Ｈ｝の部分集合であってもよい。いくつかの実施形態では、ＤＭＲＳポートの異なる構成に対して、第２のＴＣＩ状態の値の数は異なってもよい。いくつかの実施形態では、指示（ここで、指示が「予約」ではない）の数がＲである場合、テーブル用のビットは、ｃｅｉｌ（ｌｏｇ２（Ｒ））である。いくつかの実施形態では、ＤＭＲＳポートの異なる構成に対して、第２のＴＣＩ状態の値の数は異なってもよい。
【表１２】
2021533643.tif 000014
【０１２５】
具体的な例として、ＴＣＩ状態は最大８個（例えば、ＴＣＩ状態｛Ａ，Ｂ，Ｃ，Ｄ，Ｅ，Ｆ，Ｇ，Ｈ｝）であってもよい。例えば、ＴＣＩフィールド１１４に対してＴＣＩ状態Ｃが構成されている。ＤＭＲＳタイプ２について、ＤＭＲＳの最大数／最大長が１であり、及び／又はコードワードの数が２である場合、ＴＣＩフィールド１２４及びＤＭＲＳポートは、以下のテーブルＩＩＩ−Ｃ−２によるＤＣＩ１１５に運ばれるアンテナポートのフィールドによって示されてもよい。テーブルＩＩ−Ｃ−２において、ＴＣＩフィールド１２４は、より一般的に第２のＴＣＩ状態と呼ばれる。ＴＣＩ状態＃１に対して示される値の具体的な値Ｃは、本開示の実施形態に対するいかなる限定をすることなく、例示に過ぎないことを理解されたい。ＴＣＩ状態＃１に対して示される値は、他の実施形態で｛Ａ，Ｂ，Ｃ，Ｄ，Ｅ，Ｆ，Ｇ，Ｈ｝からの任意の適切な値を有してもよい。
【０１２６】
いくつかの実施形態では、ＤＭＲＳタイプ２について、ＤＭＲＳの最大数／最大長が１であり、及び／又はコードワードの数が２である場合、データのないＤＭＲＳ ＣＤＭグループの数、前方ＤＭＲＳシンボルの数、ＤＭＲＳポートの数、ＤＭＲＳポートのインデックス、及び第２のＴＣＩ状態の値のうちの少なくとも１つを示すための対応するテーブルが、テーブルＩＩ−Ｃ−２の部分集合であることも可能である。いくつかの実施形態では、例えば、前方ＤＭＲＳシンボルの数が１に固定される場合、又は２に固定される場合、テーブルには、前方ＤＭＲＳシンボルの数の列が存在しなくてもよい。いくつかの実施形態では、テーブルには、データのないＤＭＲＳ ＣＤＭグループの数の列が存在しなくてもよい。いくつかの実施形態では、データのないＤＭＲＳ ＣＤＭグループの数は、１に固定されてもよいし、２に固定されてもよいし、３に固定されてもよい。いくつかの実施形態では、データのないＤＭＲＳ ＣＤＭグループの数の値は１ではない。
【０１２７】
いくつかの実施形態では、ＤＭＲＳポートは、テーブルにおける｛（０‐４）、（０‐５）｝の部分集合であってもよい。いくつかの実施形態では、ＤＭＲＳポートは、いくつかの他の構成であってもよく、その構成では、１つよりも多いＤＭＲＳポートが存在する。この１つよりも多いＤＭＲＳポートのうち、少なくとも２つのＤＭＲＳポートは、ＦＤＭ及び／又はＴＤＭで多重化される。いくつかの実施形態では、ＤＭＲＳポートは、いくつかの他の構成であってもよく、その構成では、１つよりも多いＤＭＲＳポートが存在する。この１つよりも多いＤＭＲＳポートのうち、少なくとも２つのＤＭＲＳポートは、異なるＤＭＲＳグループからのものである。例えば、少なくとも１つのＤＭＲＳポートはＤＭＲＳグループＧ１からのものであり、少なくとも１つのＤＭＲＳポートはＤＭＲＳグループＧ２からのものである。
【０１２８】
いくつかの実施形態では、第２のＴＣＩ状態の値は、テーブルにおける｛Ａ，Ｂ，Ｃ，Ｄ，Ｅ，Ｆ，Ｇ，Ｈ｝の部分集合であってもよい。いくつかの実施形態では、ＤＭＲＳポートの異なる構成に対して、第２のＴＣＩ状態の値の数は異なってもよい。いくつかの実施形態では、指示（ここで、指示が「予約」されていない）の数がＲである場合、テーブル用のビットは、ｃｅｉｌ（ｌｏｇ２（Ｒ））である。いくつかの実施形態では、テーブルＩＩ−Ｃ−２用のビット数は、テーブルＩＩ−Ｃ−１、即ち、ＤＭＲＳタイプが２であり、ＤＭＲＳの最大数／最大長が１であり、コードワードの数が１であるテーブル用のビット数と同じである。いくつかの実施形態では、ＤＭＲＳポートの異なる構成に対して、第２のＴＣＩ状態の値の数は異なってもよい。いくつかの実施形態では、Ｔは、６３、３１又は１５であってもよい。
【表１３】
2021533643.tif 000015
【０１２９】
具体的な例として、ＴＣＩ状態は最大８個（例えば、ＴＣＩ状態｛Ａ，Ｂ，Ｃ，Ｄ，Ｅ，Ｆ，Ｇ，Ｈ｝）であってもよい。例えば、ＴＣＩフィールド１１４に対してＴＣＩ状態Ｃが構成されている。ＤＭＲＳタイプ２について、ＤＭＲＳの最大数／最大長が２であり、及び／又はコードワードの数が１である場合、ＴＣＩフィールド１２４及びＤＭＲＳポートは、以下のテーブルＩＩ−Ｄ−１によるＤＣＩ１１５に運ばれるアンテナポートのフィールドによって示されてもよい。テーブルＩＩ−Ｄ−１において、ＴＣＩフィールド１２４は、より一般的に第２のＴＣＩ状態と呼ばれる。ＴＣＩ状態＃１に対して示される値の具体的な値Ｃは、本開示の実施形態に対するいかなる制限をすることなく、例示に過ぎないことを理解されたい。ＴＣＩ状態＃１に対して示される値は、他の実施形態で｛Ａ，Ｂ，Ｃ，Ｄ，Ｅ，Ｆ，Ｇ，Ｈ｝からの任意の適切な値を有してもよい。
【０１３０】
いくつかの実施形態では、ＤＭＲＳタイプ２について、ＤＭＲＳの最大数／最大長が２であり、及び／又はコードワードの数が１である場合、データのないＤＭＲＳ ＣＤＭグループの数、前方ＤＭＲＳシンボルの数、ＤＭＲＳポートの数、ＤＭＲＳポートのインデックス、及び第２のＴＣＩ状態の値のうちの少なくとも１つを示すための対応するテーブルが、テーブルＩＩ−Ｄ−１の部分集合であることも可能である。いくつかの実施形態では、例えば、前方ＤＭＲＳシンボルの数が１に固定される場合、又は２に固定される場合、テーブルには、前方ＤＭＲＳシンボルの数の列が存在しなくてもよい。いくつかの実施形態では、テーブルには、データのないＤＭＲＳ ＣＤＭグループの数の列が存在しなくてもよい。いくつかの実施形態では、データのないＤＭＲＳ ＣＤＭグループの数は、１に固定されてもよいし、２に固定されてもよいし、３に固定されてもよい。いくつかの実施形態では、データのないＤＭＲＳ ＣＤＭグループの数の値は１ではない。
【０１３１】
いくつかの実施形態では、ＤＭＲＳポートは、テーブルにおける｛（０‐２）、（０‐３）、（０，２）、（３‐５）｝の部分集合であってもよい。いくつかの実施形態では、ＤＭＲＳポートは、いくつかの他の構成であってもよく、その構成では、１つよりも多いＤＭＲＳポートが存在する。この１つよりも多いＤＭＲＳポートのうち、少なくとも２つのＤＭＲＳポートは、ＦＤＭ及び／又はＴＤＭで多重化される。いくつかの実施形態では、ＤＭＲＳポートは、いくつかの他の構成であってもよく、その構成では、１つよりも多いＤＭＲＳポートが存在する。この１つよりも多いＤＭＲＳポートのうち、少なくとも２つのＤＭＲＳポートは、異なるＤＭＲＳグループからのものである。例えば、少なくとも１つのＤＭＲＳポートはＤＭＲＳグループＧ１からのものであり、少なくとも１つのＤＭＲＳポートはＤＭＲＳグループＧ２からのものである。
【０１３２】
いくつかの実施形態では、第２のＴＣＩ状態の値は、テーブルにおける｛Ａ，Ｂ，Ｃ，Ｄ，Ｅ，Ｆ，Ｇ，Ｈ｝の部分集合であってもよい。いくつかの実施形態では、ＤＭＲＳポートの異なる構成に対して、第２のＴＣＩ状態の値の数は異なってもよい。いくつかの実施形態では、指示（ここで、指示が「予約」されていない）の数がＲである場合、テーブル用のビットは、ｃｅｉｌ（ｌｏｇ２（Ｒ））である。いくつかの実施形態では、ＤＭＲＳポートの異なる構成に対して、第２のＴＣＩ状態の値の数は異なってもよい。
【表１４】
2021533643.tif 000016
【０１３３】
具体的な例として、ＴＣＩ状態は最大８個（例えば、ＴＣＩ状態｛Ａ，Ｂ，Ｃ，Ｄ，Ｅ，Ｆ，Ｇ，Ｈ｝）であってもよい。例えば、ＴＣＩフィールド１１４に対してＴＣＩ状態Ｃが構成されている。ＤＭＲＳタイプ２について、ＤＭＲＳの最大数／最大長が２であり、及び／又はコードワードの数が２である場合、ＴＣＩフィールド１２４及びＤＭＲＳポートは、以下のテーブルＩＩ−Ｄ−２によるＤＣＩ１１５に運ばれるアンテナポートのフィールドによって示されてもよい。テーブルＩＩ−Ｄ−２において、ＴＣＩフィールド１２４は、より一般的に第２のＴＣＩ状態と呼ばれる。ＴＣＩ状態＃１に対して示される値の具体的な値Ｃは、本開示の実施形態に対するいかなる限定をすることなく、例示に過ぎないことを理解されたい。ＴＣＩ状態＃１に対して示される値は、他の実施形態で｛Ａ，Ｂ，Ｃ，Ｄ，Ｅ，Ｆ，Ｇ，Ｈ｝からの任意の適切な値を有してもよい。
【０１３４】
いくつかの実施形態では、ＤＭＲＳタイプ２について、ＤＭＲＳの最大数／最大長が２であり、及び／又はコードワードの数が２である場合、データのないＤＭＲＳ ＣＤＭグループの数、前方ＤＭＲＳシンボルの数、ＤＭＲＳポートの数、ＤＭＲＳポートのインデックス、及び第２のＴＣＩ状態の値のうちの少なくとも１つを示すための対応するテーブルが、テーブルＩＩ−Ｄ−２の部分集合であることも可能である。いくつかの実施形態では、例えば、前方ＤＭＲＳシンボルの数が１に固定される場合、又は２に固定される場合、テーブルには、前方ＤＭＲＳシンボルの数の列が存在しなくてもよい。いくつかの実施形態では、テーブルには、データのないＤＭＲＳ ＣＤＭグループの数の列が存在しなくてもよい。いくつかの実施形態では、データのないＤＭＲＳ ＣＤＭグループの数は、１に固定されてもよいし、２に固定されてもよいし、３に固定されてもよい。いくつかの実施形態では、データのないＤＭＲＳ ＣＤＭグループの数の値は１ではない。
【０１３５】
いくつかの実施形態では、ＤＭＲＳポートは、テーブルにおける｛（０‐４）、（０‐５）、（０，１，２，３，６）、（０，１，２，３，６，８）、（０，１，２，３，６，７，８）、（０，１，２，３，６，７，８，９）｝の部分集合であってもよい。いくつかの実施形態では、ＤＭＲＳポートは、いくつかの他の構成であってもよく、その構成では、１つよりも多いＤＭＲＳポートが存在する。この１つよりも多いＤＭＲＳポートのうち、少なくとも２つのＤＭＲＳポートは、ＦＤＭ及び／又はＴＤＭで多重化される。いくつかの実施形態では、ＤＭＲＳポートは、いくつかの他の構成であってもよく、その構成では、１つよりも多いＤＭＲＳポートが存在する。この１つよりも多いＤＭＲＳポートのうち、少なくとも２つのＤＭＲＳポートは、異なるＤＭＲＳグループからのものである。例えば、少なくとも１つのＤＭＲＳポートはＤＭＲＳグループＧ１からのものであり、少なくとも１つのＤＭＲＳポートはＤＭＲＳグループＧ２からのものである。
【０１３６】
いくつかの実施形態では、第２のＴＣＩ状態の値は、テーブルにおける｛Ａ，Ｂ，Ｃ，Ｄ，Ｅ，Ｆ，Ｇ，Ｈ｝の部分集合であってもよい。いくつかの実施形態では、ＤＭＲＳポートの異なる構成に対して、第２のＴＣＩ状態の値の数は異なってもよい。いくつかの実施形態では、指示（ここで、指示が「予約」されていない）の数がＲである場合、テーブル用のビットは、ｃｅｉｌ（ｌｏｇ２（Ｒ））である。いくつかの実施形態では、テーブルＩＩ−Ｄ−２用のビット数は、テーブルＩＩ−Ｄ−１、即ち、ＤＭＲＳタイプが２であり、ＤＭＲＳの最大数／最大長が２であり、コードワードの数が１であるテーブル用のビット数と同じである。いくつかの実施形態では、ＤＭＲＳポートの異なる構成に対して、第２のＴＣＩ状態の値の数は異なってもよい。いくつかの実施形態では、Ｔは、６３、３１又は１５であってもよい。
【表１５】
2021533643.tif 000017
【０１３７】
テーブルＩＩ−Ａ−１は、３ＧＰＰ仕様書で定義されているＤＭＲＳタイプ１を考慮することに注意されたい。ＤＭＲＳポートを異なるＤＭＲＳグループにグループ化することで、アンテナポートのフィールドで示されるいくつかの可能なＤＭＲＳポートは、マルチＴＲＰ通信で使用できない。従って、テーブルＩ−Ａと比較して、テーブルＩＩ−Ａ−１は、４つの可能なＤＭＲＳポートの指示のみを含み、即ち、ＤＭＲＳポート｛０‐２｝、ＤＭＲＳポート｛０‐３｝、ＤＭＲＳポート｛０，２｝、及びＤＭＲＳポート｛０，２，４，６｝である。可能なＤＭＲＳポートの指示のそれぞれについて、ＴＣＩフィールド１２４がＴＣＩフィールド１１４と同一である場合を除いて、ＴＣＩフィールド１２４に対して示される可能なＴＣＩ状態が７個残り、これらのＴＣＩ状態は、テーブルＩＩ−Ａ−１に大文字Ａ〜Ｇで示されている。
【０１３８】
このように、ネットワークデバイス１１０は、ＤＭＲＳを送信するために選択されたＤＭＲＳポートと同じアンテナポートのフィールドでＴＣＩ状態１２４を示してもよい。例えば、テーブルＩＩ−Ａ−１に示すように、アンテナポートのフィールドが値１０を有する場合、ＤＭＲＳを送信するためにネットワークデバイス１１０、１２０で選択されたＤＭＲＳポート１２５、１３５はＤＭＲＳポート０−３であり、ＤＭＲＳグループ１２２に対するＴＣＩ状態１２４は状態「Ｅ」である。
【０１３９】
３ＧＰＰ仕様書で定義されているＤＭＲＳタイプ２については、第１のＤＭＲＳグループがＤＭＲＳポート｛０，１，６，７｝を含み、且つ別のＤＭＲＳグループがＤＭＲＳポート｛２，３，８，９，４，５，１０，１１｝を含む場合、例えばマルチＴＲＰ／パネル通信について異なるＴＣＩ状態が存在すると、使用できないいくつかのＤＭＲＳポートに対する指示も存在することを理解されたい。従って、ＴＣＩフィールド１２４及びＤＭＲＳを送信するために選択されたＤＭＲＳポートは同様に単一の指示によって示されてもよい。
【０１４０】
いくつかの実施形態では、第１のＤＭＲＳグループＧ１がＤＭＲＳポート｛０，１，６，７｝を含み、第２のＤＭＲＳグループＧ２がＤＭＲＳポート｛２，３，８，９，４，５，１０，１１｝を含む場合、この２つのＤＭＲＳグループに対して２つの異なるＴＣＩ状態の値が構成されると、ＤＭＲＳポートのいくつかの構成が使用されなくてもよい。例えば、２つのＤＭＲＳグループに対して２つの異なるＴＣＩ状態の値が構成されている場合、ＤＭＲＳポート（０，１，２，３，４，５）の指示は使用されなくてもよい。別の例では、２つのＤＭＲＳグループに対して２つの異なるＴＣＩ状態の値が構成されている場合、ＤＭＲＳポート（３，４，５）の指示は使用されなくてもよい。
【０１４１】
いくつかの実施形態では、第１のＤＭＲＳグループＧ１がＤＭＲＳポート｛０，１，６，７，４，５，１０，１１｝を含み、第２のＤＭＲＳグループＧ２がＤＭＲＳポート｛２，３，８，９｝を含む場合、２つのＤＭＲＳグループに対して２つの異なるＴＣＩ状態の値が構成されると、ＤＭＲＳポートのいくつかの構成は使用されなくてもよい。例えば、２つのＤＭＲＳグループに対して２つの異なるＴＣＩ状態の値が構成されている場合、ＤＭＲＳポート｛０，１，２，３，４，５｝の指示は使用されなくてもよい。
【０１４２】
いくつかの実施形態では、第１のＤＭＲＳグループＧ１がＤＭＲＳポート｛０，１，６，７，２，３，８，９｝を含み、第２のＤＭＲＳグループＧ２がＤＭＲＳポート｛４，５，１０，１１｝を含む場合、２つのＤＭＲＳグループに対して２つの異なるＴＣＩ状態の値が構成されると、ＤＭＲＳポートのいくつかの構成は使用されなくてもよい。例えば、２つのＤＭＲＳグループに対して２つの異なるＴＣＩ状態の値が構成されている場合、ＤＭＲＳポート｛０，１，２，３｝の指示は使用されなくてもよい。別の例として、２つのＤＭＲＳグループに対して２つの異なるＴＣＩ状態の値が構成されている場合、ＤＭＲＳポート（０，２）の指示は使用されなくてもよい。
【０１４３】
別の例では、２つのＤＭＲＳグループに対して２つの異なるＴＣＩ状態の値が構成されている場合、ＤＭＲＳポート（０，１，２）の指示は使用されなくてもよい。別の例では、２つのＤＭＲＳグループに対して２つの異なるＴＣＩ状態の値が構成されている場合、ＤＭＲＳポート（０，１，２，３，４）の指示は使用されなくてもよい。別の例では、２つのＤＭＲＳグループに対して２つの異なるＴＣＩ状態の値が構成されている場合、ＤＭＲＳポート（０，１，２，３，４，５）の指示は使用されなくてもよい。
【０１４４】
別の例では、２つのＤＭＲＳグループに対して２つの異なるＴＣＩ状態の値が構成されている場合、ＤＭＲＳポート（０，１，２，３，６）の指示は使用されなくてもよい。別の例では、２つのＤＭＲＳグループに対して２つの異なるＴＣＩ状態の値が構成されている場合、ＤＭＲＳポート（０，１，２，３，６，８）の指示は使用されなくてもよい。別の例では、２つのＤＭＲＳグループに対して２つの異なるＴＣＩ状態の値が構成されている場合、ＤＭＲＳポート（０，１，２，３，６，７，８）の指示は使用されなくてもよい。別の例では、２つのＤＭＲＳグループに対して２つの異なるＴＣＩ状態の値が構成されている場合、ＤＭＲＳポート（０，１，２，３，６，７，８，９）の指示は使用されなくてもよい。
【０１４５】
いくつかの実施形態では、上記の指示について、２つのＤＭＲＳグループに対して２つの異なるＴＣＩ状態の値が構成されている場合、２つのＤＭＲＳグループに対して当該２つのＴＣＩ状態の値のうちの１つのみが想定されてもよい。例えば、第１のＴＣＩ状態の値又は第２のＴＣＩ状態の値が想定されてもよい。
【０１４６】
いくつかの実施形態では、端末デバイスは、１つのＤＣＩに２つのＴＣＩ状態（例えば、ＴＣＩ状態＃１及びＴＣＩ状態＃２）で構成される。いくつかの実施形態では、ＴＣＩ状態＃１は、ＴＣＩグループＸ（例えば、ＴＣＩグループＸは、ＴＣＩ状態Ｘ０、Ｘ１、...Ｘｗ−１を含む）から選択されてもよい。ＴＣＩグループＸには、最大Ｗ個のＴＣＩ状態が存在してもよい。いくつかの実施形態では、ＴＣＩ状態＃２は、ＴＣＩグループＹから選択されてもよい。ＴＣＩグループＹには、最大Ｖ個のＴＣＩ状態が存在してもよい（例えば、ＴＣＩグループＹは、ＴＣＩ状態Ｙ０、Ｙ１、...Ｙｖ−１を含む）。いくつかの実施形態では、ＴＣＩ状態＃２用のＴＣＩグループＹは、ＴＣＩ状態＃１用のＴＣＩグループＸの部分集合であってもよい。即ち、Ｖ≦Ｗであり、ＴＣＩグループＹにおけるＹｉの各値は、ＴＣＩグループＸに含まれる。
【０１４７】
いくつかの実施形態では、ＤＣＩには、２つのＴＣＩ状態（ＴＣＩ状態＃１及びＴＣＩ状態＃２）の値をそれぞれ示すために、２つのフィールド（ＴＣＩフィールド＃１及びＴＣＩフィールド＃２）が存在してもよい。いくつかの実施形態では、ＴＣＩフィールド＃２におけるビット数は、ＴＣＩフィールド＃１におけるビット数よりも少なくてもよい。いくつかの実施形態では、ＴＣＩ状態＃２の可能な値の数は、ＴＣＩ状態＃１の可能な値の数よりも少なくてもよい。いくつかの実施形態では、ＴＣＩフィールド＃１におけるＴＣＩ状態＃１を示すためのビット数は、ｃｅｉｌ（ｌｏｇ２（ｗ））であってもよい。
【０１４８】
例えば、Ｗは１、２、４又は８であってもよく、ＴＣＩ状態＃１及び／又はＴＣＩ状態＃２を示すためのビット数は、それぞれ０、１、２又は３であってもよい。別の例では、ＴＣＩ状態＃１を示すためのビット数は３に固定され、ＴＣＩグループにおいて、ＴＣＩ状態の数Ｗは８以下であってもよい。別の例では、ＴＣＩ状態＃１を示すためのビット数は２に固定され、ＴＣＩグループにおいて、ＴＣＩ状態の数Ｗは４以下であってもよい。別の例では、ＴＣＩ状態＃１及び／又はＴＣＩ状態＃２を示すためのビット数は１に固定され、ＴＣＩグループにおいて、ＴＣＩ状態の数Ｗは、２以下であってもよい。
【０１４９】
いくつかの実施形態では、ＴＣＩフィールド＃２におけるＴＣＩ状態＃２を示すためのビット数は、ｃｅｉｌ（ｌｏｇ２（Ｖ＋１））であってもよい。異なるＴＣＩ状態＃２の値を示すためのＶ＋１個のインデックスが存在してもよく、このＶ＋１個のインデックスのうち、ＴＣＩ状態＃１の値と同じであるＴＣＩ状態＃２の値を示すための１つのインデックス（例えば、インデックス「０００」又はインデックス「０」）がある。他のＶ個のインデックスは、ＴＣＩグループＹ内のＴＣＩ状態の値を示すために用いられる（例えば、ＴＣＩグループＹは、ＴＣＩ状態Ｙ０，Ｙ１，...Ｙｖ−１を含む）。
【０１５０】
例えば、Ｖは｛１，２，３，４，５，６，７｝のうちのいずれかであってもよく、ＴＣＩ状態＃２を示すためのビット数は、それぞれ０、１、２又は３であってもよい。別の例では、ＴＣＩ状態＃２を示すビット数は３に固定され、ＴＣＩグループにおいて、ＴＣＩ状態の数Ｖ＋１は８以下であってもよい。別の例では、ＴＣＩ状態＃２を示すためのビット数は２に固定され、ＴＣＩグループにおいて、ＴＣＩ状態の数Ｖ＋１は４以下であってもよい。別の例では、ＴＣＩ状態＃２を示すためのビット数は１に固定され、ＴＣＩグループにおいて、ＴＣＩ状態の数Ｖ＋１は２以下であってもよい。
【０１５１】
いくつかの実施形態では、１つのＤＣＩにおけるＴＣＩ状態の可能な値の数は８以下である。ＴＣＩ状態の可能な値は、ＴＣＩグループＸから選択され、例えば、Ｘは｛Ａ，Ｂ，Ｃ，Ｄ，Ｅ，Ｆ，Ｇ，Ｈ｝の部分集合である。いくつかの実施形態では、｛Ａ，Ｂ，Ｃ，Ｄ，Ｅ，Ｆ，Ｇ，Ｈ｝の集合は、２つのサブグループに分割されてもよい。例えば、ＴＣＩ状態の第１のサブグループＳ１は、｛Ａ，Ｂ，Ｃ，Ｄ｝の部分集合であり、ＴＣＩ状態の第２のサブグループＳ２は、｛Ｅ，Ｆ，Ｇ，Ｈ｝の部分集合であってもよい。いくつかの実施形態では、端末デバイスは、１つのＤＣＩに２つのＴＣＩ状態（例えば、ＴＣＩ状態＃１及びＴＣＩ状態＃２）で構成される。いくつかの実施形態では、ＴＣＩ状態＃１は、ＴＣＩグループＸからの値で示されてもよい。ＴＣＩ状態＃２は、サブグループＳ１又はサブグループＳ２からの値で示されてもよい。ＴＣＩ状態＃２がサブグループＳ１からの値で示されるか、或いはサブグループＳ２からの値で示されるかは、示されたＴＣＩ状態＃１の値に依存する。例えば、示されたＴＣＩ状態＃１の値がサブグループＳ１内にない場合、ＴＣＩ状態＃２は、サブグループＳ１からの値で示される。別の例では、示されたＴＣＩ状態＃１の値がサブグループＳ２内にない場合、ＴＣＩ状態＃２は、サブグループＳ２からの値で示される。
【０１５２】
いくつかの実施形態では、マルチユーザスケジューリングのための端末デバイスごとの直交ＤＭＲＳポートの最大数は、４よりも大きくてもよい。いくつかの実施形態では、２つのＤＭＲＳグループ（例えば、ＤＭＲＳグループＧ１及びＤＭＲＳグループＧ２）が端末デバイスに対して構成され、２つの異なるＴＣＩ状態の値が端末デバイスに対して構成される。いくつかの実施形態では、直交ＤＭＲＳポートの数（ここで、直交ＤＭＲＳポートが端末デバイスに対して構成され、且つ、ＤＭＲＳグループＧ１に含まれる）は、４以下である。端末デバイスは、（端末デバイスに対して構成されたＤＭＲＳポートを除く）ＤＭＲＳグループＧ１内の残りの直交ＤＭＲＳポートのすべてが、別の端末デバイスへのＰＤＳＣＨの送信に関連付けられていないことを想定しない。いくつかの実施形態では、直交ＤＭＲＳポート（ここで、直交ＤＭＲＳポートが端末デバイスに対して構成され、且つ、ＤＭＲＳグループＧ２に含まれる）の数は、４以下である。端末デバイスは、（端末デバイスに対して構成されたＤＭＲＳポートを除く）ＤＭＲＳグループＧ２内の残りの直交ＤＭＲＳポートのすべてが、別の端末デバイスへのＰＤＳＣＨの送信に関連付けられていないことを想定しない。
【０１５３】
より一般的に、ネットワークデバイス１１０は、ＤＣＩ１１５内の２つのＴＣＩフィールドを使用してＴＣＩ状態１１４、１２４を示してもよい。これについて、図３は、本開示のいくつかの実施形態にかかる複数のＴＣＩフィールド３１０、３２０の例３００を示す。フィールド３１０、３２０は、２つのビットマップ３１０、３２０と呼ばれることもあり、ビットマップ３２０は、ビットマップ３１０よりも少ないビット数を有する。このように、複数のネットワークデバイスに対する異なるＴＣＩ状態が柔軟に示されることができ、拡張が容易になる。
【０１５４】
ビットマップ３１０、３２０により、ネットワークデバイス１１０は、ビットマップ３１０の値を用いて、ＴＣＩ状態１１４の特定のＴＣＩ状態を示してもよい。例えば、ＴＣＩ状態１１４について８個の可能なＴＣＩ状態がある場合、ビットマップ３１０は３ビットを含んでもよい。ＴＣＩ状態１１４について１６個の可能なＴＣＩ状態がある場合、ビットマップ３１０は４ビットを含んでもよい。以降は同様である。ビットマップ３２０について、その所定値は、ＴＣＩ状態１２４がＴＣＩ状態１１４と同一であることを示してもよい。ビットマップ３２０の所定値と異なる他の値は、特定のＴＣＩ状態を示してもよい。
【０１５５】
図４は、本開示のいくつかの実施形態にかかる２ビットの第２のＴＣＩフィールド３２０の例４００を示す。例えば、これは、ＴＣＩ状態１２４に対して示される可能なＴＣＩ状態の数が３未満である場合であってもよい。これは、ビットマップ３２０が２ビットに低減されることができることを意味する。例４００では、第２のＴＣＩフィールド３１０の値が「００」である場合、ＴＣＩ状態１２４はＴＣＩ状態１１４と同一であり、第２のＴＣＩフィールド３１０の値が「０１」である場合、ＴＣＩ状態１２４はＴＣＩ状態「Ａ」であり、第２のＴＣＩフィールド３１０の値が「１０」である場合、ＴＣＩ状態１２４はＴＣＩ状態「Ｂ」であり、第２のＴＣＩフィールド３１０の値が「１１」である場合、ＴＣＩ状態１２４はＴＣＩ状態「Ｃ」であってもよい。
【０１５６】
具体的な第２のＴＣＩフィールド３１０の値及び具体的なＴＣＩ状態Ａ−Ｃは、本開示の実施形態に対するいかなる限定をすることなく、例示に過ぎないことを理解されたい。第２のＴＣＩフィールド３１０の値及び示されるＴＣＩ状態は、他の実施形態で任意の適切な対応関係を有してもよい。
【０１５７】
いくつかの実施形態では、ＴＣＩ状態１１４、１２４を決定するために、ネットワークデバイス１１０は、ＤＭＲＳグループに対するすべての潜在的なＴＣＩ状態（例えば、ＴＣＩ状態Ａ−Ｈ）を、異なるＴＣＩ状態のグループに分割してもよい。例えば、ＴＣＩ状態の第１のグループは｛Ａ、Ｂ、Ｃ、Ｄ｝を含み、ＴＣＩ状態の第２のグループは｛Ｅ、Ｆ、Ｇ、Ｈ｝を含んでもよい。様々な他の分割方法が可能であることを理解されたい。他の実施形態では、このＴＣＩ状態のグループ化は、通信ネットワーク内の他のエンティティ、例えば上位レイヤエンティティによって実行されてもよい。
【０１５８】
ＴＣＩ状態１１４について、ネットワークデバイス１１０は、すべてのＴＣＩ状態のグループからのすべての潜在的なＴＣＩ状態（例えば、ＴＣＩ状態Ａ−Ｈ）から選択してもよい。そして、ＴＣＩ状態１２４について、ネットワークデバイス１１０は、ＴＣＩ状態１１４を含むグループとは異なるグループから可能なＴＣＩ状態を選択してもよい。例えば、ＴＣＩ状態１１４がＴＣＩ状態の第１のグループからのＴＣＩ状態Ａである場合、ＴＣＩ状態１２４は、ＴＣＩ状態の第２のグループから選択される。
【０１５９】
即ち、２以上のＤＭＲＳグループが上位レイヤに構成される場合、ＴＣＩ状態は上位レイヤ、及び／又はＭＡＣ  ＣＥにおいて２つ以上のグループにグループ化されることもでき、例えば最大８個のＴＣＩ状態がマッピングされることができる。この場合、ＴＣＩ状態１１４について、最大８個のＴＣＩ状態がマッピングされることができ、ＴＣＩ状態１２４について、最大Ｋ個のＴＣＩ状態がマッピングされることができ、例えば、Ｋ≦８である。このように、ネットワークデバイス１２０のＤＭＲＳグループ１２２に対するＴＣＩ状態１２４の可能なＴＣＩ状態を減少させることができ、従って、ＴＣＩ状態１２４を示すためのオーバーヘッドを低減させることができる。
【０１６０】
図２に戻り、ネットワークデバイス１１０は、ＤＣＩ１１５を端末デバイス１３０に送信してもよい（２１５）。これにより、端末デバイス１３０は、後に、ＴＣＩ状態１１４、１２４に基づいて、ネットワークデバイス１１０、１２０によって選択されたＤＭＲＳポートで、ネットワークデバイス１１０、１２０からＤＭＲＳ１２５、１３５を受信することができる。いくつかの実施形態では、ＤＣＩ１１５は、ネットワークデバイス１１０から端末デバイス１３０へのＰＤＣＣＨに運ばれてもよい。
【０１６１】
本開示のいくつかの実施形態では、マルチＴＲＰ通信のためのレイヤーマッピングのソリューションも提案する。一般的に、情報ビットの同じブロックから発生するチャネルエンコードされたビットは、典型的には「コードワード」と呼ばれる。これは、ＬＴＥ仕様書で、特定のトランスポートブロックにサービスを提供する単一のＨＡＲＱプロセスから特定のサブフレームに向けた出力を説明するために使用される用語でもあり、例えば、ターボエンコーディング、レートマッチング、インターリーブなどを実行することで情報ビットを処理した結果である。ＬＴＥのもう１つの興味深い特徴は、送信側及び受信側の両方で複数のアンテナをサポートすることである。複数の送信アンテナのデバイス又はシステムでは、結果として得られたコードワードが変調され、送信用の送信アンテナに分配される。例えば、４つの送信アンテナのシステムにおいて、第１の変調コードワードは、最初の２つの送信アンテナにマッピングされ、第２の変調コードワードは、残りの２つの送信アンテナにマッピングされてもよい。
【０１６２】
さらに、プリコーディングは、マルチアンテナ送信と組み合わせて使用される一般的な技術である。プリコーディングに関する基本的な原理は、現在のチャネル条件も潜在的に考慮しながら、変調シンボルをアンテナに混合して分散させることである。プリコーディングは、例えば、変調シンボルを含むシンボルベクトルを搬送する情報に、チャネルに適合するように選択された行列を乗算することによって実施されることができる。これにより、シンボルベクトルのシーケンスは、並列シンボルストリームのセットを形成し、このようなシンボルストリームのそれぞれは、典型的には「レイヤ」と呼ばれる。従って、特定の実施形態におけるプリコーダの選択に応じて、レイヤは特定のアンテナに直接に対応することができ、あるいは、レイヤは、プリコーダマッピングを介して、複数のアンテナ（アンテナポートとしても知られている）に分散されることができる。このようなシステムでコードワードが特定のレイヤに割り当てられるメカニズムは、「マッピング」と呼ばれ、より具体的には「コードワードからレイヤへのマッピング（codeword to layer mapping）」と呼ばれる。
【０１６３】
上述したように、マルチＴＲＰ通信において、複数のネットワークデバイスに対して異なるＤＭＲＳグループが存在する。従って、レイヤマッピングを実行する際に、１つのＤＭＲＳグループ内のＤＭＲＳポートに関連する空間レイヤに１つのコードワードをマッピングすることが望ましい。従って、マルチＴＲＰ通信シナリオに対してレイヤマッピングを実行する際に、ネットワークデバイス１１０は、１つのコードワードを、ＤＭＲＳグループのうちの１つのＤＭＲＳグループ内のＤＭＲＳポートに関連する空間レイヤにマッピングしてもよい。この目的のために、マルチＴＲＰ通信に対して、異なるコードワードのレイヤマッピングのより多くの指示が導入されてもよい。このように、同じコードワードが、互いに疑似コロケーション化されたＤＭＲＳポートに関連するレイヤにマッピングされるので、マルチＴＲＰ通信の性能が改善されることができる。
【０１６４】
いくつかの実施形態では、端末デバイスは、ＤＭＲＳのタイプ、及び／又はＤＭＲＳの最大数／最大長、及び／又はコードワードの数で構成されてもよい。端末デバイスが、所与のＤＭＲＳタイプ、所与のＤＭＲＳの最大数／最大長の値、及び２つのコードワード（例えば、ＣＷ＃０及びＣＷ＃１）で構成されている場合、アンテナポート、データのないＤＭＲＳ ＣＤＭグループの数、前方ＤＭＲＳシンボルの数、ＤＭＲＳポートの数、及びＤＭＲＳポートのインデックスのうちの少なくとも１つを示すための、１つの対応するテーブルＱが存在する。
【０１６５】
いくつかの実施形態では、所与のデータのないＤＭＲＳ ＣＤＭグループの数、所与のＤＭＲＳポートの数（例えば、数はＬであり、ここで、Ｌは整数であり、且つＬ≧１である）、所与のＤＭＲＳポートのインデックス（例えば、｛Ｐ１，Ｐ２，Ｐ３，...ＰＬ｝）、及び／又は所与の前方ＤＭＲＳポートの数について、構成されたＤＭＲＳポート（例えば、｛Ｐ１，Ｐ２，Ｐ３，...ＰＬ｝）は、２つのＤＭＲＳグループ（例えば、ＤＭＲＳグループＧ１及びＤＭＲＳグループＧ２）内に含まれる。
【０１６６】
いくつかの実施形態では、２つのＤＭＲＳグループに対して、１つのＴＣＩ状態のみ、又は２つの同じＴＣＩ状態が構成される。所与のデータのないＤＭＲＳ ＣＤＭグループの数、所与のＤＭＲＳポートの数（例えば、数はＬであり、ここでＬは整数であり、且つＬ≧１である）、所与のＤＭＲＳポートのインデックス（例えば、｛Ｐ１，Ｐ２，Ｐ３，...ＰＬ｝）、及び／又は所与の前方ＤＭＲＳポートの数について、レイヤマッピングはマッピングスキームＡであり、２つのコードワードは、構成されたＤＭＲＳポート｛Ｐ１，Ｐ２，Ｐ３，...ＰＬ｝に基づいて、昇順にマッピングされる。即ち、ＣＷ＃０は、ポート
【数１】
2021533643.tif 000018
にマッピングされ、ＣＷ＃１は、ポート
【数２】
2021533643.tif 000019
にマッピングされる。
【０１６７】
いくつかの実施形態では、２つのＤＭＲＳグループに対して、２つの異なるＴＣＩ状態が構成される。所与のデータのないＤＭＲＳ ＣＤＭグループの数、所与のＤＭＲＳポートの数（例えば、数はＬであり、ここで、Ｌは整数であり、且つＬ≧１である）、所与のＤＭＲＳポートのインデックス（例えば、｛Ｐ１，Ｐ２，Ｐ３，...ＰＬ｝）、及び／又は所与の前方ＤＭＲＳポートの数について、レイヤマッピングはマッピングスキームＢであり、各コードワードは、構成されたＤＭＲＳポート｛Ｐ１，Ｐ２，Ｐ３，...ＰＬ｝に基づいて、昇順にＤＭＲＳポートにマッピングされ、ＤＭＲＳポートは１つのＤＭＲＳグループ内にある。例えば、ＣＷ＃０はＤＭＲＳグループＧ１に含まれるポートにマッピングされ、ＣＷ＃１はＤＭＲＳグループＧ２に含まれるポートにマッピングされる。
【０１６８】
いくつかの実施形態では、テーブルＱにおいて、データのないＤＭＲＳ ＣＤＭグループの数の同じ値、ＤＭＲＳポートの数の同じ値、ＤＭＲＳポートの同じインデックス、及び／又は前方ＤＭＲＳシンボルの数の同じ値を示す２つの値／インデックス／指示が存在してもよい。テーブルＱにおけるデータのないＤＭＲＳ ＣＤＭグループの数の同じ値、ＤＭＲＳポートの数の同じ値、ＤＭＲＳポートの同じインデックス、及び／又は前方ＤＭＲＳシンボルの数の同じ値を示す２つの値／インデックス／指示は、２つの異なるレイヤマッピングスキーム（レイヤマッピングＡ及びレイヤマッピングＢ）を示すために使用される。
【０１６９】
いくつかの実施形態では、ＤＭＲＳタイプ１及びＤＭＲＳポート０−４による指示について、２つの異なるＴＣＩ状態が構成されている場合、ＣＷ＃０はＤＭＲＳポート｛２，３｝にマッピングされ、ＣＷ＃１はＤＭＲＳポート｛０，１，４｝にマッピングされてもよい。１つのＴＣＩ状態のみ、又は２つの同じＴＣＩ状態が構成されている場合、ＣＷ＃０はＤＭＲＳポート｛０，１｝にマッピングされ、ＣＷ＃１はＤＭＲＳポート｛２，３，４｝にマッピングされてもよい。
【０１７０】
いくつかの実施形態では、ＤＭＲＳタイプ１及び／又はＤＭＲＳタイプ２、ならびにＤＭＲＳポート（０，１，２）による指示について、２つの異なるＴＣＩ状態が構成されている場合、ＣＷ＃０はＤＭＲＳポート｛２｝にマッピングされ、ＣＷ＃１はＤＭＲＳポート｛０，１｝にマッピングされてもよい。１つのＴＣＩ状態のみ、又は２つの同じＴＣＩ状態が構成されている場合、ＣＷ＃０はＤＭＲＳポート｛０｝にマッピングされ、ＣＷ＃１はＤＭＲＳポート｛１，２｝にマッピングされてもよい。
【０１７１】
いくつかの実施形態では、ＤＭＲＳタイプ１及びＤＭＲＳポート（０，１，２，３，４，６）による指示について、２つの異なるＴＣＩ状態が構成されている場合、ＣＷ＃０はＤＭＲＳポート｛０，１，４｝にマッピングされ、ＣＷ＃１はＤＭＲＳポート｛２，３，６｝にマッピングされてもよい。１つのＴＣＩ状態のみ、又は２つの同じＴＣＩ状態が構成される場合、ＣＷ＃０はＤＭＲＳポート｛０，１，２｝にマッピングされ、ＣＷ＃１はＤＭＲＳポート｛３，４，６｝にマッピングされてもよい。
【０１７２】
いくつかの実施形態では、ＤＭＲＳタイプ１及びＤＭＲＳポート（０，１，２，３，４，５，６）による指示について、２つの異なるＴＣＩ状態が構成されている場合、ＣＷ＃０はＤＭＲＳポート｛２，３，６｝にマッピングされ、ＣＷ＃１はＤＭＲＳポート｛０，１，４，５｝にマッピングされてもよい。１つのＴＣＩ状態のみ、又は２つの同じＴＣＩ状態が構成される場合、ＣＷ＃０はＤＭＲＳポート｛０，１，２｝にマッピングされ、ＣＷ＃１はＤＭＲＳポート｛３，４，５，６｝にマッピングされてもよい。
【０１７３】
いくつかの実施形態では、ＤＭＲＳタイプ１及びＤＭＲＳポート（０，１，２，３，４，５，６，７）による指示について、２つの異なるＴＣＩ状態が構成されている場合、ＣＷ＃０はＤＭＲＳポート｛０，１，４，５｝にマッピングされ、ＣＷ＃１はＤＭＲＳポート｛２，３，６，７｝にマッピングされてもよい。１つのＴＣＩ状態のみ、又は２つの同じＴＣＩ状態が構成される場合、ＣＷ＃０はＤＭＲＳポート｛０，１，２，３｝にマッピングされ、ＣＷ＃１はＤＭＲＳポート｛４，５，６，７｝にマッピングされてもよい。
【０１７４】
いくつかの実施形態では、ＤＭＲＳタイプ２及びＤＭＲＳポート（３，４，５）による指示について、２つの異なるＴＣＩ状態が構成されている場合、ＣＷ＃０はＤＭＲＳポート｛５｝にマッピングされ、ＣＷ＃１はＤＭＲＳポート｛３，４｝にマッピングされてもよい。１つのＴＣＩ状態のみ、又は２つの同じＴＣＩ状態が構成されている場合、ＣＷ＃０はＤＭＲＳポート｛３｝にマッピングされ、ＣＷ＃１はＤＭＲＳポート｛４，５｝にマッピングされてもよい。
【０１７５】
いくつかの実施形態では、ＤＭＲＳタイプ２及びＤＭＲＳポート（０，１，２，３，４）による指示について、２つの異なるＴＣＩ状態が構成されている場合、ＣＷ＃０はＤＭＲＳポート｛２，３｝にマッピングされ、ＣＷ＃１はＤＭＲＳポート｛０，１，４｝にマッピングされてもよい。１つのＴＣＩ状態のみ、又は２つの同じＴＣＩ状態が構成される場合、ＣＷ＃０はＤＭＲＳポート｛０，１｝にマッピングされ、ＣＷ＃１はＤＭＲＳポート｛２，３，４｝にマッピングされてもよい。
【０１７６】
いくつかの実施形態では、ＤＭＲＳタイプ２及びＤＭＲＳポート（０，１，２，３，４，５）による指示について、２つの異なるＴＣＩ状態が構成されている場合、ＣＷ＃０はＤＭＲＳポート｛０，１｝にマッピングされ、ＣＷ＃１はＤＭＲＳポート｛２，３，４，５｝にマッピングされてもよい。代替的に、２つの異なるＴＣＩ状態が構成されている場合、ＣＷ＃０はＤＭＲＳポート｛２，３｝にマッピングされ、ＣＷ＃１はＤＭＲＳポート｛０，１，４，５｝にマッピングされてもよい。１つのＴＣＩ状態のみ、又は２つの同じＴＣＩ状態が構成されている場合、ＣＷ＃０はＤＭＲＳポート｛０，１，２｝にマッピングされ、ＣＷ＃１はＤＭＲＳポート｛３，４，５｝にマッピングされてもよい。
【０１７７】
いくつかの実施形態では、ＤＭＲＳタイプ２及びＤＭＲＳポート（０，１，２，３，６）による指示について、２つの異なるＴＣＩ状態が構成されている場合、ＣＷ＃０はＤＭＲＳポート｛２，３｝にマッピングされ、ＣＷ＃１はＤＭＲＳポート｛０，１，６｝にマッピングされてもよい。１つのＴＣＩ状態のみ、又は２つの同じＴＣＩ状態が構成されている場合、ＣＷ＃０はＤＭＲＳポート｛０，１｝にマッピングされ、ＣＷ＃１はＤＭＲＳポート｛２，３，６｝にマッピングされてもよい。
【０１７８】
いくつかの実施形態では、ＤＭＲＳタイプ２及びＤＭＲＳポート（０，１，２，３，６，８）による指示について、２つの異なるＴＣＩ状態が構成されている場合、ＣＷ＃０はＤＭＲＳポート｛０，１，６｝にマッピングされ、ＣＷ＃１はＤＭＲＳポート｛２，３，８｝にマッピングされてもよい。１つのＴＣＩ状態のみ、又は２つの同じＴＣＩ状態が構成されている場合、ＣＷ＃０はＤＭＲＳポート｛０，１，２｝にマッピングされ、ＣＷ＃１はＤＭＲＳポート｛３，６，８｝にマッピングされてもよい。
【０１７９】
いくつかの実施形態では、ＤＭＲＳタイプ２及びＤＭＲＳポート（０，１，２，３，６，７，８）による指示について、２つの異なるＴＣＩ状態が構成されている場合、ＣＷ＃０はＤＭＲＳポート｛２，３，８｝にマッピングされ、ＣＷ＃１はＤＭＲＳポート｛０，１，６，７｝にマッピングされてもよい。１つのＴＣＩ状態のみ、又は２つの同じＴＣＩ状態が構成されている場合、ＣＷ＃０はＤＭＲＳポート｛０，１，２｝にマッピングされ、ＣＷ＃１はＤＭＲＳポート｛３，６，７，８｝にマッピングされてもよい。
【０１８０】
いくつかの実施形態では、ＤＭＲＳタイプ２及びＤＭＲＳポート（０，１，２，３，６，７，８，９）による指示について、２つの異なるＴＣＩ状態が構成されている場合、ＣＷ＃０はＤＭＲＳポート｛０，１，６，７｝にマッピングされ、ＣＷ＃１はＤＭＲＳポート｛２，３，８，９｝にマッピングされてもよい。また、１つのＴＣＩ状態のみ、又は２つの同じＴＣＩ状態が構成されている場合、ＣＷ＃０はＤＭＲＳポート｛０，１，２，３｝にマッピングされ、ＣＷ＃１はＤＭＲＳポート｛６，７，８，９｝にマッピングされてもよい。
【０１８１】
例えば、２つのＤＭＲＳグループが構成され、且つこの２つのＤＭＲＳグループに対して異なるＴＣＩ状態が存在する場合、ＤＭＲＳテーブル（例えば、テーブルＩ−Ａ、テーブルＩ−Ｂ、テーブルＩ−Ｃ、テーブルＩ−Ｄ、テーブルＱ１、テーブルＱ２−Ａ、テーブルＱ２−Ｂ、テーブルＩＩ−Ａ−１、テーブルＩＩ−Ａ−２、テーブルＩＩ−Ｂ−１、テーブルＩＩ−Ｃ−１、テーブルＩＩ−Ｃ−２、テーブルＩＩ−Ｄ−１及びテーブルＩＩ−Ｄ−２）におけるコードワードからレイヤへのマッピングは、異なる解釈を有してもよい。特に、ＤＭＲＳタイプ１の場合、ＤＭＲＳポート０−４による指示について、１つの単一のＴＣＩ状態及び／又は１つの単一のＤＭＲＳグループが存在する場合、現在の仕様書で定義されているようなマッピング方式が使用されてもよく、２つの異なるＴＣＩ状態が存在する場合、マッピング方式は、１つのコードワードについてＤＭＲＳポート｛２，３｝であり、別のコードワードについてＤＭＲＳポート｛０，１，４｝であるべきである。これについて、以下の「テーブルＩＩの一部」を参照してさらに詳細に説明する。
【表１６】
2021533643.tif 000020
【０１８２】
上記に示すように、アンテナポートのフィールドの値が０である場合、ＤＭＲＳポートは０−４である。２つのＤＭＲＳグループは、ＤＭＲＳポート｛０，１，４，５｝及びＤＭＲＳポート｛２，３，６，７｝である。従って、単一のＴＣＩ状態について、コードワード０は、ＤＭＲＳポート０、１に関連する空間レイヤにマッピングされ、コードワード１は、ＤＭＲＳポート２、３、４に関連する空間レイヤにマッピングされてもよい。また、２つのＤＭＲＳグループに対して２つのＴＣＩ状態が存在する場合、コードワード０はＤＭＲＳポート２、３に関連する空間レイヤにマッピングされ、コードワード１はＤＭＲＳポート０、１、４に関連する空間レイヤにマッピングされてもよい。このように、同じコードワードが同じＤＭＲＳグループからのＤＭＲＳポートに関連するレイヤにマッピングされることが確保された。ＤＭＲＳタイプ２の例を、以下のテーブルＩＩＩを参照して説明する。
【表１７】
2021533643.tif 000021
【０１８３】
上記に示すように、アンテナポートのフィールドの値が１である場合、ＤＭＲＳポートは０−５である。上述したように、ＤＭＲＳタイプ２について、１つのＤＭＲＳグループは、ＤＭＲＳポート｛０，１，６，７｝を含んでもよく、別のＤＭＲＳグループは、ＤＭＲＳポート｛２，３，８，９｝を含んでもよく、ＤＭＲＳポート｛４，５，１０，１１｝は、１つのグループにしか追加できない。従って、単一のＴＣＩについて、コードワード０は、ＤＭＲＳポート０、１、２に関連する空間レイヤにマッピングされ、コードワード１は、ＤＭＲＳポート３、４、５に関連する空間レイヤにマッピングされてもよい。２つのＤＭＲＳグループに対して２つのＴＣＩ状態が存在する場合、コードワード０はＤＭＲＳポート２、３に関連する空間レイヤにマッピングされ、コードワード１はＤＭＲＳポート０、１、４、５に関連する空間レイヤにマッピングされてもよい。代替的に、コードワード０は、ＤＭＲＳポート０、１に関連する空間レイヤにマッピングされ、コードワード１は、ＤＭＲＳポート２、３、４、５に関連する空間レイヤにマッピングされてもよい。他の実施形態では、ＤＭＲＳタイプ２によるレイヤマッピングは、マルチＴＲＰ通信に使用されなくてもよい。
【０１８４】
図２に続いて、端末デバイス１３０は、例えばＰＤＣＣＨを介して、ネットワークデバイス１１０からＤＣＩ１１５を受信する（２１５）。他の実施形態では、端末デバイス１３０は、端末デバイス１３０と通信するネットワークデバイスの任意の組み合わせからＤＣＩを受信してもよい。
【０１８５】
上述したように、ネットワークデバイス１１０は、ＤＣＩ１１５において、ＴＣＩ状態１１４、１２４及びＤＭＲＳ１２５、１３５を送信するためのＤＭＲＳポートを示した。これに対応して、受信側では、端末デバイス１３０は、ＤＣＩ１１５から、ネットワークデバイス１１０、１２０のＤＭＲＳグループ１１２、１２２に対するＴＣＩ状態１１４、１２４を決定する（２２０）。端末デバイス１３０は、ＤＣＩ１１５から、ネットワークデバイス１１０、１２０によって送信されるＤＭＲＳ１２５、１３５を受信するためのＤＭＲＳポート２２０を決定する（２２０）。
【０１８６】
ネットワークデバイス１１０が、ＤＣＩ１１５でＴＣＩ状態１１４を示し、且つＴＣＩ状態１２４がＴＣＩ状態１１４と同一であるか否かを示す場合、これに対応して、受信側では、端末デバイス１３０は、まずＴＣＩ状態１１４を決定し、次にＴＣＩ状態１２４がＴＣＩ状態１１４と同一であるか否かを決定してもよい。ＴＣＩ状態１２４がＴＣＩ状態１１４と異なる場合、端末デバイス１３０は、ＤＣＩ１１５における単一の指示に基づいて、ＴＣＩ状態１２４、及びＤＭＲＳ１２５、１３５を受信するためのＤＭＲＳポートを決定してもよい。
【０１８７】
ネットワークデバイス１１０が、ＴＣＩ状態１１４、１２４を示すために２つのビットマップ３１０、３２０を設定する場合、端末デバイス１３０は、この２つのビットマップ３１０、３２０を取得してもよい。そして、端末デバイス１３０は、ビットマップ３１０の値に基づいてＴＣＩ状態１１４を決定する。ビットマップ３２０が所定値を有する場合、端末デバイス１３０は、ＴＣＩ状態１２４がＴＣＩ状態１１４と同一であると決定する。ビットマップ３２０が所定値と異なる値を有する場合、端末デバイス１３０は、その値に基づいてＴＣＩ状態１２４を決定する。
【０１８８】
端末デバイス１３０は、ＴＣＩ状態１１４に基づいて、ＤＭＲＳグループ１１２に属するＤＭＲＳポートでネットワークデバイス１１０からＤＭＲＳ１２５を受信する（２２５）。同様に、端末デバイス１３０は、ＴＣＩ状態１２４に基づいて、ＤＭＲＳグループ１２２に属するＤＭＲＳポートでネットワークデバイス１２０からＤＭＲＳ１３５を受信する（２３０）。端末デバイス１３０と通信するネットワークデバイスがより多く存在する場合、これらのネットワークデバイスによって送信されるＤＭＲＳも同様に受信されてもよい。
【０１８９】
本開示のいくつかの実施形態では、位相トラッキング参照信号（ＰＴＲＳ）を使用するマルチＴＲＰ通信に関するソリューションも提案する。一般的に、５Ｇ ＮＲで起こる最も明らかな変化は、５Ｇの容量を大幅に高めるための非常に有望なアプローチとしての、より高いミリ波（ｍｍＷａｖｅ）周波数への移行である。しかし、ミリ波デバイス及びネットワークアクセスポイントは、主に送信機と受信機の周波数発振器のミスマッチにより、厳重な位相雑音に悩む。
【０１９０】
基本的に、位相雑音は、キャリア周波数にアップコンバートされる有効成分やロッシー素子における雑音によって発生する。周波数合成器は、一般的に基準発振器（又はクロック）、電圧制御発振器（ＶＣＯ：Ｖｏｌｔａｇｅ Ｃｏｎｔｒｏｌｌｅｄ Ｏｓｃｉｌｌａｔｏｒ）、及び分周器、位相周波数検出器チャージポンプ、ループフィルタを備える位相同期ループ（ＰＬＬ：ｐｈａｓｅ‐ｌｏｃｋｅｄ ｌｏｏｐ）で構成される。この点について、５Ｇ ＮＲには、位相をトラッキングし、且つ位相雑音による性能低下を緩和するために、ＰＴＲＳが導入される。
【０１９１】
複数のＴＲＰ／パネルが異なる水晶発振器（ＣＯ：Ｃｒｙｓｔａｌ Ｏｓｃｉｌｌａｔｏｒ）で構成される場合、２つ以上のＰＴＲＳポートが必要になる。この場合、（ＳＦＮのように）すべてのレイヤを複数のＴＲＰ／パネルから透過させることは実現できない。マルチＴＲＰ／パネル通信の信頼性を高めるために、１つの可能なソリューションは、追加のＤＭＲＳ数を動的に増加させること、即ち追加のＤＭＲＳポートで追加のＤＭＲＳを送信することである。これは、ＤＣＩ１１５内の別のフィールドによって暗黙的に示されてもよいし、テーブルＩ〜ＩＩＩのようなテーブル内のＤＭＲＳポートの指示によって暗黙的に示されてもよい。
【０１９２】
いくつかの実施形態では、端末デバイスに対して１つのＤＭＲＳグループのみが構成され、この単一のＤＭＲＳグループに対して２つの異なるＴＣＩ状態が１つのＤＣＩ内に構成される。端末デバイスは、追加のＤＭＲＳの実際の数が３であると仮定してもよい。代替的に、端末デバイスは、追加のＤＭＲＳの実際の数が、構成された追加のＤＭＲＳの数に１を加えた数であると仮定してもよい。
【０１９３】
いくつかの実施形態では、端末デバイスは、ＤＭＲＳタイプ、及び／又はＤＭＲＳの最大数／最大長、及び／又はコードワードの数が構成されてもよい。端末デバイスは所与のＤＭＲＳタイプ、所与のＤＭＲＳの最大数／最大長の値、及び所与のコードワードの数で構成されている場合、アンテナポート、データのないＤＭＲＳ ＣＤＭグループの数、前方ＤＭＲＳシンボルの数、ＤＭＲＳポートの数、及びＤＭＲＳポートのインデックスのうちの少なくとも１つを示すように構成される対応するテーブルが存在してもよい。
【０１９４】
いくつかの実施形態では、対応するテーブルにおいて、データのないＤＭＲＳ ＣＤＭグループの数の同じ値、ＤＭＲＳポートの数の同じ値、ＤＭＲＳポートの同じインデックス、及び／又は前方ＤＭＲＳシンボルの数の同じ値を示すＵ（ここで、Ｕは整数であり、且つＵ≧１）個の値／インデックス／指示が存在してもよい。データのないＤＭＲＳ ＣＤＭグループの数の同じ値、ＤＭＲＳポートの数の同じ値、ＤＭＲＳポートの同じインデックス、及び／又は前方ＤＭＲＳシンボルの数の同じ値を示すＵ個の値／インデックス／指示は、異なる追加のＤＭＲＳの数及び／又は異なるレイヤマッピングスキームを示すために使用される。
【０１９５】
いくつかの実施形態では、対応するテーブルにおいて、データのないＤＭＲＳ ＣＤＭグループの数の同じ値、ＤＭＲＳポートの数の同じ値、ＤＭＲＳポートの同じインデックス、及び／又は前方ＤＭＲＳシンボルの数の同じ値を示す２つの値／インデックス／指示が存在してもよい。データのないＤＭＲＳ ＣＤＭグループの数の同じ値、ＤＭＲＳポートの数の同じ値、ＤＭＲＳポートの同じインデックス、及び／又は前方ＤＭＲＳシンボルの数の同じ値を示す２つの値／インデックス／指示は、異なるレイヤ内のデータが同じであるか否かを示すために使用される。
【０１９６】
いくつかの実施形態では、１つよりも多いレイヤは端末デバイスに対して構成されてもよい。端末デバイスに対して構成される追加のレイヤマッピングスキームがあってもよい。例えば、同じデータは、少なくとも２つのレイヤで送信される。いくつかの実施形態では、この２つのレイヤは２つのＤＭＲＳポートに対応し、この２つのＤＭＲＳポートは異なるＤＭＲＳグループ内にある。いくつかの実施形態では、この２つのレイヤは２つのＤＭＲＳポートに対応し、この２つのＤＭＲＳポートはＦＤＭ及び／又はＴＤＭで多重化される。いくつかの実施形態では、端末デバイスに対して構成されるＤＭＲＳポートの総数は、１よりも大きく、Ｍよりも小さい。例えば、Ｍは、２、３、４、５、６、７又は８である。
【０１９７】
いくつかの実施形態では、端末デバイスは、送信されるべきコードワードのそれぞれに対する複素数値（複素値）の変調シンボル（complex-valued modulation symbols）がＭ個のレイヤにマッピングされると仮定する。コードワードｑに対する複素数値の変調シンボル
【数３】
2021533643.tif 000022
は、レイヤｘ（ｉ）＝［ｘ(０)（ｉ），...，ｘ(ｖ−１)（ｉ）］Ｔにマッピングされるべきである。ただし、
【数４】
2021533643.tif 000023
であり、ここで、ｖはレイヤの数であり、
【数５】
2021533643.tif 000024
はレイヤごとの変調シンボルの数である。［］Ｔは転置である。
【０１９８】
いくつかの実施形態では、レイヤの数が２であり、且つコードワードの数が１である場合、コードワードからレイヤへのマッピングは、ｘ(０)（ｉ）＝ｄ(０)（ｉ）、ｘ(１)（ｉ）＝ｄ(０)（ｉ）、且つ
【数６】
2021533643.tif 000025
である。いくつかの実施形態では、レイヤの数が３であり、且つコードワードの数が１である場合、コードワードからレイヤへのマッピングは、ｘ(０)（ｉ）＝ｄ(０)（ｉ）、ｘ(１)（ｉ）＝ｄ(０)（ｉ）、ｘ(２)（ｉ）＝ｄ(０)（ｉ）、且つ
【数７】
2021533643.tif 000026
である。いくつかの実施形態では、レイヤの数が４であり、且つコードワードの数が１である場合、コードワードからレイヤへのマッピングは、ｘ(０)（ｉ）＝ｄ(０)（ｉ）、ｘ(１)（ｉ）＝ｄ(０)（ｉ）、ｘ(２)（ｉ）＝ｄ(０)（ｉ）、ｘ(３)（ｉ）＝ｄ(０)（ｉ）、且つ
【数８】
2021533643.tif 000027
である。いくつかの実施形態では、レイヤの数が４であり、且つコードワードの数が２である場合、コードワードからレイヤへのマッピングは、ｘ(０)（ｉ）＝ｄ(０)（ｉ）、ｘ(１)（ｉ）＝ｄ(０)（ｉ）、ｘ(２)（ｉ）＝ｄ(１)（ｉ）、ｘ(３)（ｉ）＝ｄ(１)（ｉ）、且つ
【数９】
2021533643.tif 000028
である。
【０１９９】
従って、ネットワークデバイス１１０は、ＤＣＩ１１５において、ネットワークデバイス１１０、１２０がさらなるＤＭＲＳを端末デバイス１３０に送信するためのさらなるＤＭＲＳポートを示してもよい。これに対応して、端末デバイス１３０は、ＤＣＩ１１５からさらなるＤＭＲＳポートを決定し、さらなるＤＭＲＳポートでネットワークデバイス１１０、１２０からさらなるＤＭＲＳを受信してもよい。このように、マルチＴＲＰ／パネル通信の信頼性は、不十分なＰＴＲＳポートによって制限されない。
【０２００】
マルチＴＲＰ／パネル通信の信頼性を高めるために、別の可能なソリューションとして、同じデータを有するレイヤを導入することが考えられる。即ち、１つのコードワードが２つのレイヤにマッピングされてもよい。従って、ネットワークデバイス１１０は、ＤＭＲＳポートに対応する複数のレイヤで同じデータを送信し、複数のレイヤのそれぞれのＰＴＲＳポートでＰＴＲＳを送信してもよい。これに対応して、端末デバイス１３０は、ＤＭＲＳポートに対応する複数のレイヤで同じデータを受信し、複数のレイヤのそれぞれのＰＴＲＳポートでＰＴＲＳを受信し、複数のレイヤのそれぞれで受信したデータに対して、それぞれのＰＴＲＳに基づいて位相補償を行い、複数のレイヤで受信した補償後のデータを結合してもよい。
【０２０１】
例えば、２つのレイヤを例にとると、この２つのレイヤは２つのＴＣＩ状態で構成され、及び／又は２つのＰＴＲＳが必要である。この２つのレイヤによって同じデータを送信してもよく、端末デバイス１３０は、この２つのレイヤに対する２つの別々のＰＴＲＳポートで位相雑音を補償し、そして、補償されたデータを結合する。従って、マルチＴＲＰ／パネル通信のより高い信頼性が達成される。
【０２０２】
ＰＴＲＳに関するいくつかの実施形態では、異なるＤＭＲＳポートで送信されるＤＭＲＳの特性に応じて、マルチＴＲＰ／パネル通信に対してレイヤ数の制限が実行されてもよい。これについて、ネットワークデバイス１１０は、ＰＴＲＳを送信し、ＤＭＲＳを送信するためのＤＭＲＳポートの数を所定の数に制限してもよい。これに対応して、受信側では、ＰＴＲＳを受信したことに応答して、端末デバイス１３０は、ＤＭＲＳを送信するためのＤＭＲＳポートの数が所定の数に制限されたと決定してもよい。
【０２０３】
より具体的には、複数のＴＲＰ／パネルが構成されるとき、ＰＴＲＳが必要であることを仮定する。この場合、３ＧＰＰ仕様書に基づき、ＤＭＲＳは、ＤＭＲＳタイプ１について最大４個のレイヤ、ＤＭＲＳタイプ２について最大６個のレイヤしか構成できない。複数のＴＲＰ／パネルに対して２つのコードワードが必要である場合、ＤＭＲＳタイプ２のＤＭＲＳに対する５個のレイヤ及び／又は６個のレイヤのみがマルチＴＲＰ／パネル通信に使用できる。これにより、ＤＭＲＳに関連する通信のオーバーヘッドを低減させることができる。
【０２０４】
図５は、本開示のいくつかの実施形態にかかる例示的な方法５００のフローチャートである。方法５００は、端末デバイス、例えば図１に示す端末デバイス１３０によって実施されることができる。図示を容易にするために、方法５００の例示的な実施形態について、図１を参照して説明する。
【０２０５】
ブロック５１０において、端末デバイス１３０は、端末デバイス１３０と通信する複数のネットワークデバイスのうちの少なくとも１つからＤＣＩを受信する。複数のネットワークデバイスのそれぞれは、ＤＭＲＳを送信するための複数のＤＭＲＳポートを含む異なるＤＭＲＳグループを有する。ブロック５２０において、端末デバイス１３０は、ＤＣＩから、複数のネットワークデバイスのＤＭＲＳグループに対するそれぞれのＴＣＩ状態、及び複数のネットワークデバイスによって送信されるＤＭＲＳを受信するためのＤＭＲＳポートを決定する。ブロック５３０において、端末デバイス１３０は、ＴＣＩ状態に基づいて、ＤＭＲＳポートで複数のネットワークデバイスからＤＭＲＳを受信する。
【０２０６】
いくつかの実施形態では、各ＤＭＲＳグループにおけるＤＭＲＳポートは、互いに疑似コロケーション化されてもよい。いくつかの実施形態では、ＴＣＩ状態を決定する際に、端末デバイス１３０は、ＤＭＲＳグループのうちの第１のＤＭＲＳグループに対する第１のＴＣＩ状態を決定し、且つＤＭＲＳグループのうちの第２のＤＭＲＳグループに対する第２のＴＣＩ状態が第１のＴＣＩ状態と同一であるか否かを決定してもよい。いくつかの実施形態では、第２のＴＣＩ状態が第１のＴＣＩ状態と異なると決定したことに応答して、端末デバイス１３０は、ＤＣＩ内の単一の指示に基づいて、第２のＴＣＩ状態及びＤＭＲＳポートを決定してもよい。
【０２０７】
いくつかの実施形態では、ＴＣＩ状態を決定する際に、端末デバイス１３０は、ＤＣＩから第１のビットマップ及び第２のビットマップを取得してもよい。第１のビットマップは、第２のビットマップよりも多いビットを有してもよい。端末デバイス１３０は、第１のビットマップの値に基づいて、ＤＭＲＳグループのうちの第１のＤＭＲＳグループに対する第１のＴＣＩ状態を決定してもよい。第２のビットマップが所定値を有することに応答して、端末デバイス１３０は、ＤＭＲＳグループのうちの第２のＤＭＲＳグループに対する第２のＴＣＩ状態が第１のＴＣＩ状態と同一であると決定してもよい。第２のビットマップが所定値と異なる値を有することに応答して、端末デバイス１３０は、その値に基づいて第２のＴＣＩ状態を決定してもよい。
【０２０８】
いくつかの実施形態では、端末デバイス１３０は、ＤＣＩからさらなるＤＭＲＳポートを決定し、複数のネットワークデバイスからさらなるＤＭＲＳポートでさらなるＤＭＲＳを受信してもよい。
【０２０９】
いくつかの実施形態では、端末デバイス１３０は、ＤＭＲＳポートに対応する複数のレイヤで同じデータを受信し、複数のレイヤに対するそれぞれのＰＴＲＳポートで位相トラッキング参照信号（ＰＴＲＳ）を受信し、複数のレイヤのそれぞれで受信したデータに対して、それぞれのＰＴＲＳに基づいて位相補償を実行し、複数のレイヤで受信した補償後のデータを結合してもよい。
【０２１０】
いくつかの実施形態では、ＰＴＲＳを受信したことに応答して、端末デバイス１３０は、ＤＭＲＳを送信するためのＤＭＲＳポートの数が所定の数に制限されていることを決定してもよい。
【０２１１】
図６は、本開示のいくつかの実施形態にかかる別の例示的な方法６００のフローチャートを示す。方法６００は、ネットワークデバイス、例えば図１に示すネットワークデバイス１１０によって実施されることができる。図示を容易にするために、方法６００の例示的な実施形態について、図１を参照して説明する。
【０２１２】
ブロック６１０において、ネットワークデバイス１１０は、端末デバイスと通信するネットワークデバイス１１０を含む複数のネットワークデバイスのそれぞれのＤＭＲＳグループに対するＴＣＩ状態と、複数のネットワークデバイスがＤＭＲＳを端末デバイスに送信するためのＤＭＲＳポートとを決定する。各ＤＭＲＳグループは、複数のＤＭＲＳポートを含む。ブロック６２０において、ネットワークデバイス１１０は、ＴＣＩ状態及びＤＭＲＳポートを示すＤＣＩを生成する。ブロック６３０において、ネットワークデバイス１１０は、端末デバイスがＴＣＩ状態に基づいてＤＭＲＳポートで複数のネットワークデバイスからＤＭＲＳを受信するように、ＤＣＩを端末デバイスに送信する。
【０２１３】
いくつかの実施形態では、各ＤＭＲＳグループにおけるＤＭＲＳポートは、互いに疑似コロケーション化されてもよい。いくつかの実施形態では、ＤＣＩを生成する際に、ネットワークデバイス１１０は、ＤＣＩにおいてＤＭＲＳグループのうちの第１のＤＭＲＳグループに対する第１のＴＣＩ状態を示し、且つＤＣＩにおいてＤＭＲＳグループのうちの第２のＤＭＲＳグループに対する第２のＴＣＩ状態が第１のＴＣＩ状態と同一であるか否かを示してもよい。いくつかの実施形態では、ＤＣＩにおいて第２のＴＣＩ状態が第１のＴＣＩ状態と異なることを示すことに応答して、ネットワークデバイス１１０は、ＤＣＩにおいて単一の指示を使用して第２のＴＣＩ状態及びＤＭＲＳポートを示してもよい。
【０２１４】
いくつかの実施形態では、ＤＣＩを生成する際に、ネットワークデバイス１１０は、ＤＣＩに第１のビットマップ及び第２のビットマップを設定してもよい。第１のビットマップは、第２のビットマップよりも多いビットを有してもよい。ネットワークデバイス１１０は、第１のビットマップの値を用いて、ＤＭＲＳグループのうちの第１のＤＭＲＳグループに対する第１のＴＣＩ状態を示し、第２のビットマップの所定値を用いて、ＤＭＲＳグループのうちの第２のＤＭＲＳグループに対する第２のＴＣＩ状態が第１のＴＣＩ状態と同一であることを示し、第２のビットマップの所定値と異なる値を用いて、第２のＴＣＩ状態を示すようにしてもよい。
【０２１５】
いくつかの実施形態では、ネットワークデバイス１１０は、ＤＭＲＳグループに対する潜在的なＴＣＩ状態を異なるＴＣＩ状態のグループに分割し、潜在的なＴＣＩ状態から、ＤＭＲＳグループのうちの第１のＤＭＲＳグループに対する第１のＴＣＩ状態を選択し、第１のＴＣＩ状態を含むグループと異なるグループから、ＤＭＲＳグループのうちの第２のＤＭＲＳグループに対する第２のＴＣＩ状態を選択するようにしてもよい。
【０２１６】
いくつかの実施形態では、ネットワークデバイス１１０は、コードワードを、ＤＭＲＳグループのうちの１つのＤＭＲＳグループのＤＭＲＳポートに関連する空間レイヤにマッピングしてもよい。いくつかの実施形態では、ネットワークデバイス１１０は、ＤＣＩにおいて、複数のネットワークデバイスがさらなるＤＭＲＳを端末デバイスに送信するためのさらなるＤＭＲＳポートを示してもよい。
【０２１７】
いくつかの実施形態では、ネットワークデバイス１１０は、ＤＭＲＳポートに対応する複数のレイヤで同じデータを送信し、複数のレイヤに対するそれぞれのＰＴＲＳポートでＰＴＲＳを送信してもよい。いくつかの実施形態では、ネットワークデバイス１１０は、ＰＴＲＳを送信し、且つＤＭＲＳを送信するためのＤＭＲＳポートの数を所定の数に制限してもよい。
【０２１８】
図７は、本開示のいくつかの実施形態の実施に適するデバイス７００の簡略的なブロック図である。デバイス７００は、図１に示すネットワークデバイス１１０、１２０又は端末デバイス１３０のさらなる例示的な実施形態とみなすことができる。従って、デバイス７００は、ネットワークデバイス１１０、１２０或いは端末デバイス１３０の少なくとも一部で実施され、又はネットワークデバイス１１０、１２０或いは端末デバイス１３０の少なくとも一部として実施されることができる。
【０２１９】
図示されるように、デバイス７００は、プロセッサ７１０と、プロセッサ７１０に接続されているメモリ７２０と、プロセッサ７１０に接続されている適切な送信機（ＴＸ）及び受信機（ＲＸ）７４０と、ＴＸ／ＲＸ７４０に接続されている通信インターフェースとを含む。メモリ７２０は、プログラム７３０の少なくとも一部を格納する。ＴＸ／ＲＸ７４０は、双方向通信用である。ＴＸ／ＲＸ７４０は、通信を容易にするために少なくとも１つのアンテナを有するが、実際には、本願で言及されるアクセスノードは複数あってもよい。通信インターフェースは、ｅＮＢ間の双方向通信用のＸ２インターフェース、モビリティマネジメントエンティティ（ＭＭＥ：Ｍｏｂｉｌｉｔｙ Ｍａｎａｇｅｍｅｎｔ Ｅｎｔｉｔｙ）／サービングゲートウェイ（Ｓ−ＧＷ：Ｓｅｒｖｉｎｇ Ｇａｔｅｗａｙ）とｅＮＢとの間の通信用のＳ１インターフェース、ｅＮＢとリレーノード（ＲＮ）との間の通信用のＵｎインターフェース、又はｅＮＢと端末デバイスとの間の通信用のＵｕインターフェースなど、他のネットワーク要素との通信に必要な任意のインターフェースを表してもよい。
【０２２０】
プログラム７３０は、関連するプロセッサ７１０によって実行されると、デバイス７００が、本明細書で図５又は図６を参照して説明したように、本開示の実施形態に従って動作することを可能にするプログラム命令を含むと想定される。本明細書の実施形態は、デバイス７００のプロセッサ７１０によって実行可能なコンピュータソフトウェアにより、又はハードウェアにより、又はソフトウェアとハードウェアとの組み合わせにより実施されてもよい。プロセッサ７１０は、本開示の様々な実施形態を実施するように構成されてもよい。さらに、プロセッサ７１０とメモリ７２０の組み合わせは、本開示の様々な実施形態を実施するのに適した処理手段７５０を形成してもよい。
【０２２１】
メモリ７２０は、ローカル技術ネットワークに適した任意のタイプのものであってもよく、非限定的な例として、非一時的コンピュータ読み取り可能な記憶媒体、半導体系のメモリデバイス、磁気メモリデバイス及びシステム、光メモリデバイス及びシステム、固定メモリデバイス及びリムーバブルメモリなどの任意の適切なデータ記憶技術を使用して実施されてもよい。デバイス７００には１つのメモリ７２０のみが示されているが、デバイス７００には物理的に別個である複数のメモリモジュールがあってもよい。プロセッサ７１０は、ローカル技術ネットワークに適した任意のタイプのものであってもよく、非限定的な例として、汎用コンピュータ、専用コンピュータ、マイクロプロセッサ、ＤＳＰ（Ｄｉｇｉｔａｌ  Ｓｉｇｎａｌ  Ｐｒｏｃｅｓｓｏｒ）、及びマルチコアプロセッサアーキテクチャに基づくプロセッサのうちの１つ又は複数を含んでもよい。デバイス７００は、メインプロセッサを同期させるクロックに時間的に従属する特定用途向け集積回路チップなどの複数のプロセッサを有してもよい。
【０２２２】
本開示の装置及び／又はデバイスに含まれる構成要素は、ソフトウェア、ハードウェア、ファームウェア、又はそれらの任意の組み合わせを含む様々な態様で実施されてもよい。一実施形態では、１つ又は複数のユニットは、ソフトウェア及び／又はファームウェア、例えば、記憶媒体に記憶されたマシン実行可能な命令を使用して実装されてもよい。マシン実行可能な命令に加えて又はその代わりに、装置及び／又はデバイスにおけるユニットの一部又は全部は、少なくとも部分的には１つ又は複数のハードウェアロジックコンポーネントによって実装されてもよい。例えば、使用され得るハードウェアロジックコンポーネントの例示的なタイプには、ＦＰＧＡ（Ｆｉｅｌｄ‐ｐｒｏｇｒａｍｍａｂｌｅ Ｇａｔｅ Ａｒｒａｙ）、特定用途向け集積回路（ＡＳＩＣ：Ａｐｐｌｉｃａｔｉｏｎ‐ｓｐｅｃｉｆｉｃ Ｉｎｔｅｇｒａｔｅｄ Ｃｉｒｃｕｉｔ）、特定用途向け標準製品（ＡＳＳＰ：Ａｐｐｌｉｃａｔｉｏｎ‐ｓｐｅｃｉｆｉｃ Ｓｔａｎｄａｒｄ Ｐｒｏｄｕｃｔ）、ＳＯＣ（Ｓｙｓｔｅｍ‐ｏｎ‐ａ‐ｃｈｉｐ ｓｙｓｔｅｍ）、ＣＰＬＤ（Ｃｏｍｐｌｅｘ Ｐｒｏｇｒａｍｍａｂｌｅ Ｌｏｇｉｃ Ｄｅｖｉｃｅ）などが含まれるが、これらに限定されない。
【０２２３】
一般的に、本開示の様々な実施形態は、ハードウェア又は専用回路、ソフトウェア、ロジック、又はそれらの任意の組み合わせで実施されてもよい。いくつかの態様はハードウェアで実施され、他の態様はコントローラ、マイクロプロセッサ、又は他のコンピューティングデバイスによって実行され得るファームウェア又はソフトウェアで実施されてもよい。本開示の実施形態の様々な態様は、ブロック図、フローチャート、又は他の何らかの画像表現を使用して例示及び説明されたが、本明細書に記載されるこれらのブロック、装置、システム、技術又は方法は、非限定的な例として、ハードウェア、ソフトウェア、ファームウェア、専用回路又はロジック、汎用ハードウェア又はコントローラ又は他のコンピューティングデバイス、又はそれらのいくつかの組み合わせで実施されてもよいことを理解されたい。
【０２２４】
本開示は、さらに、非一時的なコンピュータ読み取り可能な記憶媒体に有形に格納された少なくとも１つのコンピュータプログラム製品を提供する。コンピュータプログラム製品は、図５及び図６を参照して上述したプロセス又は方法を実行するために、プログラムモジュールに含まれるものなどの、対象の実プロセッサ又は仮想プロセッサ上のデバイスで実行されるコンピュータ実行可能な命令を含む。一般的に、プログラムモジュールは、特定のタスクを実行したり、特定の抽象データ型を実施したりするルーチン、プログラム、ライブラリ、オブジェクト、クラス、コンポーネント、データ構造などを含む。プログラムモジュールの機能は、様々な実施形態で記載されたプログラムモジュール間で組み合わせる、又は分割されることができる。プログラムモジュールのためのマシン実行可能な命令は、ローカルデバイス又は分散型デバイス内で実行されてもよい。分散型デバイスでは、プログラムモジュールがローカル記憶媒体とリモート記憶媒体の両方に配置されてもよい。
【０２２５】
本開示の方法を実行するためのプログラムコードは、１つ又は複数のプログラミング言語の任意の組み合わせで書かれてもよい。これらのプログラムコードは、汎用コンピュータ、専用コンピュータ、又は他のプログラム可能なデータ処理装置のプロセッサ又はコントローラに提供されることにより、プログラムコードがプロセッサ又はコントローラによって実行されると、フローチャート及び／又はブロック図に規定される機能／動作が実現される。プログラムコードは、完全にマシン上で実行されてもよく、その一部がマシン上で実行されてもよく、スタンドアロンのソフトウェアパッケージとして実行されてもよく、一部がマシン上で実行され且つ一部がリモートマシン上で実行されてもよく、完全にリモートマシン又はサーバ上で実行されてもよい。
【０２２６】
上記プログラムコードは、命令実行システム、装置、又はデバイスによって、又はそれと関連して使用されるためのプログラムを含む、又は格納することができる任意の有形媒体であり得るマシン読み取り可能な媒体上で具現化されてもよい。マシン読み取り可能な媒体は、マシン読み取り可能な信号媒体又はマシン読み取り可能な記憶媒体であってもよい。マシン読み取り可能な媒体は、電子、磁気、光学、電磁気、赤外線、又は半導体システム、装置、デバイス、あるいは前記の任意の適切な組み合わせを含むが、これらに限定されない。マシン読み取り可能な記憶媒体のより具体的な例として、１つ又は複数のワイヤによる電気的接続、ポータブルコンピュータディスケット、ハードディスク、ＲＡＭ（Ｒａｎｄｏｍ Ａｃｃｅｓｓ Ｍｅｍｏｒｙ）、ＲＯＭ（Ｒｅａｄ Ｏｎｌｙ Ｍｅｍｏｒｙ）、消去可能なプログラム可能な読み取り専用メモリ（ＥＰＲＯＭ又はフラッシュメモリ）、光ファイバー、ポータブルコンパクトディスク読み取り専用メモリ（ＣＤ−ＲＯＭ）、光学式ストレージデバイス、磁気ストレージデバイス、又は前記の任意の適切な組み合わせが挙げられる。
【０２２７】
さらに、動作が特定の順序で描かれているが、これは、望ましい結果を達成するために、そのような動作が図示の特定の順序又は連続順序で実行されること、又はすべての描かれた動作が実行されることを要求するものとして理解されるべきではない。特定の状況では、マルチタスク及び並列処理が有利である場合がある。同様に、上記の説明にはいくつかの特定の実施形態の詳細が含まれているが、これらは本開示の範囲を限定するものとして解釈されるべきではなく、特定の実施形態に特有の特徴の説明として解釈されるべきである。別々の実施形態の文脈で説明されている特定の特徴は、単一の実施形態に組み合わせて実施されてもよい。逆に、単一の実施形態の文脈で説明されている様々な特徴も、複数の実施形態で別々に、又は任意の適切なサブコンビネーションで実施されてもよい。
【０２２８】
本開示は、構造的特徴及び／又は方法論的動作に特有の用語で説明されたが、添付の特許請求の範囲で限定される本開示は、必ずしも上述の特定の特徴又は動作に限定されないことを理解されたい。むしろ、上述の特定の特徴及び動作は、特許請求の範囲を実施する例示的な形態として説明されている。
【図１】
2021533643.tif 000029
【図２】
2021533643.tif 000030
【図３】
2021533643.tif 000031
【図４】
2021533643.tif 000032
【図５】
2021533643.tif 000033
【図６】
2021533643.tif 000034
【図７】
2021533643.tif 000035
【手続補正書】
【提出日】令和3年3月31日(2021.3.31)
【手続補正１】
【補正対象書類名】特許請求の範囲
【補正対象項目名】全文
【補正方法】変更
【補正の内容】
【特許請求の範囲】
【請求項１】
通信のための方法であって、
端末デバイスと通信する複数のネットワークデバイスのうちの少なくとも１つから、ダウンリンク制御情報（ＤＣＩ：Ｄｏｗｎｌｉｎｋ Ｃｏｎｔｒｏｌ Ｉｎｆｏｒｍａｔｉｏｎ）を、前記端末デバイスにおいて受信することを含み、
前記複数のネットワークデバイスは、複数の復調参照信号（ＤＭＲＳ：Ｄｅｍｏｄｕｌａｔｉｏｎ Ｒｅｆｅｒｅｎｃｅ Ｓｉｇｎａｌ）グループに対応し、前記複数のＤＭＲＳグループのそれぞれは、ＤＭＲＳを送信するための複数のＤＭＲＳポートを含み、
前記方法は、
前記複数のＤＭＲＳグループに対するそれぞれの送信構成指示（ＴＣＩ：Ｔｒａｎｓｍｉｓｓｉｏｎ Ｃｏｎｆｉｇｕｒａｔｉｏｎ Ｉｎｄｉｃａｔｉｏｎ）状態、及び前記複数のネットワークデバイスによって送信されるＤＭＲＳを受信するためのＤＭＲＳポートを前記ＤＣＩから決定することと、
前記ＴＣＩ状態に基づいて、前記ＤＭＲＳポートで前記複数のネットワークデバイスから前記ＤＭＲＳを受信することと、
をさらに含む方法。
【請求項２】
前記複数のＤＭＲＳグループのそれぞれにおける前記複数のＤＭＲＳポートは、互いに疑似コロケートされる、
請求項１に記載の方法。
【請求項３】
前記ＴＣＩ状態を決定することは、
前記複数のＤＭＲＳグループのうちの第１のＤＭＲＳグループに対する第１のＴＣＩ状態を決定することと、
前記複数のＤＭＲＳグループのうちの第２のＤＭＲＳグループに対する第２のＴＣＩ状態が前記第１のＴＣＩ状態と同一であるか否かを決定することと、を含む、
請求項１に記載の方法。
【請求項４】
前記第２のＴＣＩ状態が前記第１のＴＣＩ状態と異なると決定したことに応答して、前記ＤＣＩ内の単一の指示に基づいて、前記第２のＴＣＩ状態及び前記ＤＭＲＳポートを決定することをさらに含む、
請求項３に記載の方法。
【請求項５】
前記ＴＣＩ状態を決定することは、
前記ＤＣＩから第１のビットマップ及び第２のビットマップを取得し、前記第１のビットマップが前記第２のビットマップよりも多いビットを有することと、
前記第１のビットマップの値に基づいて、前記複数のＤＭＲＳグループのうちの第１のＤＭＲＳグループに対する第１のＴＣＩ状態を決定することと、
前記第２のビットマップが所定値を有することに応答して、前記複数のＤＭＲＳグループのうちの第２のＤＭＲＳグループに対する第２のＴＣＩ状態が前記第１のＴＣＩ状態と同一であると決定することと、
前記第２のビットマップが前記所定値と異なる値を有することに応答して、前記値に基づいて前記第２のＴＣＩ状態を決定することと、を含む、
請求項１に記載の方法。
【請求項６】
前記ＤＣＩから、さらなるＤＭＲＳポートを決定することと、
前記複数のネットワークデバイスから前記さらなるＤＭＲＳポートでさらなるＤＭＲＳを受信することと、をさらに含む、
請求項１に記載の方法。
【請求項７】
前記ＤＭＲＳポートに対応する複数のレイヤで同じデータを受信することと、
前記複数のレイヤに対するそれぞれの位相トラッキング参照信号（ＰＴＲＳ：Ｐｈａｓｅ Ｔｒａｃｋｉｎｇ Ｒｅｆｅｒｅｎｃｅ Ｓｉｇｎａｌ）ポートでＰＴＲＳを受信することと、
前記複数のレイヤのそれぞれで受信したデータに対して、それぞれのＰＴＲＳに基づいて位相補償を実行することと、
前記複数のレイヤで受信した補償後のデータを結合することと、をさらに含む、
請求項１に記載の方法。
【請求項８】
位相トラッキング参照信号（ＰＴＲＳ）を受信したことに応答して、前記ＤＭＲＳを送信するための前記ＤＭＲＳポートの数が所定の数に制限されていることを決定することをさらに含む、
請求項１に記載の方法。
【請求項９】
通信のための方法であって、
端末デバイスと通信する複数のネットワークデバイスのうちの１つのネットワークデバイスにおいて、前記複数のネットワークデバイスが対応する複数の復調参照信号（ＤＭＲＳ：Ｄｅｍｏｄｕｌａｔｉｏｎ Ｒｅｆｅｒｅｎｃｅ Ｓｉｇｎａｌ）グループに対するそれぞれの送信構成指示（ＴＣＩ）状態、及び前記複数のネットワークデバイスがＤＭＲＳを前記端末デバイスに送信するためのＤＭＲＳポートを決定することを含み、
前記複数のＤＭＲＳグループのそれぞれは、ＤＭＲＳを送信するための複数のＤＭＲＳポートを含み、
前記方法は、
前記ＴＣＩ状態及び前記ＤＭＲＳポートを示すダウンリンク制御情報（ＤＣＩ）を生成することと、
前記端末デバイスが前記ＴＣＩ状態に基づいて前記ＤＭＲＳポートで前記複数のネットワークデバイスから前記ＤＭＲＳを受信するように、前記ＤＣＩを前記端末デバイスに送信することと、を含む、
方法。
【請求項１０】
前記複数のＤＭＲＳグループのそれぞれにおける前記複数のＤＭＲＳポートは、互いに疑似コロケートされる、
請求項９に記載の方法。
【国際調査報告】
2021533643.tif 000036
2021533643.tif 000037